(57)【要約】【課題】本発明はフィルターリング特性を測定する方法と装置、プレイコライザ及び通信装置を提供する。【解決手段】該方法は、異なるフィルターリングモジュールを通過し且つ周波数スペクトル範囲が異なる２つの測定信号が受信端で同時に受信された後に、受信信号を取得し；該受信信号の周波数スペクトルのうちから、２つの測定信号の重なり合わない周波数スペクトル部分に基づいて、受信端の一部のフィルターリング特性及び一部のジョイントレスポンスを確定することを含む。実施例によれば、送信機及び受信機自体は受信端及び送信端のフィルターリング特性及びジョイントレスポンスを確定することができるため、フィルターリング特性の計器測定による高コスト及び大規模使用不可の問題を避けることができる。【選択図】図１３
2017108406.tif 000002
【特許請求の範囲】
【請求項１】
フィルタンリング特性を測定する装置であって、
第一測定信号及び第二測定信号が各自のフィルタンリングモジュールを通過した後に得られた第一受信信号の周波数スペクトルのうちから、前記第一測定信号及び前記第二測定信号の重なり合わない周波数スペクトル部分に基づいて、受信端の第一部分フィルタンリング特性を確定し、又は、送信端のフィルタンリング特性及び受信端のフィルタンリング特性の第一部分ジョイントレスポンスを確定するための第一確定ユニット；
第三測定信号及び前記第二測定信号が各自のフィルタンリングモジュールを通過した後に得られた第二受信信号の周波数スペクトルのうちから、前記第三測定信号及び前記第二測定信号の重なり合わない周波数スペクトル部分に基づいて、受信端の第二部分フィルタンリング特性を確定し、又は、第四測定信号及び前記第一測定信号が各自のフィルタンリングモジュールを通過した後に得られた第二受信信号の周波数スペクトルのうちから、前記第四測定信号及び前記第一測定信号の重なり合わない周波数スペクトル部分に基づいて、送信端のフィルタンリング特性及び受信端のフィルタンリング特性の第二部分ジョイントレスポンスを確定するための第二確定ユニット；及び
前記第一部分フィルタンリング特性及び前記第二部分フィルタンリング特性に基づいて、前記受信端のフィルタンリング特性を確定し、又は、前記第一部分ジョイントレスポンス及び前記第二部分ジョイントレスポンスに基づいて、前記受信端のフィルタンリング特性及び前記送信端のフィルタンリング特性のジョイントレスポンスを確定するための第一処理ユニットを含み、
前記第一測定信号及び前記第三測定信号が通過するフィルタンリングモジュールは、送信端フィルタンリングモジュール及び受信端フィルタンリングモジュールを含み、前記第二測定信号及び前記第四測定信号が通過するフィルタンリングモジュールは、前記受信端フィルタンリングモジュールを含み、前記第一測定信号及び前記第二測定信号の周波数スペクトル範囲は異なり、前記第三測定信号と前記第一測定信号周波数とは相補的であり、又は、前記第四測定信号と前記第二測定信号周波数とは相補的であり、
前記周波数の相補は、対応する２つの測定信号の周波数スペクトル範囲が、前記フィルタンリング特性の全部測定範囲をカバーし、且つ対応する２つの測定信号が、重なり合う周波数点を有することを意味し、
前記第一測定信号、前記第二測定信号、前記第三測定信号及び前記第四測定信号は、連続信号である、装置。
【請求項２】
請求項1に記載の装置であって、
前記第一確定ユニットは、
前記第一受信信号のパワースペクトル密度を計算するための第一測定ユニット；
前記第一受信信号のパワースペクトル密度の周波数スペクトルから、前記第一測定信号及び前記第二測定信号の重なり合わない周波数スペクトル部分の第一パワースペクトル密度を抽出するための第一抽出ユニット；及び
前記第一パワースペクトル密度に基づいて、前記受信端の第一部分フィルタンリング特性を得るための第一取得ユニットを含み、
前記第二確定ユニットは、
前記第二受信信号のパワースペクトル密度を計算するための第二測定ユニット；
前記第二受信信号のパワースペクトル密度の周波数スペクトルから、前記第三測定信号及び前記第二測定信号の重なり合わない周波数スペクトル部分の第二パワースペクトル密度を抽出するための第二抽出ユニット；及び
前記第二パワースペクトル密度に基づいて、前記受信端の第二部分フィルタンリング特性を得るための第二取得ユニットを含む、装置。
【請求項３】
請求項1に記載の装置であって、
前記第一処理ユニットは、
前記第一部分フィルタンリング特性及び前記第二部分フィルタンリング特性の重なり合う周波数点の所におけるレスポンスが同じであるかを判断するための第一判断ユニット；及び
前記第一判断ユニットの判断結果が「はい」の時に、前記第一部分フィルタンリング特性及び前記第二部分フィルタンリング特性を合併して、連続した前記フィルタンリング特性を得るための第一合併ユニットを含み、
前記第一判断ユニットの判断結果が「いいえ」の時に、前記第一処理ユニットは、さらに、
前記第一部分フィルタンリング特性及び前記第二部分フィルタンリング特性の重なり合う周波数点の所におけるレスポンスを同じであるように調整するための第一調整ユニットを含み、
前記第一合併ユニットは、さらに、調整後の前記第一部分フィルタンリング特性及び前記第二部分フィルタンリング特性を合併して、連続した前記フィルタンリング特性を得る、装置。
【請求項４】
請求項2に記載の装置であって、
前記第一確定ユニットは、さらに、
前記第二測定信号が平坦なパワースペクトル密度を有しない時に、前記第一抽出ユニットが抽出した前記第一パワースペクトル密度から、前記第二測定信号のパワースペクトル密度を除去するための第一除去ユニットを含み、
前記第一取得ユニットは、前記第一除去ユニットの処理後の結果に基づいて、前記第一部分フィルタンリング特性を確定し、
前記第二確定ユニットは、さらに、
前記第二測定信号が平坦なパワースペクトル密度を有しない時に、前記第二抽出ユニットが抽出した前記第二パワースペクトル密度から、前記第二測定信号のパワースペクトル密度を除去するための第二除去ユニットを含み、
前記第二取得ユニットは、前記第二除去ユニットの処理後の結果に基づいて、前記第二部分フィルタンリング特性を確定する、装置。
【請求項５】
請求項2に記載の装置であって、さらに、
前記第一受信信号のパワースペクトル密度の周波数スペクトルのうちから、前記第一測定信号及び前記第二測定信号の重なり合う周波数スペクトル部分に基づいて、前記第一部分ジョイントレスポンスを確定するための第三確定ユニット；
前記第二受信信号のパワースペクトル密度の周波数スペクトルのうちから、前記第三測定信号及び前記第二測定信号の重なり合う周波数スペクトル部分に基づいて、前記第二部分ジョイントレスポンスを確定するための第四確定ユニット；及び
前記第一部分ジョイントレスポンス及び前記第二部分ジョイントレスポンスに基づいて、前記ジョイントレスポンスを確定するための第二処理ユニットを含む、装置。
【請求項６】
請求項5に記載の装置であって、
前記第三確定ユニットは、
前記第一受信信号のパワースペクトル密度の周波数スペクトルから、前記第一測定信号及び前記第二測定信号の重なり合う周波数スペクトル部分の第三パワースペクトル密度を抽出するための第三抽出ユニット；及び
前記第三パワースペクトル密度に基づいて、前記第一部分ジョイントレスポンスを得るための第三取得ユニットを含み、
前記第四確定ユニットは、
前記第二受信信号のパワースペクトル密度の周波数スペクトルから、前記第三測定信号及び前記第二測定信号の重なり合う周波数スペクトル部分の第四パワースペクトル密度を抽出するための第四抽出ユニット；及び
前記第四パワースペクトル密度に基づいて、前記第二部分ジョイントレスポンスを得るための第四取得ユニットを含む、装置。
【請求項７】
請求項5に記載の装置であって、
前記第二処理ユニットは、
前記第一部分ジョイントレスポンス及び前記第二部分ジョイントレスポンスの重なり合う周波数点の所におけるレスポンスが同じであるかを判断するための第二判断ユニット；及び
前記第二判断ユニットの判断結果が「はい」の時に、前記第一部分ジョイントレスポンス及び前記第二部分ジョイントレスポンスを合併して、連続した前記ジョイントレスポンスを得るための第二合併ユニットを含み、
前記第二判断ユニットの判断結果が「いいえ」の時に、前記第二処理ユニットは、さらに、
前記第一部分ジョイントレスポンス及び前記第二部分ジョイントレスポンスの重なり合う周波数点の所におけるレスポンスを同じであるように調整するための第二調整ユニットを含み、
前記第二合併ユニットは、さらに、調整後の前記第一部分ジョイントレスポンス及び前記第二部分ジョイントレスポンスを合併して、連続した前記ジョイントレスポンスを得る、装置。
【請求項８】
請求項6に記載の装置であって、
前記第三確定ユニットは、さらに、
前記第一測定信号及び前記第三測定信号が平坦なパワースペクトル密度を有しない時に、前記第三抽出ユニットが抽出した前記第三パワースペクトル密度から、前記第一測定信号のパワースペクトル密度を除去するための第三除去ユニットを含み、
前記第三取得ユニットは、前記第三除去ユニットの処理後の結果に基づいて、前記第一部分ジョイントレスポンスを確定し、
前記第四確定ユニットは、さらに、
前記第一測定信号及び前記第三測定信号が平坦なパワースペクトル密度を有しない時に、前記第四抽出ユニットが抽出した前記第四パワースペクトル密度から、前記第三測定信号のパワースペクトル密度を除去するための第四除去ユニットを含み、
前記第四取得ユニットは、前記第四除去ユニット処理後の結果に基づいて、前記第二部分ジョイントレスポンスを確定する、装置。
【請求項９】
請求項1に記載の装置であって、
前記第一確定ユニットは、
前記第一受信信号のパワースペクトル密度を計算するための第一測定ユニット；
前記第一受信信号のパワースペクトル密度の周波数スペクトルから、前記第一測定信号及び前記第二測定信号の重なり合わない周波数スペクトル部分の第五パワースペクトル密度を抽出するための第五抽出ユニット；及び
前記第五パワースペクトル密度に基づいて、前記第一部分ジョイントレスポンスを得るための第五取得ユニットを含み、
前記第二確定ユニットは、
前記第二受信信号のパワースペクトル密度を計算するための第二測定ユニット；
前記第二受信信号のパワースペクトル密度の周波数スペクトルから、前記第一測定信号及び前記第四測定信号の重なり合わない周波数スペクトル部分の第六パワースペクトル密度を抽出するための第六抽出ユニット；及び
前記第六パワースペクトル密度に基づいて、前記第二部分ジョイントレスポンスを得るための第六取得ユニットを含む、装置。
【請求項１０】
請求項1に記載の装置であって、
前記第一処理ユニットは、
前記第一部分ジョイントレスポンス及び前記第二部分ジョイントレスポンスの重なり合う周波数点の所におけるレスポンスが同じであるかを判断するための第三判断ユニット；及び
前記第三判断ユニットの判断結果が「はい」の時に、前記第一部分ジョイントレスポンス及び前記第二部分ジョイントレスポンスを合併して、連続した前記ジョイントレスポンスを得るための第三合併ユニットを含み、
前記第三判断ユニットの判断結果が「いいえ」の時に、前記第一処理ユニットは、さらに、
前記第一部分ジョイントレスポンス及び前記第二部分ジョイントレスポンスの重なり合う周波数点の所におけるレスポンス調整を同じであるように調整するための第三調整ユニットを含み、
前記第三合併ユニットは、さらに、調整後の前記第一部分ジョイントレスポンス及び前記第二部分ジョイントレスポンスを合併して、連続した前記ジョイントレスポンスを得る、装置。
【請求項１１】
請求項9に記載の装置であって、
前記第一確定ユニットは、さらに、
前記第一測定信号が平坦なパワースペクトル密度を有しない時に、前記第五抽出ユニットが抽出した前記第五パワースペクトル密度から、前記第一測定信号のパワースペクトル密度を除去するための第五除去ユニットを含み、
前記第五取得ユニットは、前記第五除去ユニットの処理後の結果に基づいて、前記第一部分ジョイントレスポンスを確定し、
前記第二確定ユニットは、さらに、
前記第一測定信号が平坦なパワースペクトル密度を有しない時に、前記第六抽出ユニットが抽出した前記第六パワースペクトル密度から、前記第一測定信号のパワースペクトル密度を除去するための第六除去ユニットを含み、
前記第六取得ユニットは、前記第六除去ユニットの処理後の結果に基づいて、前記第二部分ジョイントレスポンスを確定する、装置。
【請求項１２】
請求項9に記載の装置であって、さらに、
前記第一受信信号のパワースペクトル密度の周波数スペクトルのうちから、前記第一測定信号及び前記第二測定信号の重なり合う周波数スペクトル部分に基づいて、前記受信端の第一部分フィルタンリング特性を確定するための第五確定ユニット；
前記第二受信信号のパワースペクトル密度の周波数スペクトルのうちから、前記第一測定信号及び前記第四測定信号の重なり合う周波数スペクトル部分に基づいて、前記受信端の第二部分フィルタンリング特性を確定するための第六確定ユニット；及び
前記第一部分フィルタンリング特性及び前記第二部分フィルタンリング特性に基づいて、前記受信端のフィルタンリング特性を確定するための第三処理ユニットを含む、装置。
【請求項１３】
請求項12に記載の装置であって、
前記第五確定ユニットは、
前記第一受信信号のパワースペクトル密度の周波数スペクトルから、前記第一測定信号及び前記第二測定信号の重なり合う周波数スペクトル部分の第七パワースペクトル密度を抽出するための第七抽出ユニット；及び
前記第七パワースペクトル密度に基づいて、前記第一部分フィルタンリング特性を得るための第七取得ユニットを含み、
前記第六確定ユニットは、
前記第二受信信号のパワースペクトル密度の周波数スペクトルから、前記第四測定信号及び前記第一測定信号の重なり合う周波数スペクトル部分の第八パワースペクトル密度を抽出するための第八抽出ユニット；及び
前記第八パワースペクトル密度に基づいて、前記第二部分フィルタンリング特性を得るための第八取得ユニットを含む、装置。
【請求項１４】
請求項12に記載の装置であって、
前記第三処理ユニットは、
前記第一部分フィルタンリング特性及び前記第二部分フィルタンリング特性の重なり合う周波数点の所におけるレスポンスが同じであるかを判断するための第四判断ユニット；及び
前記第四判断ユニットの判断結果が「はい」の時に、前記第一部分フィルタンリング特性及び前記第二部分ジョイントフィルタンリング特性を合併して、連続した前記受信端のフィルタンリング特性を得るための第四合併ユニットを含み、
前記第四判断ユニットの判断結果が「いいえ」の時に、前記第三処理ユニットは、さらに、
前記第一部分フィルタンリング特性及び前記第二部分フィルタンリング特性の重なり合う周波数点の所におけるレスポンスを同じであるように調整するための第四調整ユニットを含み、
前記第四合併ユニットは、さらに、調整後の前記第一部分フィルタンリング特性及び前記第二部分フィルタンリング特性を合併して、連続した前記受信端のフィルタンリング特性を得る、装置。
【請求項１５】
請求項13に記載の装置であって、
前記第五確定ユニットは、さらに、
前記第二測定信号及び前記第四測定信号が平坦なパワースペクトル密度を有しない時に、前記第七抽出ユニットが抽出した前記第七パワースペクトル密度から、前記第二測定信号のパワースペクトル密度を除去するための第七除去ユニットを含み、
前記第七取得ユニットは、前記第七除去ユニットの処理後の結果に基づいて、前記第一部分フィルタンリング特性を確定し、
前記第六確定ユニットは、さらに、
前記第二測定信号及び前記第四測定信号が平坦なパワースペクトル密度を有しない時に、前記第八抽出ユニットが抽出した前記第八パワースペクトル密度から、前記第四測定信号のパワースペクトル密度を除去するための第八除去ユニットを含み、
前記第八取得ユニットは、前記第八除去ユニットの処理後の結果に基づいて、前記第二部分フィルタンリング特性を確定する、装置。
【請求項１６】
フィルタンリング特性を測定する装置であって、
第二測定信号が受信端フィルタンリングモジュールを通過した後に得られた第三受信信号のパワースペクトル密度に基づいて、前記受信端のフィルタンリング特性を確定するための第四処理ユニットを含み、
前記第二測定信号の周波数スペクトルは、フィルタンリング特性の全部測定範囲をカバーする、装置。
【請求項１７】
請求項16に記載の装置であって、さらに、
第一測定信号が送信端フィルタンリングモジュール及び受信端フィルタンリングモジュールを通過した後に得られた第四受信信号のパワースペクトル密度に基づいて、前記受信端のフィルタンリング特性及び前記送信端のフィルタンリング特性のジョイントレスポンスを確定するための第五処理ユニットを含み、
前記第一測定信号の周波数スペクトルは、フィルタンリング特性の全部測定範囲をカバーする、装置。
【請求項１８】
請求項5に記載の装置であって、さらに、
前記ジョイントレスポンス及び前記受信端のフィルタンリング特性に基づいて、前記送信端のフィルタンリング特性を確定するための第六処理ユニットを含む、装置。
【請求項１９】
プレイコライザであって、
送信端のフィルタンリング特性を確定するための特性測定ユニットであって、請求項18に記載のフィルタンリング特性の測定装置を含む、特性測定ユニット；及び
前記送信端のフィルタンリング特性に基づいて、前記プレイコライザの係数を確定し、前記プレイコライザの係数を用いて、送信信号に対してプレイコライゼーション処理を行うためのプレイコライゼーションユニットを含む、プレイコライザ。
【請求項２０】
通信装置であって、
前記通信装置は、請求項1に記載のフィルタンリング特性の測定装置を含む、通信装置。
【発明の詳細な説明】
【技術分野】
【０００１】
本発明は、通信技術分野に関し、特に、フィルタンリング特性を測定する方法と装置、プレイコライザ、及び通信装置に関する。
【背景技術】
【０００２】
光通信システムの低コスト化、小型化及び柔軟な配置への要求に伴い、光通信システムの送信機の光、電気帯域幅が各種原因により減少している。今のところ、デジタル領域のプレイコライゼーション（pre-equalization）、プリディストーション（pre-distortion）、プリエンファシス（pre-emphasis）技術を用いて、狭帯域幅の問題を克服することができる。
【０００３】
図1は、従来技術中でデジタルプレイコライゼーション技術を採用する送信機を示す図である。図1に示すように、送信機100は、送信器101、プレイコライザ102、デジタルアナログ変換（DAC）モジュール103、レーザー104及び光変調器105を含む。該光変調器105は、さらに、挿入／抜き出し可能なインタフェース、電気駆動増幅器などを含んでも良い。そのうち、送信器101は、デジタル電気信号を送信する。送信機100の後続の各フィルタンリングモジュール、例えば、デジタルアナログ変換モジュール103や光変調器105の、送信されたデジタル電気信号へのフィルタンリング損傷（フィルタンリングによる損傷）は、プレイコライザ102により前置補償（pre-compensation）される。補償後のデジタル電気信号は、デジタルアナログ変換モジュール103を経てアナログ電気信号に変更され、そして、光変調器105により変調され、光信号として出力される。ここで、送信機におけるプレイコライザ102の後続の各フィルタンリングモジュールによるフィルタンリング損傷を送信端のフィルタンリング特性と称する。
【０００４】
図2は、従来技術における受信機を示す図である。図2に示すように、受信機200は、光コヒーレント復調器201、ローカルレーザー202、アナログデジタル変換（ADC）モジュール203及び受信器204を含む。そのうち、該光コヒーレント復調器は、光混合（photo-mixing）（フィルタンリング損傷を有しない）及び光電変換（フィルタンリング損傷を有する）により構成される。そのうち、送信機100から出力された光信号は、光コヒーレント復調器201を経てアナログ電気信号に復調され、そして、アナログデジタル変換モジュール203を経てデジタル電気信号に変換された後に、該デジタル電気信号は、受信器204により受信される。そのうち、送信機100から出力された光信号は、受信機200のフィルタンリングモジュール、例えば、光コヒーレント復調器201やアナログデジタル変換モジュール203を経た後にフィルタンリング損傷も存在する。ここで、このようなフィルタンリング損傷を受信端のフィルタンリング特性と称する。
【０００５】
今のところ、よくある周波数領域又は時間領域の方法を用いてプレイコライゼーション処理を行うことができる。プレイコライザの係数は、複数種の従来技術、例えば、ゼロフォーシング（zero  forcing）、最小平均二乗誤差（minimum  mean  square  error）などを採用して得ることができる。しかし、これらの方法は、すべて、送信端のフィルタンリング特性を把握する必要がある。
【発明の概要】
【発明が解決しようとする課題】
【０００６】
今のところ、通常、計器を採用して送信端又は受信端のフィルタンリング特性を測定するため、測定コストが高く、且つ大規模の使用が難しい。
【０００７】
本発明の実施例は、フィルタンリング特性を測定する方法と装置、プレイコライザ及び通信装置を提供する。異なるフィルタンリングモジュールを通過し、且つ周波数スペクトル範囲が異なる測定信号を用いて２回測定を行い、送信機及び受信機自体は受信端及び送信端のフィルタンリング特性及びジョイントレスポンスを確定することができるため、追加の計器を用いて測定する必要がなく、これにより、フィルタンリング特性の計器測定による高コスト及び大規模使用不可の問題を避けることができる。
【課題を解決するための手段】
【０００８】
本発明の実施例の上述した目的は、次のような技術案により実現され得る。
【０００９】
本発明の実施例の第一側面によれば、フィルタンリング特性を測定する装置が提供され、そのうち、該装置は、
第一測定信号及び第二測定信号が各自のフィルタンリングモジュールを通過した後に得られた第一受信信号の周波数スペクトルのうちから、該第一測定信号及び該第二測定信号の重なり合わない周波数スペクトル部分に基づいて、受信端の第一部分フィルタンリング特性を確定し、又は、送信端のフィルタンリング特性及び受信端のフィルタンリング特性の第一部分ジョイントレスポンスを確定するための第一確定ユニット；
第三測定信号及び該第二測定信号が各自のフィルタンリングモジュールを通過した後に得られた第二受信信号の周波数スペクトルのうちから、該第三測定信号及び該第二測定信号の重なり合わない周波数スペクトル部分に基づいて、受信端の第二部分フィルタンリング特性を確定し、又は、第四測定信号及び該第一測定信号が各自のフィルタンリングモジュールを通過した後に得られた第二受信信号の周波数スペクトルのうちから、該第四測定信号及び該第一測定信号の重なり合わない周波数スペクトル部分に基づいて、送信端のフィルタンリング特性及び受信端のフィルタンリング特性の第二部分ジョイントレスポンスを確定するための第二確定ユニット；及び
該第一部分フィルタンリング特性及び該第二部分フィルタンリング特性に基づいて、該受信端のフィルタンリング特性を確定し、又は、該第一部分ジョイントレスポンス及び該第二部分ジョイントレスポンスに基づいて、該受信端のフィルタンリング特性及び該送信端のフィルタンリング特性のジョイントレスポンスを確定するための第一処理ユニットを含み、
そのうち、該第一測定信号及び該第三測定信号が通過するフィルタンリングモジュールは、送信端フィルタンリングモジュール及び受信端フィルタンリングモジュールを含み、該第二測定信号及び該第四測定信号が通過するフィルタンリングモジュールは、該受信端フィルタンリングモジュールを含み、該第一測定信号及び該第二測定信号の周波数スペクトル範囲は異なり、該第三測定信号及び該第一測定信号の周波数は、相補的であり、又は、該第四測定信号及び該第二測定信号の周波数は、相補的であり、
該周波数の相補は、２つの測定信号の周波数スペクトル範囲が該フィルタンリング特性の全部測定範囲をカバーし、且つ２つの測定信号が重なり合う周波数点を有することを表し、該第一測定信号、第二測定信号、第三測定信号及び第四測定信号は、連続信号である。
【００１０】
本発明の実施例の第二側面によれば、フィルタンリング特性を測定する装置が提供され、そのうち、該装置は、
第二測定信号が受信端フィルタンリングモジュールを通過した後に得られた第三受信信号のパワースペクトル密度に基づいて、該受信端のフィルタンリング特性を確定するための第四処理ユニットを含む。
【００１１】
本発明の実施例の第三側面によれば、プレイコライザが提供され、そのうち、該プレイコライザは、
上述の第一側面又は第二側面に記載の、フィルタンリング特性を測定する装置を含み、受信端のフィルタンリング特性、又は、送信端のフィルタンリング特性及び受信端のフィルタンリング特性のジョイントレスポンスを確定するための特性測定ユニットであって、該受信端のフィルタンリング特性及び該ジョイントレスポンスに基づいて、該送信端のフィルタンリング特性を確定するための特性測定ユニット；及び
該送信端のフィルタンリング特性に基づいて該プレイコライザの係数を確定し、該プレイコライザの係数を用いて送信信号に対してプレイコライゼーション処理を行うためのプレイコライゼーションユニットを含む。
【００１２】
本発明の実施例の第四側面によれば、通信装置が提供され、そのうち、該通信装置は、上述の第一側面又は第二側面に記載の、フィルタンリング特性を測定する装置を含む。
【００１３】
本発明の実施例の有益な効果は、異なるフィルタンリングモジュールを通過し、且つ周波数スペクトル範囲が異なる測定信号を用いて２回測定を行い、送信機及び受信機自体は、受信端及び送信端のフィルタンリング特性及びジョイントレスポンスを確定することができるため、追加の計器を用いて測定する必要がなく、これにより、フィルタンリング特性の計器測定による高コスト及び大規模使用不可の問題を避けることができる。
【図面の簡単な説明】
【００１４】
【図１】従来技術中でデジタル領域のプレイコライゼーション技術を採用する光送信機を示す図である。
【図２】従来技術における受信機を示す図である。
【図３】実施例1におけるフィルタンリング特性の測定方法のフローチャートである。
【図４】実施例1におけるジョイントレスポンスの確定方法のフローチャートである。
【図５】実施例1における第一測定信号のパワースペクトル密度を示す図である。
【図６】実施例1における第二測定信号のパワースペクトル密度を示す図である。
【図７】実施例1における第三測定信号パワースペクトル密度を示す図である。
【図８】実施例1における第一受信信号のパワースペクトル密度を示す図である。
【図９】実施例1における第二受信信号のパワースペクトル密度を示す図である。
【図１０】実施例2におけるフィルタンリング特性の測定方法のフローチャートである。
【図１１】実施例2における受信端のフィルタンリング特性の確定方法のフローチャートである。
【図１２】実施例3におけるフィルタンリング特性の測定方法のフローチャートである。
【図１３】実施例4におけるフィルタンリング特性の測定装置を示す図である。
【図１４】実施例4における第一処理ユニットを示す図である。
【図１５】実施例4における第二処理ユニットを示す図である。
【図１６】実施例4におけるフィルタンリング特性の測定装置のハードウェアを示す図である。
【図１７】実施例5における第一処理ユニットを示す図である。
【図１８】実施例5における第二処理ユニットを示す図である。
【図１９】実施例6におけるフィルタンリング特性の測定装置を示す図である。
【図２０】実施例7における通信システムの一実施方式を示す図である。
【図２１】実施例7における通信システムの他の実施方式を示す図である。
【図２２】実施例7における送受信機を示す図である。
【図２３】実施例8における通信装置を示す図である。
【図２４】実施例9におけるフィルタンリング特性の測定装置を示す図である。
【図２５】実施例9におけるフィルタンリング特性の測定装置を示す図である。
【図２６】実施例10におけるフィルタンリング特性の測定装置を示す図である。
【図２７】実施例10におけるフィルタンリング特性の測定装置を示す図である。
【図２８】実施例11におけるプレイコライザを示す図である。
【発明を実施するための形態】
【００１５】
以下、添付した図面を参照しながら、本発明を実施するための形態を詳細に説明する。
【００１６】
実施例では、送信端のフィルタンリング特性とは、送信機のフィルタンリングモジュール又は送受信機の送信端フィルタンリングモジュールによるフィルタンリング損傷を指し、G(f)で表される。受信端のフィルタンリング特性とは、受信機のフィルタンリングモジュール又は送受信機の受信端フィルタンリングモジュールによるフィルタンリング損傷を指し、H(f)で表される。
【００１７】
実施例では、送信端のフィルタンリング特性及び受信端のフィルタンリング特性のジョイントレスポンスとは、送信機及び受信機のフィルタンリングモジュールによるジョイントフィルタンリング損傷、又は、送受信機の送信端及び受信端のフィルタンリングモジュールによるジョイントフィルタンリング損傷を指し、G(f)H(f)で表される。
【００１８】
実施例では、フィルタンリング特性G(f)、H(f)及びG(f)H(ｆ)は、各フィルタンリングモジュールの振幅周波数（amplitude-frequency）特性（フィルタンリング特性の形状）を含み、そのうち、｜G(f)｜、｜H(f)｜及び｜G(f)H(ｆ)｜を以て、対応する振幅周波数特性を表す。
【００１９】
従来技術では、通常、計器を採用して送信端又は受信端のフィルタンリング特性を測定するため、測定コストが高く、且つ大規模の使用が困難である。本発明の実現過程では、発明者は、研究により次のようなことを発見した。即ち、異なるフィルタンリングモジュールの２つの測定信号の重なり合わない周波数スペクトルを用いて２回測定を行うことで、受信端のフィルタンリング特性H(f)又はジョイントレスポンスG(f)H(f)を確定し、これにより、送信端のフィルタンリング特性G(f)を確定することができ、そのうち、１つの測定信号の周波数スペクトル範囲は、フィルタンリング特性の全部測定範囲をカバーし、もう１つの測定信号は、２回測定時の周波数が相補的である。そのうち、周波数の相補は、２つの測定信号の周波数スペクトル範囲がフィルタンリング特性の全部測定範囲をカバーし、且つ２つの測定信号が重なり合う周波数点を有することを表し、例えば、１つの測定信号の周波数スペクトル範囲が[0,f1]であり、他の測定信号の周波数スペクトル範囲が[f1,fs/2]であり、[0,fs/2]がフィルタンリング特性の全部測定範囲をカバーする場合、上述の２つの測定信号周波数は、相補的であり（そのうち、f1及びfs/2は、ニーズに応じて、任意の値に設定されても良い）、且つ全部の測定信号は、連続信号である。
【００２０】
以下、送信端フィルタンリングモジュール及び受信端フィルタンリングモジュールを通過する第一測定信号の周波数スペクトル範囲がフィルタンリング特性の全部測定範囲をカバーし、且つ受信端フィルタンリングモジュールを通過する第二測定信号及び第四測定信号周波数が相補的であること、及び、受信端フィルタンリングモジュールを通過する第二測定信号の周波数スペクトル範囲がフィルタンリング特性の全部測定範囲をカバーし、且つ送信端フィルタンリングモジュール及び受信端フィルタンリングモジュールを通過する第一測定信号及び第三測定信号の周波数が相補的であることをそれぞれ例として説明を行う。
【実施例１】
【００２１】
本発明の実施例1は、フィルタンリング特性の測定方法を提供する。本実施例では、該第二測定信号の周波数スペクトル範囲は、フィルタンリング特性の全部測定範囲をカバーし、且つ該第一測定信号及び第三測定信号周波数は、相補的である。
【００２２】
図3は、本発明の実施例1におけるフィルタンリング特性の測定方法のフローチャートである。図3に示すように、該方法は、次のようなステップを含む。
【００２３】
ステップ301：第一測定信号及び第二測定信号を送信し；
本実施例では、該第一測定信号及び第二測定信号は、周波数スペクトル範囲が異なり、且つ連続信号である。そのうち、該連続信号は、平坦なパワースペクトル密度を有するガウスワイトノイズ（例えば、エルビウム添加光ファイバアンプにより生成されたASE（amplified  spontaneous  emission）ノイズ）であっても良いが、上述の信号に限定されず、即ち、該連続信号は、周波数スペクトル形状が既知である任意の信号であっても良く、例えば、ナイキストパルス信号などであっても良い。
【００２４】
ステップ302：該第一測定信号は、送信端フィルタンリングモジュール及び受信端フィルタンリングモジュールを通過し、該第二測定信号は、該受信端フィルタンリングモジュールを通過し；
本実施例では、該第二測定信号は、該第一測定信号が該送信端フィルタンリングモジュールを通過した後に、該第一測定信号と重ね合わせて、一緒に送信される。同じ受信端フィルタンリングモジュールを通過した後に得られた信号は、第一受信信号と称され、例えば、該第一測定信号及び該第二測定信号がそれぞれS1(f)及びS2(f)で表され、該第一受信信号がR1(f)で表される場合、該受信信号R1(f)=S1(f)G(f)H(f)+S2(f)H(f)である。
【００２５】
ステップ303：該第一受信信号の周波数スペクトルのうちから、該第一測定信号及び該第二測定信号の重なり合わない周波数スペクトル部分に基づいて、受信端の第一部分フィルタンリング特性H1(f)を確定し；
本実施例では、該第一測定信号及び該第二測定信号の周波数スペクトル範囲が異なるので、重ね合わせた第一測定信号及び第二測定信号を分離しやすい。このように、該第一測定信号及び該第二測定信号の重なり合わない周波数スペクトルを用いてH1(f)を確定することができ、該重なり合わない周波数スペクトル部分は、S2(f)H(f)の、該第一測定信号及び該第二測定信号の重なり合わない周波数スペクトル上でのレスポンスである。
【００２６】
ステップ304：第三測定信号及び該第二測定信号を送信し；
本実施例では、該第三測定信号及び第二測定信号は、周波数スペクトル範囲が異なり、該第三測定信号及び第一測定信号は、周波数が相補的であり、且つ連続信号である。
【００２７】
ステップ305：該第三測定信号は、送信端フィルタンリングモジュール及び受信端フィルタンリングモジュールを通過し、該第二測定信号は、該受信端フィルタンリングモジュールを通過し；
本実施例では、該第二測定信号は、該第三測定信号が該送信端フィルタンリングモジュールを通過した後に、該第三測定信号と重ね合わせて、一緒に送信される。同じ受信端フィルタンリングモジュールを通過した後に得られた信号は、第二受信信号と称される。例えば、該第三測定信号及び第二測定信号がそれぞれS3(f)及びS2(f)で表され、該第二受信信号がR2(f)で表される場合、該受信信号R2(f)=S3(f)G(f)H(f)+S2(f)H(f)である。
【００２８】
ステップ306：該第二受信信号の周波数スペクトルのうちから、該第三測定信号及び第二測定信号の重なり合わない周波数スペクトル部分に基づいて、受信端の第二部分フィルタンリング特性H2(f)を確定し；
本実施例では、該第三測定信号及び第二測定信号の周波数スペクトル範囲が異なるので、重ね合わせた第三測定信号及び第二測定信号を分離しやすい。このように、該第三測定信号及び該第二測定信号の重なり合わない周波数スペクトルを用いてH2(f)を確定することができ、該重なり合わない周波数スペクトル部分は、S2(f)H(f)の、該第三測定信号及び該第二測定信号の重なり合わない周波数スペクトル上でのレスポンスである。
【００２９】
ステップ307：該第一部分フィルタンリング特性及び該第二部分フィルタンリング特性に基づいて、該受信端のフィルタンリング特性を確定する。
【００３０】
本実施例から分かるように、異なるフィルタンリングモジュールを通過し、且つ周波数スペクトル範囲が異なる測定信号を用いて２回測定を行い、送信機及び受信機自体は、受信端及び送信端のフィルタンリング特性及びジョイントレスポンスを確定することができるため、追加の計器を用いて測定する必要がなく、これにより、フィルタンリング特性の計器測定による高コスト及び大規模使用不可の問題を避けることができる。
【００３１】
本実施例では、ステップ301及び304において、送信機又は送受信機の送信器を採用して該第一測定信号、第二測定信号及び第三測定信号を送信することができ、ステップ302及び305において、該送信端フィルタンリングモジュールは、測定待ち送信端のフィルタンリング特性の送信機又は送受信機の送信端フィルタンリングモジュールであり、該受信端フィルタンリングモジュールは、測定待ち受信端のフィルタンリング特性の受信機又は送受信機の受信端フィルタンリングモジュールである。図1に示す送信機を例とすると、該受信端のフィルタンリング特性を測定する時に、まず、送信機100のプレイコライザ102を稼働させず、送信器101に、それぞれ、第一測定信号及び第三測定信号をデジタルアナログ変換モジュール103に送信させ、及び、第二測定信号を光コヒーレント復調器201に送信させる。
【００３２】
本実施例では、ステップ301及び304において、上述の第一測定信号、第三測定信号及び第二測定信号を送信する時に、送信機又は送受信機の既存の送信器を再利用するが、その代わりに、専用のもう１つの送信器を用いて上述の第一測定信号、第三測定信号又は第二測定信号を送信することもできる。その後、該第一測定信号及び第三測定信号を、プレイコライザを通過せず、送信端及び受信端フィルタンリングモジュールを通過させ、該第二測定信号を受信端フィルタンリングモジュールを通過させる。
【００３３】
本実施例では、ステップ303及びステップ306は、次のような方式で受信端の部分フィルタンリング特性を得ることができる。そのうち、第一測定信号の周波数スペクトル範囲は、[0,f1]であり、第三測定信号の周波数スペクトル範囲は、[f1,fs/2]であり、第二測定信号の周波数スペクトル範囲は、[0,fs/2]であるが、本実施例は、これに限定されず、例えば、該第一測定信号及び第三測定信号の周波数スペクトル範囲は、交換することもできる。
【００３４】
ステップ303における第一回測定では、該第一受信信号のパワースペクトル密度を計算し、該第一受信信号のパワースペクトル密度の周波数スペクトルのうちから、該第一測定信号及び該第二測定信号の重なり合わない周波数スペクトル部分の第一パワースペクトル密度を抽出することで、受信端の第一部分フィルタンリング特性を取得する。
【００３５】
そのうち、該第一測定信号の周波数スペクトル範囲が全部測定範囲の一部のみカバーし、該第二測定信号の周波数スペクトル範囲が全部測定範囲をカバーするので、第一測定信号及び第二測定信号の重なり合わない周波数スペクトル部分は、第二測定信号の周波数スペクトルから第一測定信号の周波数スペクトル部分を除去した後の部分に相当する。また、該第二測定信号が受信端のフィルタンリングモジュールのみ通過したので、抽出された第一パワースペクトル密度は、N|H(f)|2(f∈[f1,fs/2])であり、Nは、第二測定信号パワースペクトル密度の値である。また、各周波数点の相対レスポンスだけが重要であるので、第二測定信号が平坦な（各周波数コンポーネントのパワースペクトル密度が一様であり、又は、各周波数コンポーネントの振幅周波数レスポンスが一様である）パワースペクトル密度を有する時に、Nを知る必要がなく、該第一パワースペクトル密度N|H(f)|2を開法計算後の結果を受信端の第一部分フィルタンリング特性とすることができ、又は、Nが既知の値であるため、第一パワースペクトル密度N|H(f)|2からNを除去した後に開法計算することで、受信端の第一部分フィルタンリング特性（振幅周波数特性）|H(f)|（f∈[f1,fs/2]）を得ることもできる。
【００３６】
ステップ306における第二回測定では、該第二受信信号のパワースペクトル密度を計算し、該第二受信信号のパワースペクトル密度の周波数スペクトルのうちから、該第三測定信号及び第二測定信号の重なり合わない周波数スペクトル部分の第二パワースペクトル密度を抽出することで、受信端の第二部分フィルタンリング特性を得ることができる。
【００３７】
そのうち、該第三測定信号の周波数スペクトル範囲が全部測定範囲の他の部分のみカバーし、第二測定信号の周波数スペクトル範囲が全部測定範囲をカバーするので、第三測定信号及び第二測定信号の重なり合わない周波数スペクトル部分は、第二測定信号の周波数スペクトルから第三測定信号の周波数スペクトル部分を除去した後の部分に相当し、また、該第二測定信号が受信端のフィルタンリングモジュールのみ通過したので、抽出された第二パワースペクトル密度は、N|H(f)|2(f∈[0,f1])である。該第二パワースペクトル密度に基づいて、受信端の第二部分フィルタンリング特性（振幅周波数特性）|H(f)|（f∈[0,f1]）を得ることができる。なお、具体的な実施方式は、該第一部分フィルタンリング特性の取得方法と同じであるので、ここでは、その詳しい説明を省略する。
【００３８】
ステップ307では、第一部分フィルタンリング特性及び第二部分フィルタンリング特性に基づいて、受信端のフィルタンリング特性を確定する。
【００３９】
例えば、第一パワースペクトル密度及び第二パワースペクトル密度を統合することにより、受信端の全部測定範囲上での|H(f)|を得ることができる。
【００４０】
１つの実施方式では、第一部分フィルタンリング特性及び第二部分フィルタンリング特性の重なり合う周波数点の処におけるレスポンスが同じである時に、第一部分フィルタンリング特性及び第二部分フィルタンリング特性を直接合併することで、連続した前記フィルタンリング特性を得ることができる。
【００４１】
他の実施方式では、第一部分フィルタンリング特性及び第二部分フィルタンリング特性の重なり合う周波数点の処におけるレスポンスが異なる時に、第一部分フィルタンリング特性及び第二部分フィルタンリング特性の重なり合う周波数点の処におけるレスポンスを同じであるように調整し、そして、調整後の第一部分フィルタンリング特性及び第二部分フィルタンリング特性を合併することで、連続した前記フィルタンリング特性を得ることもできる。
【００４２】
本実施例では、オプションとして、該方法は、さらに、送信端のフィルタンリング特性及び受信端のフィルタンリング特性のジョイントレスポンスを確定することを含んでも良い。
【００４３】
図4は、本実施例におけるジョイントレスポンスの確定方法のフローチャートである。図4に示すように、該方法は、次のようなステップを含む。
【００４４】
ステップ401：第一受信信号のパワースペクトル密度の周波数スペクトルのうちから、第一測定信号及び第二測定信号の重なり合う周波数スペクトル部分に基づいて、受信端のフィルタンリング特性及び送信端のフィルタンリング特性の第一部分ジョイントレスポンスを確定し；
ステップ402：第二受信信号のパワースペクトル密度の周波数スペクトルのうちから、第三測定信号及び第二測定信号の重なり合う周波数スペクトル部分に基づいて、受信端のフィルタンリング特性及び送信端のフィルタンリング特性の第二部分ジョイントレスポンスを確定し；
ステップ403：該第一部分ジョイントレスポンス及び該第二部分ジョイントレスポンスに基づいて、該ジョイントレスポンスを確定する。
【００４５】
ステップ401における第一回測定では、該第一測定信号の周波数スペクトル範囲が全部測定範囲の一部のみカバーし、第二測定信号の周波数スペクトル範囲が全部測定範囲をカバーするので、第一測定信号及び第二測定信号の重なり合う周波数スペクトル部分は、第一測定信号の周波数スペクトル部分に相当し、また、該第一測定信号が送信端及び受信端の各フィルタンリングモジュールを通過したので、第一受信信号のパワースペクトル密度の周波数スペクトルから抽出された第一測定信号及び第二測定信号の重なり合う周波数スペクトル部分の第三パワースペクトル密度は、A|G(f)H(f)|2（f∈[0,f1]）であり、Aは、第一測定信号パワースペクトル密度の値である。また、各周波数点の相対レスポンスだけが重要であるので、第一測定信号が平坦なパワースペクトル密度を有する時に、Aを知る必要がなく、該第三パワースペクトル密度を開法計算後の結果を該第一部分ジョイントレスポンスとすることができ、又は、Aが既知の値であるので、第三パワースペクトル密度からAを除去した後に開法計算することで、第一部分ジョイントレスポンス（振幅周波数特性）|G(f)H(f)|（f∈[0,f1]）を得ることもできる。
【００４６】
ステップ402における第二回測定では、該第三測定信号の周波数スペクトル範囲が全部測定範囲の他の部分のみカバーし、第二測定信号の周波数スペクトル範囲が全部測定範囲をカバーするので、第三測定信号及び第二測定信号の重なり合う周波数スペクトル部分は、第三測定信号の周波数スペクトル部分に相当し、また、該第三測定信号が送信端及び受信端の各フィルタンリングモジュールを通過したので、第二受信信号のパワースペクトル密度の周波数スペクトルから抽出された第三測定信号及び第二測定信号の重なり合う周波数スペクトル部分の第四パワースペクトル密度は、B|G(f)H(f)|2（f∈[f1,fs/2]）であり、Bは、第三測定信号パワースペクトル密度の値である。また、各周波数点の相対レスポンスだけが重要であるので、第三測定信号が平坦なパワースペクトル密度を有する時に、Bを知る必要がなく、該第四パワースペクトル密度を開法計算後の結果を該第二部分ジョイントレスポンスとすることができ、又は、Bが既知の値であるため、第四パワースペクトル密度からBを除去した後に開法計算することで、第二部分ジョイントレスポンス（振幅周波数特性）|G(f)H(f)|（f∈[f1,fs/2]）を得ることもできる。
【００４７】
ステップ403では、該第三パワースペクトル密度及び第四パワースペクトル密度を統合することにより、全部測定範囲上でのジョイントレスポンス|G(f)H(f)|を得ることができる。
【００４８】
１つの実施方式では、該第一部分ジョイントレスポンス及び該第二部分ジョイントレスポンスの重なり合う周波数点の処におけるレスポンスが同じである時に、該第一部分ジョイントレスポンス及び該第二部分ジョイントレスポンスを直接合併することで、連続したジョイントレスポンスを得ることができる。
【００４９】
他の実施方式では、該第一部分ジョイントレスポンス及び該第二部分ジョイントレスポンスの重なり合う周波数点の処におけるレスポンスが異なる時に、該第一部分ジョイントレスポンス及び該第二部分ジョイントレスポンスの重なり合う周波数点の処におけるレスポンスを同じであるように調整し、調整後の第一部分ジョイントレスポンス及び第二部分ジョイントレスポンスを合併することで、連続したジョイントレスポンスを得ることもできる。
【００５０】
本実施例では、該第一測定信号、第二測定信号及び第三測定信号の周波数スペクトルは、任意の形状に設定されても良いが、測定する必要のある周波数スペクトル範囲上では、ゼロと設定することができず、また、該第一測定信号、第二測定信号及び第三測定信号が平坦なパワースペクトル密度を有しない時に、ステップ303及び306では、第一パワースペクトル密度及び第二パワースペクトル密度から該第二測定信号のパワースペクトル密度を除去することで、第一部分フィルタンリング特性及び第二部分フィルタンリング特性を得る必要があり、ステップ401では、該第三パワースペクトル密度から該第一測定信号のパワースペクトル密度Aを除去することで、第一部分ジョイントレスポンスを確定する必要があり、ステップ402では、該第四パワースペクトル密度から第三測定信号のパワースペクトル密度Bを除去することで、第二部分ジョイントレスポンスを確定する必要がある。
【００５１】
本実施例では、測定の正確性の向上のために、送信機及び受信機又は送受信機の各フィルタンリング特性を測定する時に、１つの実施方式では、送信端レーザー及びローカルレーザーが同じ周波数を有するように設定し、他の実施方式では、送信端レーザー及びローカルレーザーが周波数の差Δfを有する時に、従来の技術（例えば、Lei  Li、  “Wide-range，Accurate  and  Simple  Digital  Frequency  Offset  Compensator  for  Optical  Coherent  Receivers”、OFC2008  OWT4）により該周波数の差Δfを推定し、そして、Δfの影響を除去することができ、また、レーザーの相位ノイズを除去することもできる。
【００５２】
本実施例では、該第二測定信号がASEノイズである時に、測定の正確性の向上のために、第一受信信号をMブロックに分割することができる。そのうち、各ブロック内は、時間的に連続したサンプルであり、ブロック長さは、第一測定信号の周期の長さの整数倍であり、ブロック間の信号に対して加算を行って平均することで、ASEノイズの干渉を抑制することができる。
【００５３】
本実施例では、該受信端のフィルタンリング特性及び該ジョイントレスポンスを確定した後に、送信端のフィルタンリング特性を確定することができる。
【００５４】
本実施例では、該ジョイントレスポンスを受信端のフィルタンリング特性で割ることで、該送信端のフィルタンリング特性を得ることができる。
【００５５】
以下、具体的な実例に基づいて図面を参照しながら、如何に受信端及び送信端のフィルタンリング特性及びジョイントレスポンスを確定するかを説明する。
【００５６】
本実施例では、図5は、該第一測定信号のパワースペクトルを示す図である。図6は、該第二測定信号のパワースペクトルを示す図である。図7は、該第三測定信号のパワースペクトルを示す図である。図8は、該第一受信信号のパワースペクトルを示す図である。図9は、該第二受信信号のパワースペクトルを示す図である。
【００５７】
図5、6、8に示すように、該第一測定信号は、平坦な周波数スペクトルを有するナイキストパルス信号であり、そのパワースペクトルの周波数スペクトル範囲は、[0,f1]であり、該第二測定信号は、ASEノイズであり、そのパワースペクトルの周波数スペクトル範囲は、[0,fs/2]である。第一測定信号及び第二測定信号が各自のフィルタンリングモジュールを通過した後に、第一受信信号を得ることができる。
【００５８】
第一回測定時に、該第一受信信号のパワースペクトル密度を計算し、また、第一測定信号の周波数範囲内（第一測定信号及び第二測定信号の重なり合う周波数スペクトル部分）のパワースペクトル密度
（外１）
2017108406.tif 000003
を抽出し、これにより、第一部分ジョイントレスポンスを取得し、そのうち、測定の正確性の向上のために、該ローカルレーザー及び送信レーザー間の周波数の差Δfを0と設定しても良く、又は、ローカルレーザー及び送信レーザー間の周波数の差Δfを推定して除去し、また、各レーザーの相位ノイズを除去しても良い。また、該第一受信信号を処理することで、ASEノイズの干渉を抑制することもでき、その具体的な処理方式は、上述のようであるので、ここでは、重複説明を省略する。また、処理後の第一受信信号のパワースペクトル密度を、該第一部分ジョイントレスポンスを確定するために計算し、また、第一測定信号が平坦なパワースペクトル密度を有しない時に、さらに、
（外２）
2017108406.tif 000004
から
（外３）
2017108406.tif 000005
を除去した後に開法計算することで、第一部分ジョイントレスポンス|G(f)H(f+Δf)|を得る必要がある。また、第一測定信号の周波数範囲外の[f1,fs/2]内のパワースペクトル密度を抽出し、それは、受信端を通過したASEノイズのみ含むので、N|H(f)|2（f∈[f1,fs/2]）と表されても良く、また、Nが定数であるため、受信端の第一部分フィルタンリング特性又は形状|H(f)|を得ることができ、即ち、該第一回測定では、|G(f)H(f+Δf)|（f∈[f0,f1]）及び|H(f)|（f∈[f1,fs/2]）を取得した。
【００５９】
図6、7及び9に示すように、該第三測定信号は、平坦な周波数スペクトルを有するナイキストパルス信号であり、そのパワースペクトルの周波数スペクトル範囲は、[f1,fs/2]であり、該第三測定信号の周波数スペクトル形状は、第一測定信号の周波数スペクトルの形状と同じであっても良く異なっても良い。また、図6中の該第二測定信号のパワースペクトル密度の大小（値）は、変わっても良く変わらなくても良い。第三測定信号及び第二測定信号が各自のフィルタンリングモジュールを通過した後に、第二受信信号を得ることができる。
【００６０】
第一回測定と同様に、第二回測定時に、該第二受信信号のパワースペクトル密度を計算し、該第三測定信号周波数範囲内（第三測定信号及び第二測定信号の重なり合う周波数スペクトル部分）のパワースペクトル密度
（外４）
2017108406.tif 000006
を抽出することで、第二部分ジョイントレスポンスを得ることができる。そのうち、測定の正確性の向上のために、該ローカルレーザー及び送信レーザー間の周波数の差Δfを0に設定しても良く、又は、ローカルレーザー及び送信レーザー間の周波数の差Δfを推定して除去し、また、各レーザーの相位ノイズを除去しても良い。また、該第二受信信号に対して処理を行い、ASEノイズの干渉を抑制しても良く、その具体的な処理方式は、上述のようであるので、ここでは、重複説明を省略する。また、処理後の第二受信信号のパワースペクトル密度を、該第二部分ジョイントレスポンスを確定するために計算し、また、第三測定信号周波数範囲外の[0,f1]内のパワースペクトル密度を抽出し、それは、受信端を通過したASEノイズのみ含むため、N|H(f)|2（f∈[0,f1]）と表されても良い。Nが既知であるため、受信端の第二部分フィルタンリング特性|H(f)|を得ることができ、即ち、第二回測定では、|G(f)H(f+Δf)|（f∈[f1,fs/2]）及び|H(f)|（f∈[0,f1]）を取得した。
【００６１】
２回の測定結果を合併する時に、同一フィルタンリング特性について２つの部分の境界f1の処におけるレスポンスが同じである場合、直接合併すれば良いが、そうでない場合、２つの部分の境界f1の処におけるレスポンスを同じであるように調整する必要があり、これにより、全部周波数測定範囲内での連続したレスポンス値を得ることができる。以下、例を挙げて、境界f1のレスポンス値の調整方法を説明する。
【００６２】
第一部分レスポンスC1(f)（f∈[0,f1]）及び第二部分レスポンスC2(f)（f∈[f1,fs/2]）について、そのうち、C1(f)及びC2(f)は、受信端の部分フィルタンリング特性又は部分ジョイントレスポンスであっても良く、比例定数k=C1(f)／C2(f)を計算し、合併後の連続レスポンスは、C(f)=C1(f)+kC2(f)（f∈[0,fs/2]）である。
【００６３】
また、Δf及びH(f)が既知であるので、|G(f)H(f+Δf)|を|H(f+Δf)|で割ることで、送信端のフィルタンリング特性|G(f)|を得ることができる。
【００６４】
本実施例では、オプションとして、ステップ301、302及びステップ304、305において、送信機、受信機又は送受信機の送信器及びフィルタンリングモジュールを使用する時に、該方法は、さらに、送信機又は送受信機のプレイコライザを、該プレイコライザが作動しないように設定することを含んでも良い。
【００６５】
本実施例から分かるように、異なるフィルタンリングモジュールを通過し、且つ周波数スペクトル範囲が異なる測定信号を用いて２回測定を行い、送信機及び受信機自体は受信端及び送信端のフィルタンリング特性及びジョイントレスポンスを確定することができるため、追加の計器を用いて測定する必要がなく、これによりフィルタンリング特性の計器測定による高コスト及び大規模使用不可の問題を避けることができる。
【実施例２】
【００６６】
本発明の実施例2は、フィルタンリング特性の測定方法を提供する。本実施例と実施例1との異なる点は、本実施例において、該第一測定信号の周波数スペクトル範囲がフィルタンリング特性の全部測定範囲をカバーし、該第二測定信号及び第四測定信号周波数が相補的であることにある。
【００６７】
図10は、本発明の実施例2におけるフィルタンリング特性の測定方法のフローチャートである。図10に示すように、該方法は、次のようなステップを含む。
【００６８】
ステップ1001：第一測定信号及び第二測定信号を送信し；
本実施例では、該第一測定信号及び該第二測定信号は、周波数スペクトル範囲が異なり、且つ連続信号であり、そのうち、該連続信号の具体的な実施方式については、実施例1を参照することができるため、ここでは、詳しい説明を省略する。
【００６９】
ステップ1002：該第一測定信号は、送信端フィルタンリングモジュール及び受信端フィルタンリングモジュールを通過し、該第二測定信号は、該受信端フィルタンリングモジュールを通過し；
本実施例では、ステップ1001及びステップ1002の具体的な実施方式は、実施例1のステップ301及び302と同じであるため、ここでは、詳しい説明を省略する。
【００７０】
ステップ1003：該第一受信信号の周波数スペクトルのうちから、該第一測定信号及び該第二測定信号の重なり合わない周波数スペクトル部分に基づいて、送信端のフィルタンリング特性及び受信端のフィルタンリング特性の第一部分ジョイントレスポンスG1(f)H1(f)を確定し；
本実施例では、該第一測定信号及び該第二測定信号の周波数スペクトル範囲が異なるため、重ね合わせた第一測定信号及び第二測定信号を分離しやすい。このように、該第一測定信号及び該第二測定信号の重なり合わない周波数スペクトルに基づいて、G1(f)H1(f)を確定することができ、該重なり合わない周波数スペクトル部分は、S1(f)G(f)H(f)の、該第一測定信号及び該第二測定信号の重なり合わない周波数スペクトル上でのレスポンスである。
【００７１】
ステップ1004：該第一測定信号及び第四測定信号を送信し；
本実施例では、該第四測定信号及び該第一測定信号は、周波数スペクトル範囲が異なり、該第四測定信号及び該第二測定信号は、周波数が相補的であり、且つ連続信号である。
【００７２】
ステップ1005：該第一測定信号は、送信端フィルタンリングモジュール及び受信端フィルタンリングモジュールを通過し、該第四測定信号は、該受信端フィルタンリングモジュールを通過し；
本実施例では、該第四測定信号は、該第一測定信号が該送信端フィルタンリングモジュールを通過した後に、該第一測定信号と重ね合わせて、一緒に送信される。同じ受信端フィルタンリングモジュールを通過した後に得られた信号は、第二受信信号と称される。例えば、該第四測定信号及び第一測定信号がそれぞれS4(f)及びS1(f)で表され、該第二受信信号がR2(f)で表される場合、該受信信号R2(f)=S1(f)G(f)H(f)+S4(f)H(f)である。
【００７３】
ステップ1006：該第二受信信号の周波数スペクトルのうちから、該第一測定信号及び第四測定信号の重なり合わない周波数スペクトル部分に基づいて、送信端のフィルタンリング特性及び受信端のフィルタンリング特性の第二部分ジョイントレスポンスG2(f)H2(f)を確定し；
本実施例では、該第一測定信号及び第四測定信号の周波数スペクトル範囲が異なるので、重ね合わせた第一測定信号及び第四測定信号を分離しやすい。このように、該第一測定信号及び該第四測定信号の重なり合わない周波数スペクトルを用いてG2(f)H2(f)を確定することができる。該重なり合わない周波数スペクトル部分は、S1(f)G2(f)H2(f)の、該第一測定信号及び該第四測定信号の重なり合わない周波数スペクトル上でのレスポンスである。
【００７４】
ステップ1007：該第一部分ジョイントレスポンス及び該第二部分ジョイントレスポンスに基づいて、該ジョイントレスポンスを確定する。
【００７５】
本実施例から分かるように、異なるフィルタンリングモジュールを通過し、且つ周波数スペクトル範囲が異なる測定信号を用いて２回測定を行い、送信機及び受信機自体は、ジョイントレスポンスG(f)H(f)を確定することができるため、追加の計器を用いて測定する必要がなく、これにより、フィルタンリング特性の計器測定による高コスト及び大規模使用不可の問題を避けることができる。
【００７６】
本実施例では、ステップ1001及び1004において、送信機又は送受信機の送信器を用いて該第一測定信号、第二測定信号及び第四測定信号を送信することができ、ステップ1002及び1005において、該送信端フィルタンリングモジュールは、測定待ち送信端のフィルタンリング特性の送信機又は送受信機の送信端フィルタンリングモジュールであり、該受信端フィルタンリングモジュールは、測定待ち受信端のフィルタンリング特性の受信機又は送受信機の受信端フィルタンリングモジュールである。図1に示す送信機を例とすると、該受信端のフィルタンリング特性を測定する時に、まず、送信機100のプレイコライザ102が作動しないようにさせ、そして、送信器101は、それぞれ、第一測定信号をデジタルアナログ変換モジュール103に送信し、及び、第二測定信号と第四測定信号を光コヒーレント復調器201に送信する。
【００７７】
本実施例では、ステップ1001及び1004において上述の第一測定信号、第四測定信号及び第二測定信号を送信する時に、送信機又は送受信機の既存の送信器を再利用するが、その代わりに、専用のもう１つの送信器を以て上述の第一測定信号、第四測定信号又は第二測定信号を送信しても良い。その後、該第一測定信号を、プレイコライザを通過させず、送信端及び受信端フィルタンリングモジュールを通過させ、該第二測定信号及び第四測定信号を受信端フィルタンリングモジュールを通過させる。
【００７８】
本実施例では、ステップ1003及びステップ1006において、次のような方式で、受信端の部分フィルタンリング特性を得ることができ、そのうち、該第二測定信号の周波数スペクトル範囲は、[0,f1]であり、該第四測定信号の周波数スペクトル範囲は、[f1,fs/2]であり、該第一測定信号の周波数スペクトル範囲は、[0,fs/2]であるが、本実施例は、これに限定されず、例えば、該第二測定信号及び第四測定信号の周波数スペクトル範囲は、交換することもできる。
【００７９】
ステップ1003の第一回測定では、該第一受信信号のパワースペクトル密度を計算し、該第一受信信号のパワースペクトル密度の周波数スペクトルのうちから、該第一測定信号及び該第二測定信号の重なり合わない周波数スペクトル部分の第五パワースペクトル密度を抽出して、第一部分ジョイントレスポンスを得ることができる。
【００８０】
そのうち、該第二測定信号の周波数スペクトル範囲が全部測定範囲の一部分のみカバーし、該第一測定信号の周波数スペクトル範囲が全部測定範囲をカバーするので、該第一測定信号及び該第二測定信号重のなり合わない周波数スペクトル部分は、該第一測定信号の周波数スペクトルから該第二測定信号の周波数スペクトル部分を除去した後の部分に相当する。該第二測定信号が受信端のフィルタンリングモジュールのみ通過したので、抽出された第五パワースペクトル密度は、N|G(f)H(f)|2（f∈[f1,fs/2]）であり、Nは、第一測定信号パワースペクトル密度の値である。各周波数点の相対レスポンスだけが重要であるので、第一測定信号が平坦なパワースペクトル密度を有する時に、Nを知る必要がなく、該第五パワースペクトル密度を開法計算後の結果を該第一部分ジョイントレスポンスとすることができ、又は、Nが既知の値であるため、第五パワースペクトル密度からNを除去して開法計算を行うことで、第一部分ジョイントレスポンス|G(f)H(f)|（f∈[f1,fs/2]）を得ることもできる。
【００８１】
ステップ1006の第二回測定では、該第二受信信号のパワースペクトル密度を計算し、該第二受信信号のパワースペクトル密度の周波数スペクトルのうちから、該第一測定信号及び第四測定信号の重なり合わない周波数スペクトル部分の第六パワースペクトル密度を抽出して、第二部分ジョイントレスポンスを得ることができる。
【００８２】
そのうち、該第四測定信号の周波数スペクトル範囲が全部測定範囲の他の部分のみカバーし、該第一測定信号の周波数スペクトル範囲が全部測定範囲をカバーするので、該第四測定信号及び該第一測定信号の重なり合わない周波数スペクトル部分は、該第一測定信号の周波数スペクトルから該第四測定信号の周波数スペクトル部分を除去した後の部分に相当する。該第四測定信号が受信端のフィルタンリングモジュールのみ通過したので、抽出された第六パワースペクトル密度は、N|G(f)H(f)|2（f∈[0,f1]）であり、該第六パワースペクトル密度に基づいて得られた第二部分ジョイントレスポンスは、|G(f)H(f)|（f∈[0,f1]）である。なお、具体的な実施方式は、該第一部分ジョイントレスポンスの取得方法と同じであるため、ここでは、詳しい説明を省略する。
【００８３】
ステップ1007では、該第一部分ジョイントレスポンス及び該第二部分ジョイントレスポンスに基づいて、該ジョイントレスポンスを確定する。
【００８４】
例えば、該第五パワースペクトル密度及び第六パワースペクトル密度を統合することで、全部測定範囲上での|G(f)H(f)|を得ることができる。
【００８５】
１つの実施方式では、該第一部分ジョイントレスポンス及び該第二部分ジョイントレスポンスの重なり合う周波数点の処におけるレスポンスが同じである時に、該第一部分ジョイントレスポンス及び該第二部分ジョイントレスポンスを直接合併することで、連続したジョイントレスポンスを得ることができる。
【００８６】
他の実施方式では、該第一部分ジョイントレスポンス及び該第二部分ジョイントレスポンスの重なり合う周波数点の処におけるレスポンスが異なる時に、該第一部分ジョイントレスポンス及び該第二部分ジョイントレスポンスの重なり合う周波数点の処におけるレスポンスを同じであるように調整し、そして、調整後の第一部分ジョイントレスポンス及び第二部分ジョイントレスポンスを合併することで、連続したジョイントレスポンスを得ることもできる。
【００８７】
本実施例では、オプションとして、該方法は、さらに、受信端のフィルタンリング特性を確定することを含んでも良い。
【００８８】
図11は、本実施例における該受信端のフィルタンリング特性の確定方法のフローチャートである。図11に示すように、該方法は、次のようなステップを含む。
【００８９】
ステップ1101：該第一受信信号のパワースペクトル密度の周波数スペクトルのうちから、該第一測定信号及び該第二測定信号の重なり合う周波数スペクトル部分に基づいて、受信端の第一部分フィルタンリング特性を確定し；
ステップ1102：該第二受信信号のパワースペクトル密度の周波数スペクトルのうちから、該第一測定信号及び第四測定信号の重なり合う周波数スペクトル部分に基づいて、受信端の第二部分フィルタンリング特性を確定し；
ステップ1103：該第一部分フィルタンリング特性及び該第二部分フィルタンリング特性に基づいて、該受信端のフィルタンリング特性を確定する。
【００９０】
ステップ1101の第一回測定では、該第二測定信号の周波数スペクトル範囲が全部測定範囲の一部分のみカバーし、該第一測定信号の周波数スペクトル範囲が全部測定範囲をカバーするので、該第一測定信号及び該第二測定信号の重なり合う周波数スペクトル部分は、該第二測定信号の周波数スペクトル部分に相当する。該第二測定信号が受信端の各フィルタンリングモジュールのみ通過したので、第一受信信号のパワースペクトル密度の周波数スペクトルから抽出された第一測定信号及び第二測定信号の重なり合う周波数スペクトル部分の第七パワースペクトル密度為は、A|H(f)|2（f∈[0,f1]）であり、Aは、第二測定信号パワースペクトル密度の値である。また、各周波数点の相対レスポンスだけが重要であるので、第二測定信号が平坦なパワースペクトル密度を有する時に、Aを知る必要がなく、該第七パワースペクトル密度を開法計算後の結果を該第一部分フィルタンリング特性とすることができ、又は、Aが既知の値であるため、第七パワースペクトル密度からAを除いて開法計算を行うことで、第一部分フィルタンリング特性|H(f)|（f∈[0,f1]）を得ることもできる。
【００９１】
ステップ1102の第二回測定では、該第四測定信号の周波数スペクトル範囲が全部測定範囲の他の部分のみカバーし、該第一測定信号の周波数スペクトル範囲が全部測定範囲をカバーするので、該第一測定信号及び該第四測定信号の重なり合う周波数スペクトル部分は、該第四測定信号の周波数スペクトル部分に相当する。該第四測定信号が受信端フィルタンリングモジュールのみ通過したので、第二受信信号のパワースペクトル密度の周波数スペクトルから抽出された第一測定信号及び第四測定信号の重なり合う周波数スペクトル部分の第八パワースペクトル密度は、B|H(f)|2（f∈[f1,fs/2）であり、Bは、第四測定信号パワースペクトル密度の値である。また、各周波数点の相対レスポンスだけが重要であるので、第四測定信号が平坦なパワースペクトル密度を有する時に、Bを知る必要がなく、該第八パワースペクトル密度を開法計算後の結果を該第二部分フィルタンリング特性とすることができ、又は、Bが既知の値であるので、第八パワースペクトル密度からBを除いて開法計算を行うことで、第二部分フィルタンリング特性|H(f)|（f∈[f1,fs/2）を得ることもできる。
【００９２】
ステップ1103では、該第七パワースペクトル密度及び該第八パワースペクトル密度を統合することで、全部測定範囲上でのフィルタンリング特性を得ることができる。
【００９３】
１つの実施方式では、該第一部分フィルタンリング特性及び該第二部分フィルタンリング特性の重なり合う周波数点の処におけるレスポンスが同じである時に、該第一部分フィルタンリング特性及び該第二部分フィルタンリング特性を直接合併することで、連続した受信端のフィルタンリング特性を得ることができる。
【００９４】
他の実施方式では、該第一部分フィルタンリング特性及び該第二部分フィルタンリング特性の重なり合う周波数点の処におけるレスポンスが異なる時に、該第一部分フィルタンリング特性及び該第二部分フィルタンリング特性の重なり合う周波数点の処におけるレスポンスを同じであるように調整し、そして、調整後の第一部分フィルタンリング特性及び第二部分フィルタンリング特性を合併することで、連続した受信端のフィルタンリング特性を得ることもできる。
【００９５】
本実施例では、該第一測定信号、第二測定信号及び該第四測定信号の周波数スペクトルは、任意の形状に設定されても良いが、測定する必要のある周波数スペクトル範囲上では、ゼロと設定することができず、また、該第一測定信号、第二測定信号及び該第四測定信号が平坦なパワースペクトル密度を有しない時に、ステップ1003及び1006において、該第五パワースペクトル密度及び第六パワースペクトル密度から第一測定信号のパワースペクトル密度Nを除去することで、第一部分ジョイントレスポンス及び第二部分ジョイントレスポンスを取得し、ステップ1101において、該第七パワースペクトル密度から第二測定信号のパワースペクトル密度Aを除去することで、第一部分フィルタンリング特性を確定する必要があり、ステップ1102において、該第八パワースペクトル密度から該第四測定信号のパワースペクトル密度Bを除去することで、第二部分フィルタンリング特性を確定する必要がある。
【００９６】
本実施例では、測定の正確性の向上のために、例えば、送信機及び受信機又は送受信機各フィルタンリング特性を測定する時に、送信端レーザー及びローカルレーザーが同じ周波数を有するように設定するが、本実施例は、これに限定されず、例えば、送信端レーザー及びローカルレーザーが周波数の差Δfを有する時に、従来技術を用いて該周波数の差Δfを推定し、Δfによる影響を除去することができ、また、レーザーの相位ノイズを除去することもできる。
【００９７】
本実施例では、受信端のフィルタンリング特性及び上述のジョイントレスポンスを確定した後に、送信端のフィルタンリング特性を確定することもできる。なお、確定方法は、実施例1と同様であるため、ここでは、詳しい説明を省略する。
【００９８】
また、本実施例における受信端のフィルタンリング特性及びジョイントレスポンスの確定方法は、実施例1と同様であるため、具体的には、実施例1における実例を参照することができるため、ここでは、重複説明を省略する。
【００９９】
本実施例では、オプションとして、ステップ1001、1002及びステップ1004、1005において、送信機、受信機又は送受信機の送信器及びフィルタンリングモジュールを使用する時に、該方法は、さらに、送信機又は送受信機のプレイコライザを、該プレイコライザが作動しないように設定することを含んでも良い。
【０１００】
本実施例から分かるように、異なるフィルタンリングモジュールを通過し、且つ周波数スペクトル範囲が異なる測定信号を用いて２回測定を行い、送信機及び受信機自体は、受信端及び送信端のフィルタンリング特性及びジョイントレスポンスを確定することができるので、追加の計器を用いて測定する必要がなく、これにより、フィルタンリング特性の計器測定による高コスト及び大規模使用不可の問題を避けることができる。
【実施例３】
【０１０１】
本発明の実施例3は、フィルタンリング特性の測定方法を提供する。本実施例と実施例1及び2との異なる点は、本実施例では、第一回測定において第二測定信号のみ送信し、第二回の測定において第一測定信号のみ送信することにある。
【０１０２】
図12は、本発明の実施例3におけるフィルタンリング特性の測定方法のフローチャートである。図12に示すように、該方法は、次のようなステップを含む。
【０１０３】
ステップ1201：第二測定信号を送信し；
ステップ1202：該第二測定信号は、受信端のフィルタンリングモジュールを通過し；
そのうち、該第二測定信号が送信端フィルタンリングモジュールを通過せず、受信端フィルタンリングモジュールのみ通過した後に、第三受信信号R3(f)を取得し、該R3(f)は、R3(f)=S2(f)H(f)で表され；
ステップ1203：該第三受信信号のパワースペクトル密度に基づいて、受信端のフィルタンリング特性を確定する。
【０１０４】
本実施例では、第二測定信号が受信端のフィルタンリングモジュールのみ通過したので、該第三受信信号R3(f)のパワースペクトル密度は、
（外５）
2017108406.tif 000007
と表することができ、
（外６）
2017108406.tif 000008
が平坦なものである時に、
（外７）
2017108406.tif 000009
を無視し、受信端のフィルタンリング特性を確定することができ、
（外８）
2017108406.tif 000010
が平坦なものでない時に、
（外９）
2017108406.tif 000011
が既知であるため、即ち、第三受信信号R3(f)のパワースペクトル密度
（外１０）
2017108406.tif 000012
に基づいて、受信端のフィルタンリング特性|H(f)|を確定することができる。
【０１０５】
本実施例から分かるように、受信端フィルタンリングモジュールを通過する測定信号を用いて、送信機及び受信機自体は、受信端のフィルタンリング特性を確定することができるので、追加の計器を用いて測定する必要がなく、これによりフィルタンリング特性の計器測定による高コスト及び大規模使用不可の問題を避けることができる。
【０１０６】
本実施例では、オプションとして、該方法は、さらに、受信端のフィルタンリング特性及び送信端のフィルタンリング特性のジョイントレスポンスを確定することを含んでも良い。図12に示すように、該方法は、さらに、次のようなステップを含んでも良い。
【０１０７】
ステップ1204：第一測定信号を送信し；
ステップ1205：該第一測定信号は、送信端のフィルタンリングモジュール及び受信端のフィルタンリングモジュールを通過し；
そのうち、該第一測定信号が送信端フィルタンリングモジュール及び受信端フィルタンリングモジュールを通過した後に、第四受信信号R4(f)が取得され、R4(f)=S1(f)G(f)H(f)と表され；
ステップ1206：該第四受信信号のパワースペクトル密度に基づいて、送信端のフィルタンリング特性及び受信端のフィルタンリング特性のジョイントレスポンスを得る。
【０１０８】
本実施例では、該第一測定信号が送信端及び受信端の各フィルタンリングモジュールを通過したので、該第四受信信号のパワースペクトル密度は、
（外１１）
2017108406.tif 000013
と表することができ、
（外１２）
2017108406.tif 000014
が平坦なものである時に、
（外１３）
2017108406.tif 000015
を無視し、ジョイントレスポンスを確定することができ、
（外１４）
2017108406.tif 000016
が平坦なものでない時に、
（外１５）
2017108406.tif 000017
が既知であるため、即ち、第四受信信号R4(f)のパワースペクトル密度
（外１６）
2017108406.tif 000018
に基づいて、該ジョイントレスポンス|G(f)H(f)|を確定することができる。
【０１０９】
本実施例におけるステップ1203及び1206では、第一測定信号及び第二測定信号のパワースペクトル密度が既知であるため、受信端のフィルタンリング特性及びジョイントレスポンスを直接確定することができる。
【０１１０】
そのうち、得られたフィルタンリング特性が全部測定範囲をカバーするようにさせるために、該第一測定信号及び該第二測定信号の周波数スペクトル範囲は、フィルタンリング特性が測定される必要のある全部測定範囲をカバーする。
【０１１１】
本実施例では、先にステップ1204〜1206を実行してジョイントレスポンスを確定した後に、ステップ1201〜1203を実行して受信端のフィルタンリング特性を確定しても良いが、本実施例は、これに限定されない。
【０１１２】
本実施例では、オプションとして、該方法はさらにステップ1207を含んでも良く、即ち、該ジョイントレスポンス及び受信端のフィルタンリング特性に基づいて、該送信端のフィルタンリング特性を確定する。なお、その具体的な実施方式は、実施例1を参照することができるため、ここでは、詳しい説明を省略する。
【０１１３】
本実施例では、ステップ1201、1202、1204、1205の具体的な実施方式は、実施例1を参照することができ、また、本実施例では、送信機、受信機又は送受信機の送信器及びフィルタンリングモジュールを使用する時に、該方法は、さらに、送信機又は送受信機のプレイコライザを、該プレイコライザが作動しないように設定することを含んでも良い。
【０１１４】
本実施例から分かるように、異なるフィルタンリングモジュールを通過し、且つ周波数スペクトル範囲が異なる測定信号を用いて２回測定を行い、送信機及び受信機自体は、受信端及び送信端のフィルタンリング特性及びジョイントレスポンスを確定することができるので、追加の計器を用いて測定する必要がなく、これによりフィルタンリング特性の計器測定による高コスト及び大規模使用不可の問題を避けることができる。
【実施例４】
【０１１５】
本発明の実施例4は、さらに、フィルタンリング特性の測定装置を提供する。本実施例では、該第二測定信号の周波数スペクトル範囲がフィルタンリング特性の全部測定範囲をカバーし、該第一測定信号及び第三測定信号周波数が相補的である。該装置が問題を解決する原理は、実施例1の方法と同様であるため、その具体的な実施は、実施例1の方法の実施を参照することができ、重複説明は、省略される。
【０１１６】
図13は、実施例4における該装置の一実施方式を示す図である。図13に示すように、該装置1300は、次のようなものを含む。
【０１１７】
第一確定ユニット1301：第一測定信号及び第二測定信号が各自のフィルタンリングモジュールを通過した後に得られた第一受信信号の周波数スペクトルのうちから、該第一測定信号及び該第二測定信号の重なり合わない周波数スペクトル部分に基づいて、受信端の第一部分フィルタンリング特性を確定し；
第二確定ユニット1302：第三測定信号及び第二測定信号が各自のフィルタンリングモジュールを通過した後に得られた第二受信信号の周波数スペクトルのうちから、該第三測定信号及び該第二測定信号の重なり合わない周波数スペクトル部分に基づいて、受信端の第二部分フィルタンリング特性を確定し；及び
第一処理ユニット1303：該第一部分フィルタンリング特性及び該第二部分フィルタンリング特性に基づいて、受信端のフィルタンリング特性を確定する。
【０１１８】
本実施例では、該第一測定信号、第二測定信号及び第三測定信号の具体的な実施方式は、実施例1を参照することができ、ここでは、詳しい説明を省略する。
【０１１９】
本実施例では、該第一確定ユニット1301、第二確定ユニット1302、第一処理ユニット1303の具体的な実施方式は、実施例1におけるステップ303、306及び307を参照することができ、ここでは、詳しい説明を省略する。
【０１２０】
本実施例では、該第一確定ユニット1301は、第一測定ユニット（図示せず）、第一抽出ユニット（図示せず）及び第一取得ユニット（図示せず）を含んでも良い。該第一測定ユニットは、該第一受信信号のパワースペクトル密度を計算し；該第一抽出ユニットは、該第一受信信号のパワースペクトル密度の周波数スペクトルのうちから、該第一測定信号及び該第二測定信号の重なり合わない周波数スペクトル部分の第一パワースペクトル密度を抽出し；該第一取得ユニットは、該第一パワースペクトル密度に基づいて、該受信端の第一部分フィルタンリング特性を取得する。
【０１２１】
該第二確定ユニット1302は、第二測定ユニット（図示せず）、第二抽出ユニット（図示せず）及び第二取得ユニット（図示せず）を含んでも良い。該第二測定ユニットは、該第二受信信号のパワースペクトル密度を計算し；該第二抽出ユニットは、該第二受信信号のパワースペクトル密度の周波数スペクトルのうちから、該第三測定信号及び該第二測定信号の重なり合わない周波数スペクトル部分の第二パワースペクトル密度を抽出し；該第二取得ユニットは、該第二パワースペクトル密度に基づいて、該受信端の第二部分フィルタンリング特性を取得する。
【０１２２】
図14は、本実施例における第一処理ユニット1303の一実施方式を示す図である。図14に示すように、該第一処理ユニット1303は、次のようなものを含む。
【０１２３】
第一判断ユニット1401：該第一部分フィルタンリング特性及び該第二部分フィルタンリング特性の重なり合う周波数点の処におけるレスポンスが同じであるかを判断し；
第一合併ユニット1402：該第一判断ユニット1401の判断結果が「はい」の場合、該第一部分フィルタンリング特性及び該第二部分フィルタンリング特性を合併することで、連続した受信端のフィルタンリング特性を取得し；
本実施例では、第一判断ユニット1401の判断結果が「いいえ」の場合、第一処理ユニット1303は、さらに、次のものを含む。
【０１２４】
第一調整ユニット1403：該第一部分フィルタンリング特性及び該第二部分フィルタンリング特性の重なり合う周波数点の処におけるレスポンスを同じであるように調整し、第一合併ユニット1402は、さらに、調整後の該第一部分フィルタンリング特性及び該第二部分フィルタンリング特性を合併することで、連続した受信端のフィルタンリング特性を取得する。
【０１２５】
本実施例では、該第一確定ユニット1301は、さらに、第一除去ユニット（図示せず）を含み、それは、該第二測定信号が平坦なパワースペクトル密度を有しない時に、該第一抽出ユニットが抽出した該第一パワースペクトル密度から、該第二測定信号のパワースペクトル密度を除去し、該第一取得ユニットは、該第一除去ユニットの処理後の結果に基づいて、該第一部分フィルタンリング特性を確定する。
【０１２６】
該第二確定ユニット1302は、さらに、第二除去ユニット（図示せず）を含み、それは、該第二測定信号が平坦なパワースペクトル密度を有しない時に、該第二抽出ユニットが抽出した該第二パワースペクトル密度から、該第二測定信号のパワースペクトル密度を除去し、該第二取得ユニットは、該第二除去ユニットの処理後の結果に基づいて、該第二部分フィルタンリング特性を確定する。
【０１２７】
本実施例では、オプションとして、図13に示すように、該装置1300は、さらに、次のようなものを含んでも良い。
【０１２８】
第三確定ユニット1304：該第一受信信号のパワースペクトル密度の周波数スペクトルのうちから、該第一測定信号及び該第二測定信号の重なり合う周波数スペクトル部分に基づいて、第一部分ジョイントレスポンスを確定し；
第四確定ユニット1305：該第二受信信号のパワースペクトル密度の周波数スペクトルのうちから、該第三測定信号及び該第二測定信号の重なり合う周波数スペクトル部分に基づいて、第二部分ジョイントレスポンスを確定し；及び
第二処理ユニット1306：該第一部分ジョイントレスポンス及び該第二部分ジョイントレスポンスに基づいて、前記ジョイントレスポンスを確定する。
【０１２９】
該第三確定ユニット1304、第四確定ユニット1305、第二処理ユニット1306の具体的な実施方式は、実施例1におけるステップ401〜403を参照することができるため、ここでは、詳しい説明を省略する。
【０１３０】
本実施例では、該第三確定ユニット1304は、第三抽出ユニット（図示せず）及び第三取得ユニット（図示せず）を含み、該第三抽出ユニットは、該第一受信信号のパワースペクトル密度の周波数スペクトルから、該第一測定信号及び該第二測定信号の重なり合う周波数スペクトル部分の第三パワースペクトル密度を抽出し、該第三取得ユニットは、該第三パワースペクトル密度に基づいて、該第一部分ジョイントレスポンスを得る。
【０１３１】
本実施例では、該第四確定ユニット1305は、第四抽出ユニット（図示せず）及び第四取得ユニット（図示せず）を含み、該第四抽出ユニットは、該第二受信信号のパワースペクトル密度の周波数スペクトルから、該第三測定信号及び該第二測定信号の重なり合う周波数スペクトル部分の第四パワースペクトル密度を抽出し、該第四取得ユニットは、該第四パワースペクトル密度に基づいて、該第二部分ジョイントレスポンスを得る。
【０１３２】
図15は、本実施例における該第二処理ユニット1306を示す図である。図15に示すように、第二処理ユニット1306は、次のものを含む。
【０１３３】
第二判断ユニット1501：該第一部分ジョイントレスポンス及び該第二部分ジョイントレスポンスの重なり合う周波数点の処におけるレスポンスが同じであるかを判断し；及び
第二合併ユニット1502：該第二判断ユニット1501の判断結果が「はい」の場合、該第一部分ジョイントレスポンス及び該第二部分ジョイントレスポンスを合併することで、連続した該ジョイントレスポンスを取得する。
【０１３４】
本実施例では、第二判断ユニット1501の判断結果が「いいえ」の場合、第二処理ユニット1306は、さらに、次のものを含んでも良い。
【０１３５】
第二調整ユニット1503：該第一部分ジョイントレスポンス及び該第二部分ジョイントレスポンスの重なり合う周波数点の処におけるレスポンスを同じであるように調整し、第二合併ユニット1502は、さらに、調整後の該第一部分ジョイントレスポンス及び該第二部分ジョイントレスポンスを合併することで、連続した該ジョイントレスポンスを取得する。
【０１３６】
本実施例では、該第三確定ユニット1304は、さらに、第三除去ユニット（図示せず）を含み、それは、該第一測定信号及び該第三測定信号が平坦なパワースペクトル密度を有しない時に、該第三抽出ユニットが抽出した該第三パワースペクトル密度から、該第一測定信号のパワースペクトル密度を除去し、該第三取得ユニットは、該第三除去ユニットの処理後の結果に基づいて、該第一部分ジョイントレスポンスを確定する。
【０１３７】
本実施例では、該第四確定ユニット1305は、さらに、第四除去ユニット（図示せず）を含み、それは、該第一測定信号及び該第三測定信号が平坦なパワースペクトル密度を有しない時に、在該第四抽出ユニットが抽出した該第四パワースペクトル密度から、該第三測定信号のパワースペクトル密度を除去し、該第四取得ユニットは、該第四除去ユニットの処理後の結果に基づいて、該第二部分ジョイントレスポンスを確定する。
【０１３８】
本実施例では、オプションとして、装置1300は、さらに、第六処理ユニット（図示せず）を含んでも良く、それは、該ジョイントレスポンス及び受信端のフィルタンリング特性に基づいて、送信端のフィルタンリング特性を確定する。なお、その具体的な実施方式は、実施例1を参照することができるため、ここでは、詳しい説明を省略する。
【０１３９】
本実施例では、測定待ちフィルタンリング特性の通信装置、例えば、送信機又は送受信機の送信器により、該第一測定信号及び第四測定信号を送信して、該通信装置の測定待ちの送信端及び受信端フィルタンリングモジュールを通過させ、また、第二測定信号を送信して、該通信装置の測定待ちの受信端フィルタンリングモジュールを通過させ、その後、装置1300は、得られた受信信号に基づいて、送信端及び受信端のフィルタンリング特性及びジョイントレスポンスを確定することができる。
【０１４０】
本実施例では、図13中での各部分は、ハードウェア、ソフトウェア、ファームウェア又はそれらの組み合わせにより実現することができる。以下、図16をもとに、ハードウェアによる実現方式について説明する。なお、以下、該装置1600が受信端のフィルタンリング特性、送信端フィルタンリング特性及び該ジョイントレスポンスを確定することを例として説明を行う。
【０１４１】
図16は、該測定フィルタンリング特性装置のハードウェアを示す図である。図16に示すように、装置1600は、次のようなものを含む。
【０１４２】
第一計算器1601：該第一受信信号及び該第二受信信号のパワースペクトル密度を計算し；該第一計算器1601は、前述の第一測定ユニット及び第二測定ユニットの機能を実現するためのものであり、その具体的な実施方式は、第一測定ユニット及び第二測定ユニットと同様であるため、ここでは、詳しい説明を省略する。
【０１４３】
第一抽出器1602：該第一受信信号のパワースペクトル密度の周波数スペクトルから、該第一測定信号及び該第二測定信号の重なり合わない周波数スペクトル部分の第一パワースペクトル密度を（第一部分フィルタンリング特性得るために）抽出し；該第二受信信号のパワースペクトル密度の周波数スペクトルから、該第三測定信号及び該第二測定信号の重なり合わない周波数スペクトル部分の第二パワースペクトル密度を（第二部分フィルタンリング特性を得るために）抽出する。
【０１４４】
そのうち、第一抽出器1602は、前述の第一抽出ユニット、第一取得ユニット、第二抽出ユニット及び第二取得ユニットの機能を実現するためのものであり、その具体的実施方式は、前述の第一抽出ユニット、第一取得ユニット、第二抽出ユニット及び第二取得ユニットと同様であるため、ここでは、詳しい説明を省略する。
【０１４５】
第二抽出器1603は、該第一受信信号のパワースペクトル密度の周波数スペクトルから、該第一測定信号及び該第二測定信号の重なり合う周波数スペクトル部分の第三パワースペクトル密度を（第一部分ジョイントレスポンスを得るために）抽出し；該第二受信信号のパワースペクトル密度の周波数スペクトルから、該第三測定信号及び該第二測定信号の重なり合う周波数スペクトル部分の第四パワースペクトル密度を（第二部分ジョイントレスポンスを得るために）抽出する。
【０１４６】
そのうち、第二抽出器1603は、前述の第三抽出ユニット、第三取得ユニット、第四抽出ユニット及び第四取得ユニットの機能を実現するためのものであり、その具体的な実施方式は、前述の第三抽出ユニット、第三取得ユニット、第四抽出ユニット及び第四取得ユニットと同様であるため、ここでは、詳しい説明を省略する。
【０１４７】
第一処理器1604は、第一抽出器1602及び第二抽出器1603の抽出結果に基づいて、受信端のフィルタンリング特性及びジョイントレスポンスを確定し、また、該受信端のフィルタンリング特性及びジョイントレスポンスに基づいて、送信端のフィルタンリング特性を確定する。
【０１４８】
そのうち、第一処理器1604は、前述の第一処理ユニット1303、第二処理ユニット1306、第六処理ユニットの機能を実現するためのものであり、第一処理器1604が受信端のフィルタンリング特性を確定する具体的な実施方式は、第一処理ユニット1303を参照することができ、第一処理器1604がジョイントレスポンスを確定する具体的な実施方式は、第二処理ユニット1306を参照することができ、第一処理器1604が送信端フィルタンリング特性を確定する具体的な実施方式は、第六処理ユニットを参照することができるため、ここでは、その詳しい説明を省略する。
【０１４９】
本実施例では、該装置1600は、受信端のフィルタンリング特性又は送信端フィルタンリング特性又は該ジョイントレスポンスのみ確定するために用いられても良く、同時に上述の特性の２つ又は２つの以上を確定するために用いられても良いが、本実施例は、これに限定去れない。
【０１５０】
本実施例では、オプションとして、該装置は、さらに、第二処理器1605を含んでも良く、それは、送信レーザー及びローカルレーザーの周波数の差及び相位ノイズを除去し；また、ブロック分割処理器1606も含み、それは、第一受信信号及び第二受信信号をMブロックに分割し、そのうち、各ブロック内は、時間的に連続したサンプルであり、ブロック長さは、第一測定信号又は第三測定信号の周期の長さの整数倍であり；さらに、加重和処理器1607も含み、それは、ブロック間の信号を加算して平均するためのものである。該第二抽出器1603は、加重和処理器1607の処理後の、第一計算器1601の計算及び処理後の信号のパワースペクトル密度に対して処理を行う。また、第一抽出器1602が抽出したのは、重なり合わない周波数スペクトル部分のパワースペクトル密度であるため、第二処理器1605、ブロック分割処理器1606及び加重和処理器1607の処理を要しない。よって、第一抽出器1602は、第一計算器1601の計算後の、未処理の受信信号のパワースペクトル密度に対して直接処理を行うことができる。
【０１５１】
本実施例では、第二処理器1605、ブロック分割処理器1606及び加重和処理器1607により、送信レーザー及びローカルレーザーの周波数の差及び相位ノイズを除去し、第二測定信号の干渉を抑制することもできる。
【０１５２】
本実施例では、該第二抽出器1603及び第一抽出器1602は、さらに、第一測定信号、第二測定信号及び第三測定信号が平坦なパワースペクトル密度を有しない時に、それぞれ、第一パワースペクトル密度及び第二パワースペクトル密度から、該第二測定信号のパワースペクトル密度を除去することで、該第一部分フィルタンリング特性及び第二部分フィルタンリング特性を確定し、第三パワースペクトル密度から、該第一測定信号のパワースペクトル密度を除去することで、該第一部分ジョイントレスポンスを確定し、該第四パワースペクトル密度から、該第三測定信号のパワースペクトル密度を除去することで、該第二部分ジョイントレスポンスを確定するために用いられる。該処理器の具体的な実施方式は、第一除去ユニット及び第二除去ユニットを参照することができるため、ここでは、重複説明を省略する。
【０１５３】
本実施例では、第一計算器1601、第一抽出器1602、第二計算器1603、第二抽出器1604及び減算器（第二処理器）1605の具体的な実施方式は、実施例1におけるステップ401〜404、501〜502を参照することができるため、ここでは、詳しい説明を省略する。
【０１５４】
本実施例から分かるように、異なるフィルタンリングモジュールを通過し、且つ周波数スペクトル範囲が異なる測定信号を用いて２回測定を行い、送信機及び受信機自体は、受信端及び送信端のフィルタンリング特性及びジョイントレスポンスを確定することができ、追加の計器を用いて測定する必要がなく、これによりフィルタンリング特性の計器測定による高コスト及び大規模使用不可の問題を避けることができる。
【実施例５】
【０１５５】
本発明の実施例5は、さらに、フィルタンリング特性の測定装置を提供する。該装置が問題を解決する原理は、実施例2の方法と同様であるため、その具体的な実施は、実施例2の方法の実施を参照することができ、重複説明は省略される。
【０１５６】
本実施例と実施例4との異なる点は、本実施例では、該第一測定信号の周波数スペクトル範囲がフィルタンリング特性の全部測定範囲をカバーし、該第二測定信号及び第四測定信号周波数が相補的であることにある。
【０１５７】
本実施例では、図13をもとに説明を行う。図13に示すように、第一確定ユニット1301は、第一受信信号の周波数スペクトルのうちから、第一測定信号及び第二測定信号の重なり合わない周波数スペクトル部分に基づいて、受信端のフィルタンリング特性及び送信端のフィルタンリング特性の第一部分ジョイントレスポンスを確定し；第二確定ユニット1302は、第四測定信号及び前記第一測定信号が各自のフィルタンリングモジュールを通過した後に得られた第二受信信号の周波数スペクトルのうちから、該第四測定信号及び該第一測定信号の重なり合わない周波数スペクトル部分に基づいて、送信端のフィルタンリング特性及び受信端のフィルタンリング特性の第二部分ジョイントレスポンスを確定し；第一処理ユニット1303は、該第一部分ジョイントレスポンス及び該第二部分ジョイントレスポンスに基づいて、該ジョイントレスポンスを確定する。
【０１５８】
本実施例では、該第一測定信号、第二測定信号及び第四測定信号の具体的な実施方式は、実施例2を参照することができるため、ここでは、詳しい説明を省略する。
【０１５９】
本実施例では、該第一確定ユニット1301、第二確定ユニット1302及び第一処理ユニット1303の具体的な実施方式は、実施例2におけるステップ1003、1006、1007を参照することができるため、ここでは、詳しい説明を省略する。
【０１６０】
本実施例では、該第一確定ユニット1301は、第一測定ユニット（図示せず）、第五抽出ユニット（図示せず）及び第五取得ユニット（図示せず）を含んでも良く、該第一測定ユニットは、該第一受信信号のパワースペクトル密度を計算し；該第五抽出ユニットは、該第一受信信号のパワースペクトル密度の周波数スペクトルから、該第一測定信号及び該第二測定信号の重なり合わない周波数スペクトル部分の第五パワースペクトル密度を抽出し；該第五取得ユニットは、該第五パワースペクトル密度に基づいて、該第一部分ジョイントレスポンスを取得する。
【０１６１】
本実施例では、該第二確定ユニット1302は、第二測定ユニット（図示せず）、第六抽出ユニット（図示せず）及び第六取得ユニット（図示せず）を含んでも良く、該第二測定ユニットは、該第一受信信号のパワースペクトル密度を計算し；該第六抽出ユニットは、該第二受信信号のパワースペクトル密度の周波数スペクトルから、該第一測定信号及び該第二四測定信号の重なり合わない周波数スペクトル部分の第六パワースペクトル密度を抽出し；該第六取得ユニットは、該第六パワースペクトル密度に基づいて、該第二部分ジョイントレスポンスを取得する。
【０１６２】
図17は、本実施例における該第一処理ユニット1303の一実施方式を示す図である。図17に示すように、該第一処理ユニットは、次のようなものを含む。
【０１６３】
第三判断ユニット1701：該第一部分ジョイントレスポンス及び該第二部分ジョイントレスポンスの重なり合う周波数点の所におけるレスポンスが同じであるかを判断し；及び
第三合併ユニット1702：該第三判断ユニット1701の判断結果が「はい」の場合、該第一部分ジョイントレスポンス及び該第二部分ジョイントレスポンスを合併することで、連続した該ジョイントレスポンスを取得する。
【０１６４】
実施例では、第三判断ユニット1701の判断結果が「いいえ」の場合、第一処理ユニット1303は、さらに、次のものを含んでも良い。
【０１６５】
第三調整ユニット1703：該第一部分ジョイントレスポンス及び該第二部分ジョイントレスポンスの重なり合う周波数点の所におけるレスポンスを同じであるように調整し、第三合併ユニット1702は、さらに、調整後の該第一部分ジョイントレスポンス及び該第二部分ジョイントレスポンスを合併することで、連続した該ジョイントレスポンスを取得する。
【０１６６】
本実施例では、第一確定ユニット1301は、さらに、第五除去ユニット（図示せず）を含み、それは、該第一測定信号が平坦なパワースペクトル密度を有しない時に、該第五抽出ユニットが抽出した該第五パワースペクトル密度から、該第一測定信号のパワースペクトル密度を除去し、該第五取得ユニットは、該第五除去ユニットの処理後の結果に基づいて、該第一部分ジョイントレスポンスを確定する。
【０１６７】
該第二確定ユニット1302は、さらに、第六除去ユニット（図示せず）を含み、それは、該第一測定信号が平坦なパワースペクトル密度を有しない時に、該第六抽出ユニットが抽出した該第六パワースペクトル密度から、該第一測定信号のパワースペクトル密度を除去し、該第六取得ユニットは、該第六除去ユニットの処理後の結果に基づいて、該第二部分ジョイントレスポンスを確定する。
【０１６８】
本実施例と実施例4との異なる点は、さらに、第三確定ユニット1304（第五確定ユニット対応）が、該第一受信信号のパワースペクトル密度の周波数スペクトルのうちから、該第一測定信号及び該第二測定信号の重なり合う周波数スペクトル部分に基づいて、該受信端の第一部分フィルタンリング特性を確定し；第四確定ユニット1305（第六確定ユニット対応）が、該第二受信信号のパワースペクトル密度の周波数スペクトルのうちから、該第一測定信号及び該第四測定信号の重なり合う周波数スペクトル部分に基づいて、該受信端の第二部分フィルタンリング特性を確定し；第二処理ユニット1306（第三処理ユニット対応）が、該第一部分フィルタンリング特性及び該第二部分フィルタンリング特性に基づいて、該受信端のフィルタンリング特性を確定することにある。
【０１６９】
そのうち、第三確定ユニット1304、第四確定ユニット1305及び第二処理ユニット1306の具体的な実施方式は、実施例2におけるステップ1101〜1103を参照することができるため、ここでは重複説明を省略する。
【０１７０】
本実施例では、該第三確定ユニット1304は、さらに、第七抽出ユニット（図示せず）及び第七取得ユニット（図示せず）を含み、該第七抽出ユニットは、該第一受信信号のパワースペクトル密度の周波数スペクトルのうちから、該第一測定信号及び該第二測定信号の重なり合う周波数スペクトル部分の第七パワースペクトル密度を抽出し；該第七取得ユニットは、該第七パワースペクトル密度に基づいて、該第一部分フィルタンリング特性を取得する。
【０１７１】
本実施例では、該第四確定ユニット1305は、第八抽出ユニット（図示せず）及び第八取得ユニット（図示せず）を含み、該第八抽出ユニットは、該第二受信信号のパワースペクトル密度の周波数スペクトルから、該第四測定信号及び該第一測定信号の重なり合う周波数スペクトル部分の第八パワースペクトル密度を抽出し；該第八取得ユニットは、該第八パワースペクトル密度に基づいて、該第二部分フィルタンリング特性を取得する。
【０１７２】
図18は、本実施例における第二処理ユニット1306の一実施方式を示す図である。図18に示すように、該第二処理ユニット1306は、次のようなものを含む。
【０１７３】
第四判断ユニット1801：該第一部分フィルタンリング特性及び該第二部分フィルタンリング特性の重なり合う周波数点の所におけるレスポンスが同じであるかを判断し；及び
第四合併ユニット1802：該第四判断ユニット1801の判断結果が「はい」の場合、該第一部分フィルタンリング特性及び該第二部分ジョイントフィルタンリング特性を合併することで、連続した該受信端のフィルタンリング特性を取得する。
【０１７４】
本実施例では、第三判断ユニット1801の判断結果が「いいえ」の場合、第二処理ユニット1306は、さらに、次のようなものを含む。
【０１７５】
第四調整ユニット1803：該第一部分フィルタンリング特性及び該第二部分フィルタンリング特性の重なり合う周波数点の所におけるレスポンスを同じであるように調整し、第四合併ユニット1802は、さらに、調整後の該第一部分フィルタンリング特性及び該第二部分フィルタンリング特性を合併することで、連続した該受信端のフィルタンリング特性を取得する。
【０１７６】
本実施例では、該第三確定ユニット1304は、さらに、第七除去ユニット（図示せず）を含んでも良く、それは、該第二測定信号及び該第四測定信号が平坦なパワースペクトル密度を有しない時に、該第七抽出ユニットが抽出した該第七パワースペクトル密度から、該第二測定信号のパワースペクトル密度を除去し、該第七取得ユニットは、該第七除去ユニットの処理後の結果に基づいて、該第一部分フィルタンリング特性を確定する。
【０１７７】
本実施例では、該第四確定ユニット1305は、さらに、第八除去ユニット（図示せず）を含んでも良く、それは、該第二測定信号及び該第四測定信号が平坦なパワースペクトル密度を有しない時に、該第八抽出ユニットが抽出した該第八パワースペクトル密度から、該第四測定信号のパワースペクトル密度を除去し、該第八取得ユニットは、該第八除去ユニットの処理後の結果に基づいて、該第二部分フィルタンリング特性を確定する。
【０１７８】
本実施例と実施例4における装置1600との異なる点は、第一抽出器1602が、該第一受信信号のパワースペクトル密度の周波数スペクトルから、該第一測定信号及び該第二測定信号の重なり合わない周波数スペクトル部分の第五パワースペクトル密度を（第一部分ジョイントレスポンスを得るために）抽出し、該第二受信信号のパワースペクトル密度の周波数スペクトルから、該第一測定信号及び該第四測定信号の重なり合わない周波数スペクトル部分の第六パワースペクトル密度を（第二部分ジョイントレスポンスを得るために）抽出し、第二抽出器1603が、該第一受信信号のパワースペクトル密度の周波数スペクトルから、該第一測定信号及び該第二測定信号の重なり合う周波数スペクトル部分の第七パワースペクトル密度を（第一部分フィルタンリング特性を得るために）抽出し、該第二受信信号のパワースペクトル密度の周波数スペクトルから、該第一測定信号及び該第四測定信号の重なり合う周波数スペクトル部分の第八パワースペクトル密度を（第二部分フィルタンリング特性を得るために）抽出し、第一処理器1604が、第一抽出器1602及び第二抽出器1603の抽出結果に基づいて、該ジョイントレスポンス及び受信端のフィルタンリング特性を確定し、そして、該受信端のフィルタンリング特性及びジョイントレスポンスに基づいて、送信端のフィルタンリング特性を確定することにある。
【０１７９】
そのうち、第一抽出器1602は、前述の第五抽出ユニット、第五取得ユニット、第六抽出ユニット及び第六取得ユニットの機能を実現するためのものであり、その具体的な実施方式は、前述の第五抽出ユニット、第五取得ユニット、第六抽出ユニット及び第六取得ユニットと同様であり、第二抽出器1603は、前述の第七抽出ユニット、第七取得ユニット、第八抽出ユニット及び第八取得ユニットの機能を実現するためのものであり、その具体的な実施方式は、前述の第七抽出ユニット、第七取得ユニット、第八抽出ユニット及び第八取得ユニットと同様であるため、ここでは、詳しい説明を省略する。
【０１８０】
本実施例では、該第一抽出器1602及び第二抽出器1603は、さらに、第一測定信号、第二測定信号及び第四測定信号が平坦なパワースペクトル密度を有しない時に、第五パワースペクトル密度及び第六パワースペクトル密度から、該第一測定信号のパワースペクトル密度を除去することで、第一部分ジョイントレスポンス及び第二部分ジョイントレスポンスを確定し、第七パワースペクトル密度から、該第二測定信号のパワースペクトル密度を除去することで、該第一部分フィルタンリング特性を確定し、該第八パワースペクトル密度から、該第四測定信号のパワースペクトル密度を除去することで、該第二部分フィルタンリング特性を確定するために使用される。
【０１８１】
本実施例から分かるように、異なるフィルタンリングモジュールを通過し、且つ周波数スペクトル範囲が異なる測定信号を用いて２回測定を行い、送信機及び受信機自体は、受信端及び送信端のフィルタンリング特性及びジョイントレスポンスを確定することができ、追加の計器を用いて測定する必要がなく、これによりフィルタンリング特性の計器測定による高コスト及び大規模使用不可の問題を避けることができる。
【実施例６】
【０１８２】
本発明の実施例6は、さらに、フィルタンリング特性の測定装置を提供する。該装置が問題を解決する原理は、実施例3の方法と同様であるため、その具体的な実施は、実施例3の方法の実施を参照することができ、重複説明は、省略される。
【０１８３】
図19は、本実施例におけるフィルタンリング特性の測定装置の一実施方式を示す図である。図19に示すように、該装置は、次のようなものを含む。
【０１８４】
第四処理ユニット1901：第二測定信号が受信端フィルタンリングモジュールを通過した後に得られた第三受信信号のパワースペクトル密度に基づいて、前記受信端のフィルタンリング特性を確定し、そのうち、該第二測定信号の周波数スペクトルは、フィルタンリング特性の全部測定範囲をカバーする。
【０１８５】
本実施例では、オプションとして、図19に示すように、該フィルタンリング特性の測定装置は、さらに、次のようなもの含んでも良い。
【０１８６】
第五処理ユニット1902：第一測定信号が送信端フィルタンリングモジュール及び受信端フィルタンリングモジュールを通過した後に得られた第四受信信号のパワースペクトル密度に基づいて、前記受信端のフィルタンリング特性及び前記送信端のフィルタンリング特性のジョイントレスポンスを確定し、そのうち、前記第一測定信号の周波数スペクトルは、フィルタンリング特性の全部測定範囲をカバーする。
【０１８７】
本実施例では、該第二測定信号及び第一測定信号の具体的な実施方式は、実施例3を参照することができ、第四処理ユニット1901及び第五処理ユニット1902の具体的な実施方式は、実施例3におけるステップ1203及び1206を参照することができるため、ここでは、詳しい説明を省略する。
【０１８８】
本実施例では、該装置は、さらに、第六処理ユニット（図示せず）を含んでも良く、それは、該ジョイントレスポンス及び該受信端のフィルタンリング特性に基づいて、該送信端のフィルタンリング特性を確定し、その具体的な実施方式は、実施例3におけるステップ1207を参照することができるので、ここでは、詳しい説明を省略する。
【０１８９】
本実施例から分かるように、異なるフィルタンリングモジュールを通過し、且つ周波数スペクトル範囲が異なる測定信号を用いて２回測定を行い、送信機及び受信機自体は、定受信端及び送信端のフィルタンリング特性及びジョイントレスポンスを確定することができるので、追加の計器を用いて測定する必要がなく、これによりフィルタンリング特性の計器測定による高コスト及び大規模使用不可の問題を避けることができる。
【０１９０】
なお、上述の実施例4〜6におけるフィルタンリング特性の測定装置は、単独で使用すすることができ、組み合わせて使用することもできる。例えば、該フィルタンリング特性の測定装置は、第二測定信号及び第四測定信号周波数が相補的であり、第一測定信号及び第三測定信号周波数が相補的であり、及び、第一測定信号及び第二測定信号の周波数スペクトル範囲がフィルタンリング特性の全部測定範囲をカバーする場合に、受信端及び送信端のフィルタンリング特性及びジョイントレスポンスを確定することもできるが、本実施例は、これに限定されない。
【０１９１】
また、オプションとして、送信機又は送受信機の送信器及びフィルタンリングモジュールを使用する時に、実施例4〜6におけるフィルタンリング特性の測定装置は、さらに、設定ユニット（図示せず）を含んでも良く、それは、送信機又は送受信機のプレイコライザを、該プレイコライザが作動しないように設定することができる。しかし、上述の実施例に限定されず、該設定ユニットは、送信機、受信機、又は受信機に設けられても良い。
【実施例７】
【０１９２】
本実施例は、さらに、通信システムを提供し、該通信システムは、フィルタンリング特性の測定装置及び通信装置を含み、該通信装置は、互いに接続される送信機及び受信機であっても良く、又は、送信端及び受信端が接続される送受信機であっても良い。該送受信機は、例えば、送信端及び受信端が光ループの方式で接続されるものであっても良いが、本実施例は、これに限定されない。
【０１９３】
図20は、本実施例における通信システムを示す図である。図20に示すように、該通信システム2000は、互いに接続される送信機2001及び受信機2002、及びフィルタンリング特性の測定装置2003を含む。
【０１９４】
そのうち、フィルタンリング特性の測定装置2003の具体的な実施方式は、実施例4〜6におけるフィルタンリング特性の測定装置1300又は1900を参照することができ、受信端のフィルタンリング特性、送信端フィルタンリング特性、又はジョイントレスポンスを確定するために用いられる。なお、その構成は、上述の実施例に記載のようであるので、ここでは、詳しい説明を省略する。
【０１９５】
送信機2001及び受信機2002の具体図は、図1及び図2を参照することができるため、ここでは、重複説明を省略する。図1及び2における送信機及び受信機との異なる点は、本実施例では、送信機2001における送信器が、上述の第一測定信号、第二測定信号、第三測定信号及び第四測定信号を送信するために用いられることにある。該第一測定信号、第二測定信号、第三測定信号、及び第四測定信号の具体的な実施方式は、実施例1〜3を参照することができるため、ここでは、詳しい説明を省略する。或いは、送信機2001又は受信機2002に１つの新しい送信器を、第二測定信号及び第四測定信号を送信するために設置しても良い。そのうち、送信機及び受信機の構成は、例示に過ぎず、例えば、該送信機及び受信機は、さらに、他のモジュールを含んでも良いが、ここでは、詳しい説明を省略する。
【０１９６】
１つの実施方式では、まず、該通信システムにおけるフィルタンリング特性の測定装置中での設定ユニット（送信機又は受信機に設置されても良い）により、送信機2001のプレイコライザが作動しないようにさせる。第一回測定時に、送信機2001の送信器は、第一測定信号を送信し、それを、送信端及び受信端の各フィルタンリングモジュールを通過させ、また、第二測定信号を送信し、それを、上述の受信端フィルタンリングモジュールを通過させ、その後、受信機2002は、受信端で得られた第一受信信号をフィルタンリング特性の測定装置に送信する。第二回測定時に、送信機2001の送信器は、第三測定信号を送信して、送信端及び受信端の各フィルタンリングモジュールを通過させ、また、第二測定信号を送信して、上述の受信端フィルタンリングモジュールを通過させ、その後、受信機2002は、受信端で得られた第二受信信号をフィルタンリング特性の測定装置に送信し、該測定装置は、最終の受信端又は送信端のフィルタンリング特性又はジョイントレスポンスを確定する。具体的な方法は、実施例1に記載のようであるため、ここでは、詳しい説明を省略する。
【０１９７】
他の実施方式では、まず、該通信システムにおけるフィルタンリング特性の測定装置中での設定ユニット（送信機又は受信機に設置されても良い）により、送信機2001のプレイコライザが作動しないようにさせる。第一回測定時に、送信機2001の送信器は、第一測定信号を送信して、送信端及び受信端の各フィルタンリングモジュールを通過させ、また、第二測定信号を送信して、上述の受信端フィルタンリングモジュールを通過させ、その後、受信機2002は、受信端で得られた第一受信信号をフィルタンリング特性の測定装置を送信する。第二回測定時に、送信機2001の送信器は、第一測定信号を送信して、送信端及び受信端の各フィルタンリングモジュールを通過させ、また、第四測定信号を送信して、上述の受信端フィルタンリングモジュールを通過させ、その後、受信機2002は、受信端で得られた第二受信信号をフィルタンリング特性の測定装置に送信し、該測定装置は、最終の受信端又は送信端のフィルタンリング特性又はジョイントレスポンスを確定する。具体的な方法は、実施例2に記載のようであるため、ここでは、詳しい説明を省略する。
【０１９８】
他の実施方式では、まず、該通信システムにおけるフィルタンリング特性の測定装置中での設定ユニット（送信機又は受信機に設置されても良い）により、送信機2001のプレイコライザが作動しないようにさせる。第一回測定時に、送信機2001の送信器は、第二測定信号を送信して、受信端の各フィルタンリングモジュールを通過させ、その後、受信機2002は、受信端で得られた第三受信信号をフィルタンリング特性の測定装置に送信し、第二回測定時に、第一測定信号を送信して、送信端フィルタンリングモジュール及び上述の受信端フィルタンリングモジュールを通過させ、その後、受信機2002は、受信端で得られた第四受信信号をフィルタンリング特性の測定装置に送信し、該測定装置は、最終の受信端又は送信端のフィルタンリング特性又はジョイントレスポンスを確定する。具体的な方法は、実施例3に記載のようであるため、ここでは、詳しい説明を省略する。
【０１９９】
図21は、本実施例における通信システムを示す図である。図21に示すように、該通信システム2100は、送受信機2101及びフィルタンリング特性の測定装置2102を含み、そのうち、フィルタンリング特性の測定装置為2102は、受信端のフィルタンリング特性、送信端フィルタンリング特性、又はジョイントレスポンスを測定するために用いられ、その構成は、上述の実施例4〜6中のフィルタンリング特性の測定装置1300又は1900と同様であるため、ここでは、詳しい説明を省略する。
【０２００】
送受信機2101は、第一測定信号、第二測定信号、第三測定信号、第四測定信号を送信するために用いられ、該第一測定信号、第二測定信号、第三測定信号、第四測定信号の具体的な実施方式は、実施例1〜3を参照することができるため、ここでは、詳しい説明を省略する。図22は、該送受信機2101を示す図である。図22に示すように、送受信機の送信端及び受信端は、光ループの方式で接続される。該送受信機2101は、送信器2201、プレイコライザ2202、デジタルアナログ変換モジュール2203、レーザー2205、光変調器2204、光コヒーレント復調器2206、ローカルレーザー2207、アナログデジタル変換モジュール2208、受信器2209を含み、その具体的な実施方式は、図1及び2中の送信機及び受信機の各モジュールと同様であるため、ここでは、詳しい説明を省略する。図1及び2中の送信機及び受信機との異なる点は、本実施例では、送受信機2101中での送信器2201が、第一測定信号、第二測定信号、第三測定信号、第四測定信号を送信するために用いられ、又は、送受信機2101に１つの新しい送信器2210を設置しても良いことにある。例えば、送信端及び受信端が該送信器2210により接続され、そして、第二測定信号及び第四測定信号を送信しても良い。そのうち、該送受信機の構成は、例示に過ぎず、例えば、該送受信機は、さらに、他のモジュールを含んでも良いが、ここでは、詳しい説明を省略する。
【０２０１】
１つの実施方式では、まず、該通信システム中のフィルタンリング特性の測定装置中での設定ユニットにより、送受信機2101のプレイコライザが作動しないようにさせる。第一回測定時に、送受信機2101の送信器2201は、第一測定信号を送信して、送信端及び受信端の各フィルタンリングモジュールを通過させ、送信器2210は、第二測定信号を送信して、上述の受信端フィルタンリングモジュールを通過させ、その後、送受信機2101は、受信端で得られた第一受信信号をフィルタンリング特性の測定装置に送信する。第二回測定時に、送受信機2101の送信器2201は、第三測定信号を送信して、送信端及び受信端の各フィルタンリングモジュールを通過させ、送信器2210は、第二測定信号を送信して、上述の受信端フィルタンリングモジュールを通過させ、その後、送受信機2101は、受信端で得られた第二受信信号をフィルタンリング特性の測定装置に送信し、該測定装置は、最終の受信端又は送信端のフィルタンリング特性又はジョイントレスポンスを確定する。具体的な方法は、実施例1に記載のようであるため、ここでは、詳しい説明を省略する。
【０２０２】
他の実施方式では、まず、該通信システムにおけるフィルタンリング特性の測定装置中での設定ユニットにより、送受信機2101のプレイコライザが作動しないようにさせる。第一回測定時に、送受信機2101の送信器2201は、第一測定信号を送信して、送信端及び受信端の各フィルタンリングモジュールを通過させ、送信器2210は、第二測定信号を送信して、上述の受信端フィルタンリングモジュールを通過させ、その後、送受信機2101は、受信端で得られた第一受信信号をフィルタンリング特性の測定装置に送信する。第二回測定時に、送受信機2101の送信器2201は、該第一測定信号を送信して、送信端及び受信端の各フィルタンリングモジュールを通過させ、送信器2210は、第四測定信号を送信して、上述の受信端フィルタンリングモジュールを通過させ、その後、送受信機2101は、受信端で得られた第二受信信号をフィルタンリング特性の測定装置に送信し、該測定装置は、最終の受信端又は送信端のフィルタンリング特性又はジョイントレスポンスを確定する。具体的な方法は、実施例2に記載のようであるため、ここでは、詳しい説明を省略する。
【０２０３】
他の実施方式では、まず、通信システムにおけるフィルタンリング特性の測定装置中での設定ユニットにより、送受信機2101のプレイコライザが作動しないようにさせる。第一回測定時に、送受信機2101の送信器2210は、第二測定信号を送信して、受信端の各フィルタンリングモジュールを通過させ、その後、送受信機2101は、受信端で得られた第三受信信号をフィルタンリング特性の測定装置に送信する。第二回測定時に、送受信機2101の送信器2201は、第一測定信号を送信して、送信端フィルタンリングモジュール及び上述の受信端フィルタンリングモジュールを通過させ、その後、送受信機2101は、受信端で得られた第四受信信号をフィルタンリング特性の測定装置に送信し、該測定装置は、最終の受信端又は送信端のフィルタンリング特性又はジョイントレスポンスを確定する。具体的な方法は、実施例3に記載のようであるため、ここでは、詳しい説明を省略する。
【０２０４】
本実施例から分かるように、異なるフィルタンリングモジュールを通過し、且つ周波数スペクトル範囲が異なる測定信号を用いて２回測定を行い、送信機及び受信機自体は、受信端及び送信端のフィルタンリング特性及びジョイントレスポンスを確定することができるので、追加の計器を用いて測定する必要がなく、これによりフィルタンリング特性の計器測定による高コスト及び大規模使用不可の問題を避けることができる。
【実施例８】
【０２０５】
本発明の実施例8は、通信装置を提供し、実施例7における通信装置との異なる点は、実施例4〜6に記載のフィルタンリング特性の測定装置の機能を該通信装置に統合することにある。該通信装置は、送信機、受信機又は送受信機であっても良い。例えば、該通信装置が送信機である時に、フィルタンリング特性を測定する時に、他の受信機に接続される。該通信装置が受信機である時に、フィルタンリング特性を測定する時に、他の送信機に接続される。該通信装置が送受信機である時に、フィルタンリング特性を測定する時に、該送受信機の送信端及び受信端は接続され、例えば、光ループの方式で接続されても良いが、本実施例は、これに限定されない。
【０２０６】
図23は、本実施例における通信装置を示す図である。図23に示すように、通信装置2300は、中央処理装置（CPU）2301及び記憶器2302を含んでも良く、記憶器2302は、中央処理装置2301に結合される。なお、該図は、例示に過ぎず、他の類型の構造を用いて該構造に対して補充又は代替を行い、電気通信機能又は他の機能を実現することもできる。そのうち、中央処理装置2301は、送信器が第一測定信号、第二測定信号、第三測定信号又は第四測定信号を送信することを制御するように構成される。
【０２０７】
１つの実施方式では、実施例4〜6の任意の１つに記載のフィルタンリング特性の測定装置の機能を中央処理装置2301に統合することができる。
【０２０８】
本実施方式では、該中央処理装置2301は次のように構成されても良く、即ち、第一測定信号及び第二測定信号が各自のフィルタンリングモジュールを通過した後に得られた第一受信信号の周波数スペクトルのうちから、該第一測定信号及び該第二測定信号の重なり合わない周波数スペクトル部分に基づいて、受信端の第一部分フィルタンリング特性を確定し、又は、送信端のフィルタンリング特性及び受信端のフィルタンリング特性の第一部分ジョイントレスポンスを確定し、該第三測定信号及び第二測定信号が各自のフィルタンリングモジュールを通過した後に得られた第二受信信号の周波数スペクトルのうちから、該第三測定信号及び該第二測定信号の重なり合わない周波数スペクトル部分に基づいて、受信端の第二部分フィルタンリング特性を確定し、又は、第四測定信号及び該第一測定信号が各自のフィルタンリングモジュールを通過した後に得られた第二受信信号の周波数スペクトルのうちから、該第四測定信号及び該第一測定信号の重なり合わない周波数スペクトル部分に基づいて、送信端のフィルタンリング特性及び受信端のフィルタンリング特性の第二部分ジョイントレスポンスを確定し、該第一部分フィルタンリング特性及び該第二部分フィルタンリング特性に基づいて、該受信端のフィルタンリング特性を確定し、又は、該第一部分ジョイントレスポンス及び該第二部分ジョイントレスポンスに基づいて、該受信端のフィルタンリング特性及び該送信端のフィルタンリング特性のジョイントレスポンスを確定し、そのうち、該第一測定信号、第二測定信号、第三測定信号及び第四測定信号の具体的な実施方式は、実施例1を参照することができるため、ここでは、詳しい説明を省略する。
【０２０９】
そのうち、該中央処理装置2301は、次のように構成されても良く、即ち、該第一受信信号のパワースペクトル密度を計算し；該第一受信信号のパワースペクトル密度の周波数スペクトルから、該第一測定信号及び該第二測定信号の重なり合わない周波数スペクトル部分の第一パワースペクトル密度を、該受信端の第一部分フィルタンリング特性を得るために抽出し；該第二受信信号のパワースペクトル密度を計算し；該第二受信信号のパワースペクトル密度の周波数スペクトルから、該第三測定信号及び該第二測定信号の重なり合わない周波数スペクトル部分の第二パワースペクトル密度を、該受信端の第二部分フィルタンリング特性を得るために抽出する。
【０２１０】
そのうち、該中央処理装置2301は、次のように構成されても良く、即ち、該第一部分フィルタンリング特性及び該第二部分フィルタンリング特性の重なり合う周波数点の所におけるレスポンスが同じであるかを判断し；判断結果が「はい」の時に、該第一部分フィルタンリング特性及び該第二部分フィルタンリング特性を合併し、連続した該フィルタンリング特性を取得し；判断結果が「いいえ」の時に、該第一部分フィルタンリング特性及び該第二部分フィルタンリング特性の重なり合う周波数点の所におけるレスポンス調整を同じであるように調整し、そして、調整後の該第一部分フィルタンリング特性及び該第二部分フィルタンリング特性を合併し、連続した該フィルタンリング特性を取得する。
【０２１１】
そのうち、該中央処理装置2301は、次のように構成されても良く、即ち、該第一受信信号のパワースペクトル密度の周波数スペクトルのうちから、該第一測定信号及び該第二測定信号の重なり合う周波数スペクトル部分に基づいて、該第一部分ジョイントレスポンスを確定し；該第二受信信号のパワースペクトル密度の周波数スペクトルのうちから、該第三測定信号及び該第二測定信号の重なり合う周波数スペクトル部分に基づいて、該第二部分ジョイントレスポンスを確定し；該第一部分ジョイントレスポンス及び該第二部分ジョイントレスポンスに基づいて、該ジョイントレスポンスを確定する。
【０２１２】
そのうち、該中央処理装置2301は、次のように構成されてもよく、該第一受信信号のパワースペクトル密度の周波数スペクトルから、該第一測定信号及び該第二測定信号の重なり合う周波数スペクトル部分の第三パワースペクトル密度を抽出し、これにより、該第一部分ジョイントレスポンスを取得し；該第二受信信号のパワースペクトル密度の周波数スペクトルから、該第三測定信号及び該第二測定信号の重なり合う周波数スペクトル部分の第四パワースペクトル密度を抽出し、これにより、該第二部分ジョイントレスポンスを取得する。
【０２１３】
そのうち、該中央処理装置2301は、次のように構成されても良く、即ち、該第一部分ジョイントレスポンス及び該第二部分ジョイントレスポンスの重なり合う周波数点の所におけるレスポンスが同じであるかを判断し；判断結果が「はい」の時に、該第一部分ジョイントレスポンス及び該第二部分ジョイントレスポンスを合併し、連続した該ジョイントレスポンスを取得し；判断結果が「いいえ」の時に、該第一部分ジョイントレスポンス及び該第二部分ジョイントレスポンスの重なり合う周波数点の所におけるレスポンスを同じであるように調整し、そして、調整後の該第一部分ジョイントレスポンス及び該第二部分ジョイントレスポンスを合併し、連続した該ジョイントレスポンスを取得する。
【０２１４】
そのうち、該中央処理装置2301は、次のように構成されても良く、即ち、該第一受信信号のパワースペクトル密度を計算し；該第一受信信号のパワースペクトル密度の周波数スペクトルから、該第一測定信号及び該第二測定信号の重なり合わない周波数スペクトル部分の第五パワースペクトル密度を、該第一部分ジョイントレスポンスを得るよう、抽出し；該第一受信信号のパワースペクトル密度を計算し；該第二受信信号のパワースペクトル密度の周波数スペクトルから、該第一測定信号及び該第二四測定信号の重なり合わない周波数スペクトル部分の第六パワースペクトル密度を、該第二部分ジョイントレスポンスを得るよう、抽出する。
【０２１５】
そのうち、該中央処理装置2301は、次のように構成されても良く、即ち、該第一部分ジョイントレスポンス及び該第二部分ジョイントレスポンスの重なり合う周波数点の所におけるレスポンスが同じであるかを判断し；判断結果が「はい」の時に、該第一部分ジョイントレスポンス及び該第二部分ジョイントレスポンスを合併し、連続した該ジョイントレスポンスを取得し；判断結果が「いいえ」の時に、該第一部分ジョイントレスポンス及び該第二部分ジョイントレスポンスの重なり合う周波数点の所におけるレスポンス調整を同じであるように調整し、そして、調整後の該第一部分ジョイントレスポンス及び該第二部分ジョイントレスポンスを合併し、連続した該ジョイントレスポンスを取得する。
【０２１６】
そのうち、該中央処理装置2301は、次のように構成されても良く、即ち、該第一受信信号のパワースペクトル密度の周波数スペクトルから、該第一測定信号及び該第二測定信号の重なり合う周波数スペクトル部分に基づいて、該受信端の第一部分フィルタンリング特性を確定し；該第二受信信号のパワースペクトル密度の周波数スペクトルから、該第一測定信号及び該第四測定信号の重なり合う周波数スペクトル部分に基づいて、該受信端の第二部分フィルタンリング特性を確定し；該第一部分フィルタンリング特性及び該第二部分フィルタンリング特性に基づいて、該受信端のフィルタンリング特性を確定する。
【０２１７】
そのうち、該中央処理装置2301は、次のように構成されても良く、即ち、該第一受信信号のパワースペクトル密度の周波数スペクトルから、該第一測定信号及び該第二測定信号の重なり合う周波数スペクトル部分の第七パワースペクトル密度を、該第一部分フィルタンリング特性を得るために抽出し；該第二受信信号のパワースペクトル密度の周波数スペクトルから、該第四測定信号及び該第一測定信号の重なり合う周波数スペクトル部分の第八パワースペクトル密度を、該第二部分フィルタンリング特性を得るために抽出する。
【０２１８】
そのうち、該中央処理装置2301は、次のように構成されても良く、該第一部分フィルタンリング特性及び該第二部分フィルタンリング特性の重なり合う周波数点の所におけるレスポンスが同じであるかを判断し；判断結果が「はい」の時に、該第一部分フィルタンリング特性及び該第二部分ジョイントフィルタンリング特性を合併し、連続した該受信端のフィルタンリング特性を取得し；該判断結果が「いいえ」の時に、該第一部分フィルタンリング特性及び該第二部分フィルタンリング特性の重なり合う周波数点の所におけるレスポンスを同じであるように調整し、そして、調整後の該第一部分フィルタンリング特性及び該第二部分フィルタンリング特性を合併し、連続した該受信端のフィルタンリング特性を取得する。
【０２１９】
本実施例では、該中央処理装置2301はさらに次のように構成されても良く、即ち、第二測定信号が受信端フィルタンリングモジュールを通過した後に得られた第三受信信号のパワースペクトル密度に基づいて、該受信端のフィルタンリング特性を確定し、そのうち、該第二測定信号の周波数スペクトルは、フィルタンリング特性の全部測定範囲をカバーする。
【０２２０】
そのうち、該中央処理装置2301は次のように構成されても良く、即ち、第一測定信号が送信端フィルタンリングモジュール及び受信端フィルタンリングモジュールを通過した後に得られた第四受信信号のパワースペクトル密度に基づいて、該受信端のフィルタンリング特性及び該送信端のフィルタンリング特性のジョイントレスポンスを確定し、そのうち、該第一測定信号の周波数スペクトルは、フィルタンリング特性の全部測定範囲をカバーする。
【０２２１】
そのうち、該中央処理装置2301は次のように構成されても良く、即ち、該ジョイントレスポンス及び該受信端のフィルタンリング特性に基づいて、該送信端のフィルタンリング特性を確定する。
【０２２２】
他の実施方式では、実施例4〜6に記載のフィルタンリング特性の測定装置は、中央処理装置2301と別々で配置されても良く、例えば、該装置を中央処理装置2301と接続されるチップ（図23の2303参照）として構成しても良く、この場合、中央処理装置2301の制御により該装置2303の機能を実現することができる。
【０２２３】
図23に示すように、通信装置2300はさらに、通信モジュール2304、入力ユニット2305、表示器2307及び電源2308を含んでも良い。なお、通信装置2300は、必ずしも図23中に示すすべての部品を含む必要がない。また、通信装置2300は、さらに、図2300に示されていない部品を含んでも良いが、これについては、従来技術を参照することができる。
【０２２４】
本実施例では、通信装置2300が送信機である時に、装置2300はさらにレーザー2306を含み、且つ通信モジュール2304は信号送信モジュールであり、その構成は従来の送信機と同じであっても良く、例えば、図1に示すように、送信器101、プレイコライザ102、デジタルアナログ変換モジュール103、レーザー104及び光変調器105を含んでも良いが、通信モジュール2304の構成は、上述の実施例に限定されない。
【０２２５】
本実施例では、通信装置2300が受信機である時に、装置2300はさらにローカルレーザー（図示せず）を含むが、レーザーを含まず、且つ通信モジュール2304は信号受信モジュールであり、その構成は従来の受信機と同じであっても良く、例えば、図2に示すように、光コヒーレント復調器201、アナログデジタル変換モジュール203及び受信器204を含んでも良いが、通信モジュール2304の構成は、上述の実施例に限定されない。
【０２２６】
本実施例では、通信装置2300が送受信機である時に、装置2300はさらにレーザー2306及びローカルレーザー（図示せず）を含み、且つ通信モジュール2304は信号送信及び受信モジュールであり、その構成は従来の送受信機と同じであっても良く、例えば、送信モジュールは送信機と同様であり、受信モジュールは受信機と同様であっても良いが、通信モジュール2304の構成は、上述の実施例に限定されない。
【０２２７】
本実施例では、フィルタンリング特性の測定装置が設定ユニットを含まない時に、通信装置2300はさらに設定ユニット（図示せず）を含んでも良く、それは、送信機又は送受信機のプレイコライザを、該プレイコライザが作動しないように設定するために用いられるが、該設定ユニットは、入力ユニット2305により実現されても良い。
【０２２８】
図23に示すように、中央処理装置2301は、制御器又は操作コントローラと称される場合があり、マイクロプロセッサ又は他の処理器装置及び/又は論理装置を含んでも良く、該中央処理装置2301は、入力を受信し、通信装置2300の各部品の操作を制御するために用いられる。
【０２２９】
そのうち、記憶器2302は、例えば、バッファ、フレッシュメモリ、HDD、移動可能な媒体、揮発性記憶器、不揮発性記憶器又は他の適切な装置のうちの一つは複数であっても良く、予め義又は構成された情報を記憶することができ、さらに、情報処理のためのプログラムを記憶することもできる。また、中央処理装置2301は、該記憶器2302に記憶された該プログラムを、情報記憶又は処理などのために実行することもできる。他の部品の機能は従来と同様であるため、ここでは詳しい説明を省略する。また、通信装置2300の各部品は、専用ハードウェア、ファームウェア、ソフトウェア又はその組み合わせにより実現することもできるが、これらはすべて本発明の範囲に属する。
【０２３０】
本実施例では、例えば、通信装置2300は、送信機であり、フィルタンリング特性を測定する時に、先にフィルタンリング特性の測定装置2303中での設定ユニット又は通信装置2300上での設定ユニット（例えば、入力ユニット2305）により、通信モジュール2304中でのプレイコライザのワーキングを停止させる。
【０２３１】
１つの実施方式では、CPUの制御下で通信モジュール2304中での送信器に第一測定信号及び第二測定信号を送信させ、該第一測定信号は通信モジュール2304の送信端フィルタンリングモジュールを通過し、該第二測定信号は該送信端フィルタンリングモジュールを通過した第一測定信号と重ね合わせて、送信機と接続される受信機の受信端フィルタンリングモジュールを通過し、その後、CPUの制御下で送信機と接続される受信機から得られた第一受信信号をフィルタンリング特性の測定装置2303に送信させ；その後、CPUの制御下で通信モジュール2304中での送信器に第三測定信号及び第二測定信号を送信させ、該第三測定信号が通信モジュール2304の送信端フィルタンリングモジュールを通過し、該第二測定信号は該送信端フィルタンリングモジュールを通過した第三測定信号と重ね合わせて、送信機と接続される受信機の受信端フィルタンリングモジュールを通過し、その後、CPUの制御下で送信機と接続される受信機から得られた第二受信信号をフィルタンリング特性の測定装置2303に送信させる。
【０２３２】
他の実施方式では、CPUの制御下で通信モジュール2304中での送信器に第一測定信号及び第二測定信号を送信させ、該第一測定信号は通信モジュール2304の送信端フィルタンリングモジュールを通過し、該第二測定信号は該送信端フィルタンリングモジュールを通過した第一測定信号重ね合わせて、送信機と接続される受信機の受信端フィルタンリングモジュールを通過し、その後、CPUの制御下で送信機と接続される受信機から得られた第一受信信号をフィルタンリング特性の測定装置2303に送信させ；その後、CPUの制御下で通信モジュール2304中での送信器に第一測定信号及び第四測定信号を送信させ、該第一測定信号は通信モジュール2304の送信端フィルタンリングモジュールを通過し、該第四測定信号は該送信端フィルタンリングモジュールを通過した第一測定信号と重ね合わせて、送信機と接続される受信機の受信端フィルタンリングモジュールを通過し、その後、CPUの制御下で送信機と接続される受信機から得られた第二受信信号をフィルタンリング特性の測定装置2303に送信させる。
【０２３３】
他の実施方式では、CPUの制御下で通信モジュール2304中での送信器に第一測定信号のみ送信させ、該第一測定信号は通信モジュール2304の送信端フィルタンリングモジュール及び送信機と接続される受信機の受信端フィルタンリングモジュールを通過し、その後、CPUの制御下で送信機と接続される受信機から得られた第三受信信号をフィルタンリング特性の測定装置2303を送信させ；その後、CPUの制御下で通信モジュール2304中での送信器に第二測定信号のみ送信させて、送信機と接続される受信機の受信端フィルタンリングモジュールを通過させ、その後、CPUの制御下で送信機と接続される受信機から得られた第四受信信号をフィルタンリング特性の測定装置2303に送信させる。
【０２３４】
最後に、装置2303は、最終の受信端又は送信端のフィルタンリング特性又はジョイントレスポンスを確定し、その具体的な方法は、実施例1〜3と同様であるため、ここでは、詳しい説明を省略する。また、通信装置2300に１つの新しい送信器（図示せず）を、該第一測定信号、第二測定信号、第三測定信号、第四測定信号のうちの少なくとも１つの信号を送信するために設置しても良い。
【０２３５】
本実施例では、例えば、通信装置2300は、送受信機であり、フィルタンリング特性を測定する時に、先に該フィルタンリング特性の測定装置2303中での設定ユニット又は通信装置2300上での設定ユニット（例えば、入力ユニット2305）により、通信モジュール2304中でのプレイコライザのワーキングを停止させる。
【０２３６】
１つの実施方式では、CPUの制御下で通信モジュール2304中での送信器に第一測定信号及び第二測定信号を送信させ、該第一測定信号は通信モジュール2304の送信端フィルタンリングモジュールを通過し、該第二測定信号は該送信端フィルタンリングモジュールを通過した第一測定信号と重ね合わせ、通信モジュール2304の受信端フィルタンリングモジュールを通過し、その後、CPUの制御下で得られた第一受信信号をフィルタンリング特性の測定装置2303を送信させ；その後、CPUの制御下で通信モジュール2304中での送信器に第三測定信号及び第二測定信号を送信させ、該第三測定信号は通信モジュール2304の送信端フィルタンリングモジュールを通過し、該第二測定信号は該送信端フィルタンリングモジュールを通過した第三測定信号と重ね合わせて、通信モジュール2304の受信端フィルタンリングモジュールを通過し、その後、CPUの制御下で得られた第二受信信号をフィルタンリング特性の測定装置2303を送信させる。
【０２３７】
他の実施方式では、CPUの制御下で通信モジュール2304中での送信器に第一測定信号及び第二測定信号を送信させ、該第一測定信号は通信モジュール2304の送信端フィルタンリングモジュールを通過し、該第二測定信号は該送信端フィルタンリングモジュールを通過した第一測定信号と重ね合わせて、通信モジュール2304の受信端フィルタンリングモジュールを通過し、その後、CPUの制御下で得られた第一受信信号をフィルタンリング特性の測定装置2303を送信させ；その後、CPUの制御下で通信モジュール2304中での送信器に第一測定信号及び第四測定信号を送信させ、該第一測定信号は通信モジュール2304の送信端フィルタンリングモジュールを通過し、該第四測定信号は該送信端フィルタンリングモジュールを通過した第一測定信号と重ね合わせて、通信モジュール2304の受信端フィルタンリングモジュールを通過し、その後、CPUの制御下で得られた第二受信信号をフィルタンリング特性の測定装置2303に送信させる。
【０２３８】
他の実施方式では、CPUの制御下で通信モジュール2304中での送信器に第一測定信号のみ送信させ、該第一測定信号は通信モジュール2304の送信端フィルタンリングモジュール及び通信モジュール2304の受信端フィルタンリングモジュールを通過し、その後、CPUの制御下で得られた第三受信信号をフィルタンリング特性の測定装置2303を送信させ；その後、CPUの制御下で、通信モジュール2304中での送信器に、第二測定信号のみ送信させて、通信モジュール2304の受信端フィルタンリングモジュールを通過させ、その後、CPUの制御下で、得られた第四受信信号をフィルタンリング特性の測定装置2303に送信させる。
【０２３９】
最後に、装置2303は、最終の受信端又は送信端のフィルタンリング特性又はジョイントレスポンスを確定し、その具体的な方法は、実施例1〜3に記載のようであり、ここでは詳しい説明を省略する。また、通信装置2300に１つの新しい送信器（図示せず）を、該第一測定信号、第二測定信号、第三測定信号、第四測定信号のうちの少なくとも１つの信号を送信するために設置しても良い。
【０２４０】
本実施例では、例えば、通信装置2300は、受信機であり、フィルタンリング特性を測定する時に、先に該フィルタンリング特性の測定装置2303中での設定ユニット又は通信装置2300上での設定ユニット（例えば、入力ユニット2305）により、該受信機と接続される送信機のプレイコライザのワーキングを停止させる。
【０２４１】
１つの実施方式では、CPUの制御下で該受信機と接続される送信機の送信器に第一測定信号及び第二測定信号を送信させ、該第一測定信号は該受信機と接続される送信機の送信端フィルタンリングモジュールを通過し、該第二測定信号は該送信端フィルタンリングモジュールを通過した第一測定信号と重ね合わせて、通信モジュール2304の受信端フィルタンリングモジュールを通過し、その後、CPUの制御下で得られた第一受信信号をフィルタンリング特性の測定装置2303に送信させ；その後、CPUの制御下で該受信機と接続される送信機の送信器に第三測定信号及び第二測定信号を送信させ、該第三測定信号は該受信機と接続される送信機の送信端フィルタンリングモジュールを通過し、該第二測定信号は該送信端フィルタンリングモジュールを通過した第三測定信号重ね合わせて、通信モジュール2304の受信端フィルタンリングモジュールを通過し、その後、CPUの制御下で得られた第二受信信号をフィルタンリング特性の測定装置2303に送信させる。
【０２４２】
他の実施方式では、CPUの制御下で該受信機と接続される送信機の送信器に第一測定信号及び第二測定信号を送信させ、該第一測定信号は該受信機と接続される送信機の送信端フィルタンリングモジュールを通過し、該第二測定信号は該送信端フィルタンリングモジュールを通過した第一測定信号と重ね合わせて、通信モジュール2304の受信端フィルタンリングモジュールを通過し、その後、CPUの制御下で得られた第一受信信号をフィルタンリング特性の測定装置2303に送信させ；その後、CPUの制御下で該受信機と接続される送信機の送信器に第一測定信号及び第四測定信号を送信させ、該第一測定信号は該受信機と接続される送信機の送信端フィルタンリングモジュールを通過し、該第四測定信号は該送信端フィルタンリングモジュールを通過した第一測定信号と重ね合わせて、通信モジュール2304の受信端フィルタンリングモジュールを通過し、その後、CPUの制御下で得られた第二受信信号をフィルタンリング特性の測定装置2303に送信させる。
【０２４３】
他の実施方式では、CPUの制御下で該受信機と接続される送信機の送信器に第一測定信号のみ送信させ、該第一測定信号は該受信機と接続される送信機の送信端フィルタンリングモジュール及び通信モジュール2304の受信端フィルタンリングモジュールを通過し、その後、CPUの制御下で得られた第三受信信号をフィルタンリング特性の測定装置2303に送信させ；その後、CPUの制御下で該受信機と接続される送信機の送信器に第二測定信号のみ送信させて、通信モジュール2304の受信端フィルタンリングモジュールを通過させ、その後、CPUの制御下で得られた第四受信信号をフィルタンリング特性の測定装置2303に送信させる。
【０２４４】
最後に、装置2303は、最終の受信端又は送信端のフィルタンリング特性又はジョイントレスポンスを確定し、その具体的な方法は、実施例1〜3と同様であるため、ここでは、詳しい説明を省略する。また、通信装置2300に１つの新しい送信器（図示せず）を、該第一測定信号、第二測定信号、第三測定信号、第四測定信号のうちの少なくとも１つの信号を送信するために設置しても良い。
【０２４５】
そのうち、上述のフィルタンリング特性の測定装置2303の機能は、CPU  2301により実現することもでき、CPU  2301は、受信信号を得た後に、実施例1〜3中での方法を直接使用して最終の受信端又は送信端のフィルタンリング特性又はジョイントレスポンスを確定することができるが、ここでは、詳しい説明を省略する。
【０２４６】
本実施例から分かるように、異なるフィルタンリングモジュールを通過し、且つ周波数スペクトル範囲が異なる測定信号を用いて２回測定を行い、送信機及び受信機自体は、受信端及び送信端のフィルタンリング特性及びジョイントレスポンスを確定することができるので、追加の計器を用いて測定する必要がなく、これによりフィルタンリング特性の計器測定による高コスト及び大規模使用不可の問題を避けることができる。
【実施例９】
【０２４７】
実施例9はさらに、フィルタンリング特性の測定装置を提供し、実施例4〜6に係る装置との異なる点は、本実施例では、従来の送信機又は送受信機の送信器を使用せず、従来の送信機、受信機又は送受信機の各フィルタンリングモジュールのみ使用することにある。
【０２４８】
図24は、実施例9における該装置の一実施方式を示す図である。図24に示すように、該装置2400は、第一確定ユニット2401、第二確定ユニット2402、第一処理ユニット2403を含み、その具体的な実施方式は、実施例4〜5中での第一確定ユニット1301、第二確定ユニット1302、第一処理ユニット1303を参照することができるため、ここでは、詳しい説明を省略する。
【０２４９】
本実施例では、該装置2400はさらに、第一送信ユニット2404を含んでも良く、それは、第一測定信号、第二測定信号、第三測定信号及び第四測定信号を送信する。
【０２５０】
１つの実施方式では、先に第一測定信号及び第二測定信号を送信し、該第一測定信号は受信機又は送受信機の送信端フィルタンリングモジュールを通過し、該第二測定信号は該送信端フィルタンリングモジュールを通過した第一測定信号と重ね合わせて、送受信機又は受信機の受信端フィルタンリングモジュールを通過し、これにより、第一受信信号を取得し；その後、第三測定信号及び第二測定信号を送信し、該第三測定信号は、受信機又は送受信機の送信端フィルタンリングモジュールを通過し、該第二測定信号は、該送信端フィルタンリングモジュールを通過した第三測定信号と重ね合わせて、送受信機又は受信機の受信端フィルタンリングモジュールを通過し、これにより、第二受信信号を取得する。
【０２５１】
１つの実施方式では、先に第一測定信号及び第二測定信号を送信し、該第一測定信号は受信機又は送受信機の送信端フィルタンリングモジュールを通過し、該第二測定信号は該送信端フィルタンリングモジュールを通過した第一測定信号と重ね合わせて、送受信機又は受信機の受信端フィルタンリングモジュールを通過し、これにより、第一受信信号を手取得し；その後、第一測定信号及び第四測定信号を送信し、該第一測定信号は、受信機又は送受信機の送信端フィルタンリングモジュールを通過し、該第四測定信号は該送信端フィルタンリングモジュールを通過した第一測定信号と重ね合わせて、送受信機又は受信機の受信端フィルタンリングモジュールを通過し、これにより、第二受信信号を取得する。
【０２５２】
また、該第一確定ユニット2401及び第二確定ユニット2402は、該第一受信信号及び第二受信信号を得ることができ、第一処理ユニット2403は、最終の受信端のフィルタンリング特性及びジョイントレスポンスを確定することができ、その具体的な方法は、実施例1〜2と同様であるから、ここでは、詳しい説明を省略する。
【０２５３】
本実施例では、第一送信ユニット2404が送信した第一測定信号又は第三測定信号を、従来の送信機又は送受信機のプレイコライザを通過させる必要がないので、該装置は、実施例4〜5中での設定ユニットを含む必要がない。
【０２５４】
本実施例では、さらに、第三確定ユニット、第四確定ユニット、第二処理ユニット（オプション；図示せず）及び第六処理ユニット（図示せず）を含んでも良く、その具体的な実施方式は、実施例4〜5を参照することができるため、ここでは、詳しい説明を省略する。
【０２５５】
図25は、実施例9における該装置の一実施方式を示す図である。図25に示すように、該装置2500は、第四処理ユニット2501及び第五処理ユニット2502を含み、その具体的な実施方式は、実施例6における第四処理ユニット1901及び第五処理ユニット1902を参照することができるため、ここでは、詳しい説明を省略する。
【０２５６】
本実施例では、該装置2500はさらに第一送信ユニット2503を含んでも良く、それは第一測定信号及び第二測定信号を送信し；そのうち、第一回測定時に、該第一測定信号のみ送信して、受信機又は送受信機の送信端フィルタンリングモジュール及び送受信機又は受信機の受信端フィルタンリングモジュールを通過させ、これにより、第三受信信号を取得し；その後、第二回測定時に、第二測定信号のみ送信して、送受信機又は受信機の受信端フィルタンリングモジュールを通過させ、これにより、第四受信信号を取得する。そのうち、第一回測定時に先に第二測定信号を送信し、第二回測定時にさらに第一測定信号を送信しても良いが、本実施例はこれに限定されない。
【０２５７】
また、該第四処理ユニット2501及び第五処理ユニット2502は該第三受信信号及び第四受信信号を得ることができ、そして、最終の受信端のフィルタンリング特性及びジョイントレスポンスを確定することができ、その具体的な方法は、実施例3と同様であるため、ここでは、詳しい説明を省略する。
【０２５８】
本実施例から分かるように、異なるフィルタンリングモジュールを通過し、且つ周波数スペクトル範囲が異なる測定信号を用いて２回測定を行い、送信機及び受信機自体は、受信端及び送信端のフィルタンリング特性及びジョイントレスポンスを確定することができるため、追加の計器を用いて測定する必要がなく、これによりフィルタンリング特性の計器測定による高コスト及び大規模使用不可の問題を避けることができる。
【実施例１０】
【０２５９】
実施例10はさらに、フィルタンリング特性の測定装置を提供し、実施例9の装置と異なる点は、本実施例では、従来の送信機又は送受信機の送信端フィルタンリングモジュール及び受信機又は送受信機の受信端フィルタンリングモジュールを使用しないことにある。
【０２６０】
図26は、実施例10における該装置の一実施方式を示す図である。図26に示すように、該装置2600は、第一確定ユニット2601、第二確定ユニット2602、第一処理ユニット2603、第一送信ユニット2604を含み、これらについては、実施例9における第一確定ユニット2401、第二確定ユニット2402、第一処理ユニット2403、第一送信ユニット2404を参照することができるため、ここでは、詳しい説明を省略する。
【０２６１】
本実施例では、該装置2600はさらに送信端フィルタンリングモジュール2605を含んでも良く、それは、測定待ちの送信端フィルタンリング特性の送信機又は送受信機のフィルタンリングモジュールと等価し、さらに受信端フィルタンリングモジュール2606を含んでも良く、それは、測定待ちの受信端のフィルタンリング特性の受信機又は送受信機のフィルタンリングモジュールと等価する。
【０２６２】
１つの実施方式では、第一送信ユニット2604は、該第一測定信号を送信端フィルタンリングモジュール2605に送信し、また、該第二測定信号を送信して、該第二測定信号は、該送信端フィルタンリングモジュール2605を通過した第一測定信号と重ね合わせて、受信端フィルタンリングモジュール2606を通過し、これにより、第一受信信号を取得し；その後、第三測定信号を送信端フィルタンリングモジュール2605に送信し、また、該第二測定信号を送信し、該第二測定信号は、該送信端フィルタンリングモジュールを通過した第三測定信号と重ね合わせて、受信端フィルタンリングモジュール2606を通過し、これにより、第二受信信号を取得する。
【０２６３】
１つの実施方式では、第一送信ユニット2604は、該第一測定信号を送信端フィルタンリングモジュール2605に送信し、また、該第二測定信号を送信し、該第二測定信号は、該送信端フィルタンリングモジュール2605を通過した第一測定信号と重ね合わせて、受信端フィルタンリングモジュール2606を通過し、これにより、第一受信信号を取得し；その後、第一測定信号を送信端フィルタンリングモジュール2605に送信し、また、該第四測定信号を送信し、該第四測定信号は、該送信端フィルタンリングモジュールを通過した第一測定信号と重ね合わせて、受信端フィルタンリングモジュール2606を通過し、これにより、第二受信信号を取得する。
【０２６４】
また、該第一確定ユニット2601及び第二確定ユニット2602は、該第一受信信号及び第二受信信号を得ることができ、第一処理ユニット2603は、最終の受信端のフィルタンリング特性及びジョイントレスポンスを確定することができ、その具体的な方法は、実施例1〜2と同様であるため、ここでは、詳しい説明を省略する。
【０２６５】
本実施例では、第一送信ユニット2604が送信した第一測定信号又は第三測定信号を、従来の送信機又は送受信機のプレイコライザを通過させる必要がないので、該装置は、実施例4〜5中での設定ユニットを含む必要がない。
【０２６６】
本実施例では、さらに、第三確定ユニット、第四確定ユニット、第二処理ユニット（オプション；図示せず）及び第六処理ユニット（図示せず）を含んでも良く、その具体的な実施方式は、実施例4〜5を参照することができるため、ここでは、詳しい説明を省略する。
【０２６７】
図27は、実施例10における該装置の一実施方式を示す図である。図27に示すように、該装置2700は、第四処理ユニット2701、第五処理ユニット2702、第一送信ユニット2703を含み、その具体的な実施方式は、実施例9における第四処理ユニット2501、第五処理ユニット2502、第一送信ユニット2503を参照することができるため、ここでは、詳しい説明を省略する。
【０２６８】
本実施例では、該装置2500はさらに送信端フィルタンリングモジュール2704を含んでも良く、それは、測定待ちの送信端フィルタンリング特性の送信機又は送受信機のフィルタンリングモジュールと等価し、さらに受信端フィルタンリングモジュール2705を含んでも良く、それは、測定待ちの受信端のフィルタンリング特性の受信機又は送受信機のフィルタンリングモジュールと等価する。
【０２６９】
本実施例では、第一送信ユニット2703は、第一回測定時に、該第一測定信号のみ送信して、送信端フィルタンリングモジュール2704及び受信端フィルタンリングモジュール2705を通過させ、これにより、第三受信信号を取得し；その後、第二回測定時に、第二測定信号のみ送信して、受信端フィルタンリングモジュール2705を通過させ、これにより、第四受信信号を取得する。そのうち、第一回測定時に先に第二測定信号を送信し、第二回測定時にさらに第一測定信号を送信しても良く、本実施例はこれに限定されない。
【０２７０】
また、該第四処理ユニット2701及び第五処理ユニット2702は、該第三受信信号及び第四受信信号を得ることができ、また、最終の受信端のフィルタンリング特性及びジョイントレスポンスを確定することもでき、その具体的な方法は、実施例3と同様であるため、ここでは、詳しい説明を省略する。
【０２７１】
本実施例では、送信端のフィルタンリング特性確定後に、該装置2600又は2700は、該フィルタンリング特性を通信装置、例えば、送受信機又は送信機のプレイコライザに送信することができ、これにより、該プレイコライザは、送信端のフィルタンリング特性に基づいて、プレイコライザ係数を、プレイコライゼーション処理のために得ることもできる。
【０２７２】
本実施例から分かるように、異なるフィルタンリングモジュールを通過し、且つ周波数スペクトル範囲が異なる測定信号を用いて２回測定を行い、送信機及び受信機自体は、受信端及び送信端のフィルタンリング特性及びジョイントレスポンスを確定することができるため、追加の計器を用いて測定する必要がなく、これによりフィルタンリング特性の計器測定による高コスト及び大規模使用不可の問題を避けることができる。
【実施例１１】
【０２７３】
実施例11はさらに、プレイコライザを提供し、図28は、本実施例中でのプレイコライザを示す図である。該プレイコライザ2800は、次のようなものを含む。
【０２７４】
特性測定ユニット2801：フィルタンリング特性の測定装置を含み、送信端のフィルタンリング特性を確定するために用いられ；
プレイコライゼーションユニット2802：該送信端のフィルタンリング特性に基づいて、該プレイコライザの係数を確定し、また、該プレイコライザの係数を用いて、送信信号に対してプレイコライゼーション処理を行う。
【０２７５】
そのうち、特性測定ユニット2801の具体的な実施方式は、実施例4〜6又は9又は10のうちの任意の一つのフィルタンリング特性の測定装置を参照することができ、また、該プレイコライゼーションユニット2802は、ゼロフォーシング、最小平均二乗誤差などの方法を採用してプレイコライザの係数を確定しても良く、また、CMA（constant  modulus  algorithm）を採用し該係数を用いて受信信号に対してプレイコライゼーション処理を行っても良いが、本実施例はこれに限定されない。
【実施例１２】
【０２７６】
実施例12はさらに通信装置を提供し、該通信装置は送受信機又は送信機であっても良い。該通信装置は、実施例11におけるのプレイコライザを含み、その具体的な実施方式は、実施例11を参照することができるため、ここでは、詳しい説明を省略する。
【０２７７】
本実施例から分かるように、異なるフィルタンリングモジュールを通過し、且つ周波数スペクトル範囲が異なる測定信号を用いて２回測定を行い、送信機及び受信機自体は、受信端及び送信端のフィルタンリング特性及びジョイントレスポンスを確定することができるため、追加の計器を用いて測定する必要がなく、これにより、フィルタンリング特性の計器測定による高コスト及び大規模使用不可の問題を避けることができる。また、上述の測定によるフィルタンリング特性を用いてプレイコライザ係数を取得し、これにより、該プレイコライザ係数を用いて、フィルタンリングモジュールによるフィルタンリング損傷を補償することができる。
【０２７８】
本発明の実施例はさらにコンピュータ可読プログラムを提供し、そのうち、フィルタンリング特性の測定装置中で該プログラムを実行する時に、該プログラムは、コンピュータに、該装置中で上述の実施例1〜3に記載のフィルタンリング特性の測定方法を実行させる。
【０２７９】
本発明の実施例やさらにコンピュータ可読プログラムを記憶した記憶媒体を提供し、そのうち、該コンピュータ可読プログラムは、コンピュータに、フィルタンリング特性の測定装置中で上述の1〜3に記載のフィルタンリング特性の測定方法を実行させる。
【０２８０】
また、本発明の実施例による装置及び方法は、ソフトウェアにより実現されても良く、ハードウェアにより実現されてもよく、ハードウェア及びソフトウェアの組み合わせにより実現されても良い。又は、本発明はこのようなコンピュータ可読プログラムにも関し、即ち、前記プログラムは、ロジック部品により実行される時に、前記ロジック部品に、上述の装置又は構成要素を実現させることができ、又は、前記ロジック部品に、上述の方法又はそのステップを実現させることができる。さらに、本発明は上述のプログラムを記憶するための記憶媒体、例えば、ハードディスク、磁気ディスク、光ディスク、DVD、フラッシュメモリなどにも関する。
【０２８１】
また、上述の実施形態に関し、さらに、次のように付記も開示する。
【０２８２】
（付記1）
フィルタンリング特性の測定装置であって、
第一測定信号及び第二測定信号が各自のフィルタンリングモジュールを通過した後に得られた第一受信信号の周波数スペクトルのうちから、前記第一測定信号及び前記第二測定信号の重なり合わない周波数スペクトル部分に基づいて、受信端の第一部分フィルタンリング特性を確定し、又は、送信端のフィルタンリング特性及び受信端のフィルタンリング特性の第一部分ジョイントレスポンスを確定するための第一確定ユニット；
第三測定信号及び前記第二測定信号が各自のフィルタンリングモジュールを通過した後に得られた第二受信信号の周波数スペクトルのうちから、前記第三測定信号及び前記第二測定信号の重なり合わない周波数スペクトル部分に基づいて、受信端の第二部分フィルタンリング特性を確定し、又は、第四測定信号及び前記第一測定信号が各自のフィルタンリングモジュールを通過した後に得られた第二受信信号の周波数スペクトルのうちから、前記第四測定信号及び前記第一測定信号の重なり合わない周波数スペクトル部分に基づいて、送信端のフィルタンリング特性及び受信端のフィルタンリング特性の第二部分ジョイントレスポンスを確定するための第二確定ユニット；及び
前記第一部分フィルタンリング特性及び前記第二部分フィルタンリング特性に基づいて、前記受信端のフィルタンリング特性を確定し、又は、前記第一部分ジョイントレスポンス及び前記第二部分ジョイントレスポンスに基づいて、前記受信端のフィルタンリング特性及び前記送信端のフィルタンリング特性のジョイントレスポンスを確定するための第一処理ユニットを含み、
そのうち、前記第一測定信号及び前記第三測定信号が通過するフィルタンリングモジュールは、送信端フィルタンリングモジュール及び受信端フィルタンリングモジュールを含み、前記第二測定信号及び前記第四測定信号が通過するフィルタンリングモジュールは、前記受信端フィルタンリングモジュールを含み、前記第一測定信号及び前記第二測定信号の周波数スペクトル範囲は異なり、前記第三測定信号と前記第一測定信号周波数とは相補的であり、又は、前記第四測定信号と前記第二測定信号周波数とは相補的であり、
前記周波数の相補は、２つの測定信号の周波数スペクトル範囲が前記フィルタンリング特性の全部測定範囲をカバーし、且つ２つの測定信号が重なり合う周波数点を有することを表し、前記第一測定信号、第二測定信号、第三測定信号及び第四測定信号は連続信号である、装置。
【０２８３】
（付記2）
付記1に記載の装置であって、
前記第一確定ユニットは、
前記第一受信信号のパワースペクトル密度を計算するための第一測定ユニット；
前記第一受信信号のパワースペクトル密度の周波数スペクトルから、前記第一測定信号及び前記第二測定信号の重なり合わない周波数スペクトル部分の第一パワースペクトル密度を抽出するための第一抽出ユニット；及び
前記第一パワースペクトル密度に基づいて、前記受信端の第一部分フィルタンリング特性を得るための第一取得ユニットを含み、
前記第二確定ユニットは、
前記第二受信信号のパワースペクトル密度を計算するための第二測定ユニット；
前記第二受信信号のパワースペクトル密度の周波数スペクトルから、前記第三測定信号及び前記第二測定信号の重なり合わない周波数スペクトル部分の第二パワースペクトル密度を抽出するための第二抽出ユニット；及び
前記第二パワースペクトル密度に基づいて、前記受信端の第二部分フィルタンリング特性を得るための第二取得ユニットを含む、装置。
【０２８４】
（付記3）
付記1に記載の装置であって、
前記第一処理ユニットは、
前記第一部分フィルタンリング特性及び前記第二部分フィルタンリング特性の重なり合う周波数点の所におけるレスポンスが同じであるかを判断するための第一判断ユニット；及び
前記第一判断ユニットの判断結果がはいの時に、前記第一部分フィルタンリング特性及び前記第二部分フィルタンリング特性を合併して、連続した前記フィルタンリング特性を得るための第一合併ユニットを含み、
前記第一判断ユニットの判断結果がいいえの時に、前記第一処理ユニットは、さらに、
前記第一部分フィルタンリング特性及び前記第二部分フィルタンリング特性の重なり合う周波数点の所におけるレスポンスを同じであるように調整するための第一調整ユニットを含み、
前記第一合併ユニットは、さらに、調整後の前記第一部分フィルタンリング特性及び前記第二部分フィルタンリング特性を合併して、連続した前記フィルタンリング特性を得る、装置。
【０２８５】
（付記4）
付記2に記載の装置であって、
前記第一確定ユニットは、さらに、
前記第二測定信号が平坦なパワースペクトル密度を有しない時に、前記第一抽出ユニットが抽出した前記第一パワースペクトル密度から、前記第二測定信号のパワースペクトル密度を除去する第一除去ユニットを含み、
前記第一取得ユニットは、前記第一除去ユニットの処理後の結果に基づいて、前記第一部分フィルタンリング特性を確定し、
前記第二確定ユニットは、さらに、
前記第二測定信号が平坦なパワースペクトル密度を有しない時に、前記第二抽出ユニットが抽出した前記第二パワースペクトル密度から、前記第二測定信号のパワースペクトル密度を除去するための第二除去ユニットを含み、
前記第二取得ユニットは、前記第二除去ユニットの処理後の結果に基づいて、前記第二部分フィルタンリング特性を確定する、装置。
【０２８６】
（付記5）
付記2に記載の装置であって、さらに、
前記第一受信信号のパワースペクトル密度の周波数スペクトルのうちから、前記第一測定信号及び前記第二測定信号の重なり合う周波数スペクトル部分に基づいて、前記第一部分ジョイントレスポンスを確定するための第三確定ユニット；
前記第二受信信号のパワースペクトル密度の周波数スペクトルのうちから、前記第三測定信号及び前記第二測定信号の重なり合う周波数スペクトル部分に基づいて、前記第二部分ジョイントレスポンスを確定するための第四確定ユニット；及び
前記第一部分ジョイントレスポンス及び前記第二部分ジョイントレスポンスに基づいて、前記ジョイントレスポンスを確定するための第二処理ユニットを含む、装置。
【０２８７】
（付記6）
付記5に記載の装置であって、
前記第三確定ユニットは、
前記第一受信信号のパワースペクトル密度の周波数スペクトルから、前記第一測定信号及び前記第二測定信号の重なり合う周波数スペクトル部分の第三パワースペクトル密度を抽出するための第三抽出ユニット；及び
前記第三パワースペクトル密度に基づいて、前記第一部分ジョイントレスポンスを得るための第三取得ユニットを含み、
前記第四確定ユニットは、
前記第二受信信号のパワースペクトル密度の周波数スペクトルから、前記第三測定信号及び前記第二測定信号の重なり合う周波数スペクトル部分の第四パワースペクトル密度を抽出するための第四抽出ユニット；及び
前記第四パワースペクトル密度に基づいて、前記第二部分ジョイントレスポンスを得るための第四取得ユニットを含む、装置。
【０２８８】
（付記7）
付記5に記載の装置であって、
前記第二処理ユニットは、
前記第一部分ジョイントレスポンス及び前記第二部分ジョイントレスポンスの重なり合う周波数点の所におけるレスポンスが同じであるかを判断するための第二判断ユニット；及び
前記第二判断ユニットの判断結果がはいの時に、前記第一部分ジョイントレスポンス及び前記第二部分ジョイントレスポンスを合併して、連続した前記ジョイントレスポンスを得るための第二合併ユニットを含み、
前記第二判断ユニットの判断結果がいいえの時に、前記第二処理ユニットは、さらに、
前記第一部分ジョイントレスポンス及び前記第二部分ジョイントレスポンスの重なり合う周波数点の所におけるレスポンスを同じであるように調整するための第二調整ユニットを含み、
前記第二合併ユニットは、さらに、調整後の前記第一部分ジョイントレスポンス及び前記第二部分ジョイントレスポンスを合併して、連続した前記ジョイントレスポンスを得る、装置。
【０２８９】
（付記8）
付記6に記載の装置であって、
前記第三確定ユニットは、さらに、
前記第一測定信号及び前記第三測定信号が平坦なパワースペクトル密度を有しない時に、前記第三抽出ユニットが抽出した前記第三パワースペクトル密度から、前記第一測定信号のパワースペクトル密度を除去するための第三除去ユニットを含み、
前記第三取得ユニットは、前記第三除去ユニットの処理後の結果に基づいて、前記第一部分ジョイントレスポンスを確定し、
前記第四確定ユニットは、さらに、
前記第一測定信号及び前記第三測定信号が平坦なパワースペクトル密度を有しない時に、前記第四抽出ユニットが抽出した前記第四パワースペクトル密度から、前記第三測定信号のパワースペクトル密度を除去するための第四除去ユニットを含み、
前記第四取得ユニットは、前記第四除去ユニット処理後の結果に基づいて、前記第二部分ジョイントレスポンスを確定する、装置。
【０２９０】
（付記9）
付記1に記載の装置であって、
前記第一確定ユニットは、
前記第一受信信号のパワースペクトル密度を計算するための第一測定ユニット；
前記第一受信信号のパワースペクトル密度の周波数スペクトルから、前記第一測定信号及び前記第二測定信号の重なり合わない周波数スペクトル部分の第五パワースペクトル密度を抽出するための第五抽出ユニット；及び
前記第五パワースペクトル密度に基づいて、前記第一部分ジョイントレスポンスを得るための第五取得ユニットを含み、
前記第二確定ユニットは、
前記第二受信信号のパワースペクトル密度を計算するための第二測定ユニット；
前記第二受信信号のパワースペクトル密度の周波数スペクトルから、前記第一測定信号及び前記第四測定信号の重なり合わない周波数スペクトル部分の第六パワースペクトル密度を抽出するための第六抽出ユニット；及び
前記第六パワースペクトル密度に基づいて、前記第二部分ジョイントレスポンスを得るための第六取得ユニットを含む、装置。
【０２９１】
（付記10）
付記1に記載の装置であって、
前記第一処理ユニットは、
前記第一部分ジョイントレスポンス及び前記第二部分ジョイントレスポンスの重なり合う周波数点の所におけるレスポンスが同じであるかを判断するための第三判断ユニット；及び
前記第三判断ユニットの判断結果がはいの時に、前記第一部分ジョイントレスポンス及び前記第二部分ジョイントレスポンスを合併して、連続した前記ジョイントレスポンスを得るための第三合併ユニットを含み、
前記第三判断ユニットの判断結果がいいえの時に、前記第一処理ユニットは、さらに、
前記第一部分ジョイントレスポンス及び前記第二部分ジョイントレスポンスの重なり合う周波数点の所におけるレスポンス調整を同じであるように調整するための第三調整ユニットを含み、
前記第三合併ユニットは、さらに、調整後の前記第一部分ジョイントレスポンス及び前記第二部分ジョイントレスポンスを合併して、連続した前記ジョイントレスポンスを得る、装置。
【０２９２】
（付記11）
付記9に記載の装置であって、
前記第一確定ユニットは、さらに、
前記第一測定信号が平坦なパワースペクトル密度を有しない時に、前記第五抽出ユニットが抽出した前記第五パワースペクトル密度から、前記第一測定信号のパワースペクトル密度を除去するための第五除去ユニットを含み、
前記第五取得ユニットは、前記第五除去ユニットの処理後の結果に基づいて、前記第一部分ジョイントレスポンスを確定し、
前記第二確定ユニットは、さらに、
前記第一測定信号が平坦なパワースペクトル密度を有しない時に、前記第六抽出ユニットが抽出した前記第六パワースペクトル密度から、前記第一測定信号のパワースペクトル密度を除去するための第六除去ユニットを含み、
前記第六取得ユニットは、前記第六除去ユニットの処理後の結果に基づいて、前記第二部分ジョイントレスポンスを確定する、装置。
【０２９３】
（付記12）
付記9に記載の装置であって、さらに、
前記第一受信信号のパワースペクトル密度の周波数スペクトルのうちから、前記第一測定信号及び前記第二測定信号の重なり合う周波数スペクトル部分に基づいて、前記受信端の第一部分フィルタンリング特性を確定するための第五確定ユニット；
前記第二受信信号のパワースペクトル密度の周波数スペクトルのうちから、前記第一測定信号及び前記第四測定信号の重なり合う周波数スペクトル部分に基づいて、前記受信端の第二部分フィルタンリング特性を確定するための第六確定ユニット；及び
前記第一部分フィルタンリング特性及び前記第二部分フィルタンリング特性に基づいて、前記受信端のフィルタンリング特性を確定するための第三処理ユニットを含む、装置。
【０２９４】
（付記13）
付記12に記載の装置であって、
前記第五確定ユニットは、
前記第一受信信号のパワースペクトル密度の周波数スペクトルから、前記第一測定信号及び前記第二測定信号の重なり合う周波数スペクトル部分の第七パワースペクトル密度を抽出するための第七抽出ユニット；及び
前記第七パワースペクトル密度に基づいて、前記第一部分フィルタンリング特性を得るための第七取得ユニットを含み、
前記第六確定ユニットは、
前記第二受信信号のパワースペクトル密度の周波数スペクトルから、前記第四測定信号及び前記第一測定信号の重なり合う周波数スペクトル部分の第八パワースペクトル密度を抽出するための第八抽出ユニット；及び
前記第八パワースペクトル密度に基づいて、前記第二部分フィルタンリング特性を得るための第八取得ユニットを含む、装置。
【０２９５】
（付記14）
付記12に記載の装置であって、
前記第三処理ユニットは、
前記第一部分フィルタンリング特性及び前記第二部分フィルタンリング特性の重なり合う周波数点の所におけるレスポンスが同じであるかを判断するための第四判断ユニット；及び
前記第四判断ユニットの判断結果がはいの時に、前記第一部分フィルタンリング特性及び前記第二部分ジョイントフィルタンリング特性を合併して、連続した前記受信端のフィルタンリング特性を得るための第四合併ユニットを含み、
前記第四判断ユニットの判断結果がいいえの時に、前記第三処理ユニットは、さらに、
前記第一部分フィルタンリング特性及び前記第二部分フィルタンリング特性の重なり合う周波数点の所におけるレスポンスを同じであるように調整するための第四調整ユニットを含み、
前記第四合併ユニットは、さらに、調整後の前記第一部分フィルタンリング特性及び前記第二部分フィルタンリング特性を合併して、連続した前記受信端のフィルタンリング特性を得る、装置。
【０２９６】
（付記15）
付記13に記載の装置であって、
前記第五確定ユニットは、さらに、
前記第二測定信号及び前記第四測定信号が平坦なパワースペクトル密度を有しない時に、前記第七抽出ユニットが抽出した前記第七パワースペクトル密度から、前記第二測定信号のパワースペクトル密度を除去するための第七除去ユニットを含み、
前記第七取得ユニットは、前記第七除去ユニットの処理後の結果に基づいて、前記第一部分フィルタンリング特性を確定し、
前記第六確定ユニットは、さらに、
前記第二測定信号及び前記第四測定信号が平坦なパワースペクトル密度を有しない時に、前記第八抽出ユニットが抽出した前記第八パワースペクトル密度から、前記第四測定信号のパワースペクトル密度を除去するための第八除去ユニットを含み、
前記第八取得ユニットは、前記第八除去ユニットの処理後の結果に基づいて、前記第二部分フィルタンリング特性を確定する、装置。
【０２９７】
（付記16）
フィルタンリング特性の測定装置であって、
第二測定信号が受信端フィルタンリングモジュールを通過した後に得られた第三受信信号のパワースペクトル密度に基づいて、前記受信端のフィルタンリング特性を確定するための第四処理ユニットを含み、
そのうち、前記第二測定信号の周波数スペクトルは、フィルタンリング特性の全部測定範囲をカバーする、装置。
【０２９８】
（付記17）
付記16に記載の装置であって、さらに、
第一測定信号が送信端フィルタンリングモジュール及び受信端フィルタンリングモジュールを通過した後に得られた第四受信信号のパワースペクトル密度に基づいて、前記受信端のフィルタンリング特性及び前記送信端のフィルタンリング特性のジョイントレスポンスを確定するための第五処理ユニットを含み、
そのうち、前記第一測定信号の周波数スペクトルは、フィルタンリング特性の全部測定範囲をカバーする、装置。
【０２９９】
（付記18）
付記5に記載の装置であって、さらに、
前記ジョイントレスポンス及び前記受信端のフィルタンリング特性に基づいて、前記送信端のフィルタンリング特性を確定するための第六処理ユニットを含む、装置。
【０３００】
（付記19）
プレイコライザであって、
送信端のフィルタンリング特性を確定するための特性測定ユニットであって、付記18に記載のフィルタンリング特性の測定装置を含む、特性測定ユニット；及び
前記送信端のフィルタンリング特性に基づいて、前記プレイコライザ係数を確定し、前記プレイコライザ係数を用いて、送信信号に対してプレイコライゼーション処理を行うためのプレイコライゼーションユニットを含む、プレイコライザ。
【０３０１】
（付記20）
通信装置であって、
前記通信装置は、付記1に記載のフィルタンリング特性の測定装置を含む、通信装置。
【０３０２】
以上、本発明の好ましい実施形態を説明したが、本発明はこの実施形態に限定されず、本発明の趣旨を離脱しない限り、本発明に対するあらゆる変更は本発明の技術の範囲に属する。
【図１】
2017108406.tif 000019
【図２】
2017108406.tif 000020
【図３】
2017108406.tif 000021
【図４】
2017108406.tif 000022
【図５】
2017108406.tif 000023
【図６】
2017108406.tif 000024
【図７】
2017108406.tif 000025
【図８】
2017108406.tif 000026
【図９】
2017108406.tif 000027
【図１０】
2017108406.tif 000028
【図１１】
2017108406.tif 000029
【図１２】
2017108406.tif 000030
【図１３】
2017108406.tif 000031
【図１４】
2017108406.tif 000032
【図１５】
2017108406.tif 000033
【図１６】
2017108406.tif 000034
【図１７】
2017108406.tif 000035
【図１８】
2017108406.tif 000036
【図１９】
2017108406.tif 000037
【図２０】
2017108406.tif 000038
【図２１】
2017108406.tif 000039
【図２２】
2017108406.tif 000040
【図２３】
2017108406.tif 000041
【図２４】
2017108406.tif 000042
【図２５】
2017108406.tif 000043
【図２６】
2017108406.tif 000044
【図２７】
2017108406.tif 000045
【図２８】
2017108406.tif 000046
【手続補正書】
【提出日】平成29年1月16日(2017.1.16)
【手続補正１】
【補正対象書類名】明細書
【補正対象項目名】全文
【補正方法】変更
【補正の内容】
【発明の詳細な説明】
【技術分野】
【０００１】
本発明は、通信技術分野に関し、特に、フィルターリング特性を測定する方法と装置、プレイコライザ、及び通信装置に関する。
【背景技術】
【０００２】
光通信システムの低コスト化、小型化及び柔軟な配置への要求に伴い、光通信システムの送信機の光、電気帯域幅が各種原因により減少している。今のところ、デジタル領域のプレイコライゼーション（pre-equalization）、プリディストーション（pre-distortion）、プリエンファシス（pre-emphasis）技術を用いて、狭帯域幅の問題を克服することができる。
【０００３】
図1は、従来技術中でデジタルプレイコライゼーション技術を採用する送信機を示す図である。図1に示すように、送信機100は、送信器101、プレイコライザ102、デジタルアナログ変換（DAC）モジュール103、レーザー104及び光変調器105を含む。該光変調器105は、さらに、挿入／抜き出し可能なインタフェース、電気駆動増幅器などを含んでも良い。そのうち、送信器101は、デジタル電気信号を送信する。送信機100の後続の各フィルターリングモジュール、例えば、デジタルアナログ変換モジュール103や光変調器105の、送信されたデジタル電気信号へのフィルターリング損傷（フィルターリングによる損傷）は、プレイコライザ102により前置補償（pre-compensation）される。補償後のデジタル電気信号は、デジタルアナログ変換モジュール103を経てアナログ電気信号に変更され、そして、光変調器105により変調され、光信号として出力される。ここで、送信機におけるプレイコライザ102の後続の各フィルターリングモジュールによるフィルターリング損傷を送信端のフィルターリング特性と称する。
【０００４】
図2は、従来技術における受信機を示す図である。図2に示すように、受信機200は、光コヒーレント復調器201、ローカルレーザー202、アナログデジタル変換（ADC）モジュール203及び受信器204を含む。そのうち、該光コヒーレント復調器は、光混合（photo-mixing）（フィルターリング損傷を有しない）及び光電変換（フィルターリング損傷を有する）により構成される。そのうち、送信機100から出力された光信号は、光コヒーレント復調器201を経てアナログ電気信号に復調され、そして、アナログデジタル変換モジュール203を経てデジタル電気信号に変換された後に、該デジタル電気信号は、受信器204により受信される。そのうち、送信機100から出力された光信号は、受信機200のフィルターリングモジュール、例えば、光コヒーレント復調器201やアナログデジタル変換モジュール203を経た後にフィルターリング損傷も存在する。ここで、このようなフィルターリング損傷を受信端のフィルターリング特性と称する。
【０００５】
今のところ、よくある周波数領域又は時間領域の方法を用いてプレイコライゼーション処理を行うことができる。プレイコライザの係数は、複数種の従来技術、例えば、ゼロフォーシング（zero  forcing）、最小平均二乗誤差（minimum  mean  square  error）などを採用して得ることができる。しかし、これらの方法は、すべて、送信端のフィルターリング特性を把握する必要がある。
【発明の概要】
【発明が解決しようとする課題】
【０００６】
今のところ、通常、計器を採用して送信端又は受信端のフィルターリング特性を測定するため、測定コストが高く、且つ大規模の使用が難しい。
【０００７】
本発明の実施例は、フィルターリング特性を測定する方法と装置、プレイコライザ及び通信装置を提供する。異なるフィルターリングモジュールを通過し、且つ周波数スペクトル範囲が異なる測定信号を用いて２回測定を行い、送信機及び受信機自体は受信端及び送信端のフィルターリング特性及びジョイントレスポンスを確定することができるため、追加の計器を用いて測定する必要がなく、これにより、フィルターリング特性の計器測定による高コスト及び大規模使用不可の問題を避けることができる。
【課題を解決するための手段】
【０００８】
本発明の実施例の上述した目的は、次のような技術案により実現され得る。
【０００９】
本発明の実施例の第一側面によれば、フィルターリング特性を測定する装置が提供され、そのうち、該装置は、
第一測定信号及び第二測定信号が各自のフィルターリングモジュールを通過した後に得られた第一受信信号の周波数スペクトルのうちから、該第一測定信号及び該第二測定信号の重なり合わない周波数スペクトル部分に基づいて、受信端の第一部分フィルターリング特性を確定し、又は、送信端のフィルターリング特性及び受信端のフィルターリング特性の第一部分ジョイントレスポンスを確定するための第一確定ユニット；
第三測定信号及び該第二測定信号が各自のフィルターリングモジュールを通過した後に得られた第二受信信号の周波数スペクトルのうちから、該第三測定信号及び該第二測定信号の重なり合わない周波数スペクトル部分に基づいて、受信端の第二部分フィルターリング特性を確定し、又は、第四測定信号及び該第一測定信号が各自のフィルターリングモジュールを通過した後に得られた第二受信信号の周波数スペクトルのうちから、該第四測定信号及び該第一測定信号の重なり合わない周波数スペクトル部分に基づいて、送信端のフィルターリング特性及び受信端のフィルターリング特性の第二部分ジョイントレスポンスを確定するための第二確定ユニット；及び
該第一部分フィルターリング特性及び該第二部分フィルターリング特性に基づいて、該受信端のフィルターリング特性を確定し、又は、該第一部分ジョイントレスポンス及び該第二部分ジョイントレスポンスに基づいて、該受信端のフィルターリング特性及び該送信端のフィルターリング特性のジョイントレスポンスを確定するための第一処理ユニットを含み、
そのうち、該第一測定信号及び該第三測定信号が通過するフィルターリングモジュールは、送信端フィルターリングモジュール及び受信端フィルターリングモジュールを含み、該第二測定信号及び該第四測定信号が通過するフィルターリングモジュールは、該受信端フィルターリングモジュールを含み、該第一測定信号及び該第二測定信号の周波数スペクトル範囲は異なり、該第三測定信号及び該第一測定信号の周波数は、相補的であり、又は、該第四測定信号及び該第二測定信号の周波数は、相補的であり、
該周波数の相補は、２つの測定信号の周波数スペクトル範囲が該フィルターリング特性の全部測定範囲をカバーし、且つ２つの測定信号が重なり合う周波数点を有することを表し、該第一測定信号、第二測定信号、第三測定信号及び第四測定信号は、連続信号である。
【００１０】
本発明の実施例の第二側面によれば、フィルターリング特性を測定する装置が提供され、そのうち、該装置は、
第二測定信号が受信端フィルターリングモジュールを通過した後に得られた第三受信信号のパワースペクトル密度に基づいて、該受信端のフィルターリング特性を確定するための第四処理ユニットを含む。
【００１１】
本発明の実施例の第三側面によれば、プレイコライザが提供され、そのうち、該プレイコライザは、
上述の第一側面又は第二側面に記載の、フィルターリング特性を測定する装置を含み、受信端のフィルターリング特性、又は、送信端のフィルターリング特性及び受信端のフィルターリング特性のジョイントレスポンスを確定するための特性測定ユニットであって、該受信端のフィルターリング特性及び該ジョイントレスポンスに基づいて、該送信端のフィルターリング特性を確定するための特性測定ユニット；及び
該送信端のフィルターリング特性に基づいて該プレイコライザの係数を確定し、該プレイコライザの係数を用いて送信信号に対してプレイコライゼーション処理を行うためのプレイコライゼーションユニットを含む。
【００１２】
本発明の実施例の第四側面によれば、通信装置が提供され、そのうち、該通信装置は、上述の第一側面又は第二側面に記載の、フィルターリング特性を測定する装置を含む。
【００１３】
本発明の実施例の有益な効果は、異なるフィルターリングモジュールを通過し、且つ周波数スペクトル範囲が異なる測定信号を用いて２回測定を行い、送信機及び受信機自体は、受信端及び送信端のフィルターリング特性及びジョイントレスポンスを確定することができるため、追加の計器を用いて測定する必要がなく、これにより、フィルターリング特性の計器測定による高コスト及び大規模使用不可の問題を避けることができる。
【図面の簡単な説明】
【００１４】
【図１】従来技術中でデジタル領域のプレイコライゼーション技術を採用する光送信機を示す図である。
【図２】従来技術における受信機を示す図である。
【図３】実施例1におけるフィルターリング特性の測定方法のフローチャートである。
【図４】実施例1におけるジョイントレスポンスの確定方法のフローチャートである。
【図５】実施例1における第一測定信号のパワースペクトル密度を示す図である。
【図６】実施例1における第二測定信号のパワースペクトル密度を示す図である。
【図７】実施例1における第三測定信号パワースペクトル密度を示す図である。
【図８】実施例1における第一受信信号のパワースペクトル密度を示す図である。
【図９】実施例1における第二受信信号のパワースペクトル密度を示す図である。
【図１０】実施例2におけるフィルターリング特性の測定方法のフローチャートである。
【図１１】実施例2における受信端のフィルターリング特性の確定方法のフローチャートである。
【図１２】実施例3におけるフィルターリング特性の測定方法のフローチャートである。
【図１３】実施例4におけるフィルターリング特性の測定装置を示す図である。
【図１４】実施例4における第一処理ユニットを示す図である。
【図１５】実施例4における第二処理ユニットを示す図である。
【図１６】実施例4におけるフィルターリング特性の測定装置のハードウェアを示す図である。
【図１７】実施例5における第一処理ユニットを示す図である。
【図１８】実施例5における第二処理ユニットを示す図である。
【図１９】実施例6におけるフィルターリング特性の測定装置を示す図である。
【図２０】実施例7における通信システムの一実施方式を示す図である。
【図２１】実施例7における通信システムの他の実施方式を示す図である。
【図２２】実施例7における送受信機を示す図である。
【図２３】実施例8における通信装置を示す図である。
【図２４】実施例9におけるフィルターリング特性の測定装置を示す図である。
【図２５】実施例9におけるフィルターリング特性の測定装置を示す図である。
【図２６】実施例10におけるフィルターリング特性の測定装置を示す図である。
【図２７】実施例10におけるフィルターリング特性の測定装置を示す図である。
【図２８】実施例11におけるプレイコライザを示す図である。
【発明を実施するための形態】
【００１５】
以下、添付した図面を参照しながら、本発明を実施するための形態を詳細に説明する。
【００１６】
実施例では、送信端のフィルターリング特性とは、送信機のフィルターリングモジュール又は送受信機の送信端フィルターリングモジュールによるフィルターリング損傷を指し、G(f)で表される。受信端のフィルターリング特性とは、受信機のフィルターリングモジュール又は送受信機の受信端フィルターリングモジュールによるフィルターリング損傷を指し、H(f)で表される。
【００１７】
実施例では、送信端のフィルターリング特性及び受信端のフィルターリング特性のジョイントレスポンスとは、送信機及び受信機のフィルターリングモジュールによるジョイントフィルターリング損傷、又は、送受信機の送信端及び受信端のフィルターリングモジュールによるジョイントフィルターリング損傷を指し、G(f)H(f)で表される。
【００１８】
実施例では、フィルターリング特性G(f)、H(f)及びG(f)H(ｆ)は、各フィルターリングモジュールの振幅周波数（amplitude-frequency）特性（フィルターリング特性の形状）を含み、そのうち、｜G(f)｜、｜H(f)｜及び｜G(f)H(ｆ)｜を以て、対応する振幅周波数特性を表す。
【００１９】
従来技術では、通常、計器を採用して送信端又は受信端のフィルターリング特性を測定するため、測定コストが高く、且つ大規模の使用が困難である。本発明の実現過程では、発明者は、研究により次のようなことを発見した。即ち、異なるフィルターリングモジュールを経た２つの測定信号の重なり合わない周波数スペクトルを用いて２回測定を行うことで、受信端のフィルターリング特性H(f)又はジョイントレスポンスG(f)H(f)を確定し、これにより、送信端のフィルターリング特性G(f)を確定することができ、そのうち、１つの測定信号の周波数スペクトル範囲は、フィルターリング特性の全部測定範囲をカバーし、もう１つの測定信号は、２回測定時の周波数が相補的である。そのうち、周波数の相補は、２つの測定信号の周波数スペクトル範囲がフィルターリング特性の全部測定範囲をカバーし、且つ２つの測定信号が重なり合う周波数点を有することを表し、例えば、１つの測定信号の周波数スペクトル範囲が[0,f1]であり、他の測定信号の周波数スペクトル範囲が[f1,fs/2]であり、[0,fs/2]がフィルターリング特性の全部測定範囲をカバーする場合、上述の２つの測定信号周波数は、相補的であり（そのうち、f1及びfs/2は、ニーズに応じて、任意の値に設定されても良い）、且つ全部の測定信号は、連続信号である。
【００２０】
以下、送信端フィルターリングモジュール及び受信端フィルターリングモジュールを通過する第一測定信号の周波数スペクトル範囲がフィルターリング特性の全部測定範囲をカバーし、且つ受信端フィルターリングモジュールを通過する第二測定信号及び第四測定信号周波数が相補的であること、及び、受信端フィルターリングモジュールを通過する第二測定信号の周波数スペクトル範囲がフィルターリング特性の全部測定範囲をカバーし、且つ送信端フィルターリングモジュール及び受信端フィルターリングモジュールを通過する第一測定信号及び第三測定信号の周波数が相補的であることをそれぞれ例として説明を行う。
【実施例１】
【００２１】
本発明の実施例1は、フィルターリング特性の測定方法を提供する。本実施例では、該第二測定信号の周波数スペクトル範囲は、フィルターリング特性の全部測定範囲をカバーし、且つ該第一測定信号及び第三測定信号周波数は、相補的である。
【００２２】
図3は、本発明の実施例1におけるフィルターリング特性の測定方法のフローチャートである。図3に示すように、該方法は、次のようなステップを含む。
【００２３】
ステップ301：第一測定信号及び第二測定信号を送信し；
本実施例では、該第一測定信号及び第二測定信号は、周波数スペクトル範囲が異なり、且つ連続信号である。そのうち、該連続信号は、平坦なパワースペクトル密度を有するガウスワイトノイズ（例えば、エルビウム添加光ファイバアンプにより生成されたASE（amplified  spontaneous  emission）ノイズ）であっても良いが、上述の信号に限定されず、即ち、該連続信号は、周波数スペクトル形状が既知である任意の信号であっても良く、例えば、ナイキストパルス信号などであっても良い。
【００２４】
ステップ302：該第一測定信号は、送信端フィルターリングモジュール及び受信端フィルターリングモジュールを通過し、該第二測定信号は、該受信端フィルターリングモジュールを通過し；
本実施例では、該第二測定信号は、該第一測定信号が該送信端フィルターリングモジュールを通過した後に、該第一測定信号と重ね合わせて、一緒に送信される。同じ受信端フィルターリングモジュールを通過した後に得られた信号は、第一受信信号と称され、例えば、該第一測定信号及び該第二測定信号がそれぞれS1(f)及びS2(f)で表され、該第一受信信号がR1(f)で表される場合、該受信信号R1(f)=S1(f)G(f)H(f)+S2(f)H(f)である。
【００２５】
ステップ303：該第一受信信号の周波数スペクトルのうちから、該第一測定信号及び該第二測定信号の重なり合わない周波数スペクトル部分に基づいて、受信端の第一部分フィルターリング特性H1(f)を確定し；
本実施例では、該第一測定信号及び該第二測定信号の周波数スペクトル範囲が異なるので、重ね合わせた第一測定信号及び第二測定信号を分離しやすい。このように、該第一測定信号及び該第二測定信号の重なり合わない周波数スペクトルを用いてH1(f)を確定することができ、該重なり合わない周波数スペクトル部分は、S2(f)H(f)の、該第一測定信号及び該第二測定信号の重なり合わない周波数スペクトル上でのレスポンスである。
【００２６】
ステップ304：第三測定信号及び該第二測定信号を送信し；
本実施例では、該第三測定信号及び第二測定信号は、周波数スペクトル範囲が異なり、該第三測定信号及び第一測定信号は、周波数が相補的であり、且つ連続信号である。
【００２７】
ステップ305：該第三測定信号は、送信端フィルターリングモジュール及び受信端フィルターリングモジュールを通過し、該第二測定信号は、該受信端フィルターリングモジュールを通過し；
本実施例では、該第二測定信号は、該第三測定信号が該送信端フィルターリングモジュールを通過した後に、該第三測定信号と重ね合わせて、一緒に送信される。同じ受信端フィルターリングモジュールを通過した後に得られた信号は、第二受信信号と称される。例えば、該第三測定信号及び第二測定信号がそれぞれS3(f)及びS2(f)で表され、該第二受信信号がR2(f)で表される場合、該受信信号R2(f)=S3(f)G(f)H(f)+S2(f)H(f)である。
【００２８】
ステップ306：該第二受信信号の周波数スペクトルのうちから、該第三測定信号及び第二測定信号の重なり合わない周波数スペクトル部分に基づいて、受信端の第二部分フィルターリング特性H2(f)を確定し；
本実施例では、該第三測定信号及び第二測定信号の周波数スペクトル範囲が異なるので、重ね合わせた第三測定信号及び第二測定信号を分離しやすい。このように、該第三測定信号及び該第二測定信号の重なり合わない周波数スペクトルを用いてH2(f)を確定することができ、該重なり合わない周波数スペクトル部分は、S2(f)H(f)の、該第三測定信号及び該第二測定信号の重なり合わない周波数スペクトル上でのレスポンスである。
【００２９】
ステップ307：該第一部分フィルターリング特性及び該第二部分フィルターリング特性に基づいて、該受信端のフィルターリング特性を確定する。
【００３０】
本実施例から分かるように、異なるフィルターリングモジュールを通過し、且つ周波数スペクトル範囲が異なる測定信号を用いて２回測定を行い、送信機及び受信機自体は、受信端及び送信端のフィルターリング特性及びジョイントレスポンスを確定することができるため、追加の計器を用いて測定する必要がなく、これにより、フィルターリング特性の計器測定による高コスト及び大規模使用不可の問題を避けることができる。
【００３１】
本実施例では、ステップ301及び304において、送信機又は送受信機の送信器を採用して該第一測定信号、第二測定信号及び第三測定信号を送信することができ、ステップ302及び305において、該送信端フィルターリングモジュールは、測定待ち送信端のフィルターリング特性の送信機又は送受信機の送信端フィルターリングモジュールであり、該受信端フィルターリングモジュールは、測定待ち受信端のフィルターリング特性の受信機又は送受信機の受信端フィルターリングモジュールである。図1に示す送信機を例とすると、該受信端のフィルターリング特性を測定する時に、まず、送信機100のプレイコライザ102を稼働させず、送信器101に、それぞれ、第一測定信号及び第三測定信号をデジタルアナログ変換モジュール103に送信させ、及び、第二測定信号を光コヒーレント復調器201に送信させる。
【００３２】
本実施例では、ステップ301及び304において、上述の第一測定信号、第三測定信号及び第二測定信号を送信する時に、送信機又は送受信機の既存の送信器を再利用するが、その代わりに、専用のもう１つの送信器を用いて上述の第一測定信号、第三測定信号又は第二測定信号を送信することもできる。その後、該第一測定信号及び第三測定信号を、プレイコライザを通過せず、送信端及び受信端フィルターリングモジュールを通過させ、該第二測定信号を受信端フィルターリングモジュールを通過させる。
【００３３】
本実施例では、ステップ303及びステップ306は、次のような方式で受信端の部分フィルターリング特性を得ることができる。そのうち、第一測定信号の周波数スペクトル範囲は、[0,f1]であり、第三測定信号の周波数スペクトル範囲は、[f1,fs/2]であり、第二測定信号の周波数スペクトル範囲は、[0,fs/2]であるが、本実施例は、これに限定されず、例えば、該第一測定信号及び第三測定信号の周波数スペクトル範囲は、交換することもできる。
【００３４】
ステップ303における第一回測定では、該第一受信信号のパワースペクトル密度を計算し、該第一受信信号のパワースペクトル密度の周波数スペクトルのうちから、該第一測定信号及び該第二測定信号の重なり合わない周波数スペクトル部分の第一パワースペクトル密度を抽出することで、受信端の第一部分フィルターリング特性を取得する。
【００３５】
そのうち、該第一測定信号の周波数スペクトル範囲が全部測定範囲の一部のみカバーし、該第二測定信号の周波数スペクトル範囲が全部測定範囲をカバーするので、第一測定信号及び第二測定信号の重なり合わない周波数スペクトル部分は、第二測定信号の周波数スペクトルから第一測定信号の周波数スペクトル部分を除去した後の部分に相当する。また、該第二測定信号が受信端のフィルターリングモジュールのみ通過したので、抽出された第一パワースペクトル密度は、N|H(f)|2(f∈[f1,fs/2])であり、Nは、第二測定信号パワースペクトル密度の値である。また、各周波数点の相対レスポンスだけが重要であるので、第二測定信号が平坦な（各周波数コンポーネントのパワースペクトル密度が一様であり、又は、各周波数コンポーネントの振幅周波数レスポンスが一様である）パワースペクトル密度を有する時に、Nを知る必要がなく、該第一パワースペクトル密度N|H(f)|2を開法計算後の結果を受信端の第一部分フィルターリング特性とすることができ、又は、Nが既知の値であるため、第一パワースペクトル密度N|H(f)|2からNを除去した後に開法計算することで、受信端の第一部分フィルターリング特性（振幅周波数特性）|H(f)|（f∈[f1,fs/2]）を得ることもできる。
【００３６】
ステップ306における第二回測定では、該第二受信信号のパワースペクトル密度を計算し、該第二受信信号のパワースペクトル密度の周波数スペクトルのうちから、該第三測定信号及び第二測定信号の重なり合わない周波数スペクトル部分の第二パワースペクトル密度を抽出することで、受信端の第二部分フィルターリング特性を得ることができる。
【００３７】
そのうち、該第三測定信号の周波数スペクトル範囲が全部測定範囲の他の部分のみカバーし、第二測定信号の周波数スペクトル範囲が全部測定範囲をカバーするので、第三測定信号及び第二測定信号の重なり合わない周波数スペクトル部分は、第二測定信号の周波数スペクトルから第三測定信号の周波数スペクトル部分を除去した後の部分に相当し、また、該第二測定信号が受信端のフィルターリングモジュールのみ通過したので、抽出された第二パワースペクトル密度は、N|H(f)|2(f∈[0,f1])である。該第二パワースペクトル密度に基づいて、受信端の第二部分フィルターリング特性（振幅周波数特性）|H(f)|（f∈[0,f1]）を得ることができる。なお、具体的な実施方式は、該第一部分フィルターリング特性の取得方法と同じであるので、ここでは、その詳しい説明を省略する。
【００３８】
ステップ307では、第一部分フィルターリング特性及び第二部分フィルターリング特性に基づいて、受信端のフィルターリング特性を確定する。
【００３９】
例えば、第一パワースペクトル密度及び第二パワースペクトル密度を統合することにより、受信端の全部測定範囲上での|H(f)|を得ることができる。
【００４０】
１つの実施方式では、第一部分フィルターリング特性及び第二部分フィルターリング特性の重なり合う周波数点の処におけるレスポンスが同じである時に、第一部分フィルターリング特性及び第二部分フィルターリング特性を直接合併することで、連続した前記フィルターリング特性を得ることができる。
【００４１】
他の実施方式では、第一部分フィルターリング特性及び第二部分フィルターリング特性の重なり合う周波数点の処におけるレスポンスが異なる時に、第一部分フィルターリング特性及び第二部分フィルターリング特性の重なり合う周波数点の処におけるレスポンスを同じであるように調整し、そして、調整後の第一部分フィルターリング特性及び第二部分フィルターリング特性を合併することで、連続した前記フィルターリング特性を得ることもできる。
【００４２】
本実施例では、オプションとして、該方法は、さらに、送信端のフィルターリング特性及び受信端のフィルターリング特性のジョイントレスポンスを確定することを含んでも良い。
【００４３】
図4は、本実施例におけるジョイントレスポンスの確定方法のフローチャートである。図4に示すように、該方法は、次のようなステップを含む。
【００４４】
ステップ401：第一受信信号のパワースペクトル密度の周波数スペクトルのうちから、第一測定信号及び第二測定信号の重なり合う周波数スペクトル部分に基づいて、受信端のフィルターリング特性及び送信端のフィルターリング特性の第一部分ジョイントレスポンスを確定し；
ステップ402：第二受信信号のパワースペクトル密度の周波数スペクトルのうちから、第三測定信号及び第二測定信号の重なり合う周波数スペクトル部分に基づいて、受信端のフィルターリング特性及び送信端のフィルターリング特性の第二部分ジョイントレスポンスを確定し；
ステップ403：該第一部分ジョイントレスポンス及び該第二部分ジョイントレスポンスに基づいて、該ジョイントレスポンスを確定する。
【００４５】
ステップ401における第一回測定では、該第一測定信号の周波数スペクトル範囲が全部測定範囲の一部のみカバーし、第二測定信号の周波数スペクトル範囲が全部測定範囲をカバーするので、第一測定信号及び第二測定信号の重なり合う周波数スペクトル部分は、第一測定信号の周波数スペクトル部分に相当し、また、該第一測定信号が送信端及び受信端の各フィルターリングモジュールを通過したので、第一受信信号のパワースペクトル密度の周波数スペクトルから抽出された第一測定信号及び第二測定信号の重なり合う周波数スペクトル部分の第三パワースペクトル密度は、A|G(f)H(f)|2（f∈[0,f1]）であり、Aは、第一測定信号パワースペクトル密度の値である。また、各周波数点の相対レスポンスだけが重要であるので、第一測定信号が平坦なパワースペクトル密度を有する時に、Aを知る必要がなく、該第三パワースペクトル密度を開法計算後の結果を該第一部分ジョイントレスポンスとすることができ、又は、Aが既知の値であるので、第三パワースペクトル密度からAを除去した後に開法計算することで、第一部分ジョイントレスポンス（振幅周波数特性）|G(f)H(f)|（f∈[0,f1]）を得ることもできる。
【００４６】
ステップ402における第二回測定では、該第三測定信号の周波数スペクトル範囲が全部測定範囲の他の部分のみカバーし、第二測定信号の周波数スペクトル範囲が全部測定範囲をカバーするので、第三測定信号及び第二測定信号の重なり合う周波数スペクトル部分は、第三測定信号の周波数スペクトル部分に相当し、また、該第三測定信号が送信端及び受信端の各フィルターリングモジュールを通過したので、第二受信信号のパワースペクトル密度の周波数スペクトルから抽出された第三測定信号及び第二測定信号の重なり合う周波数スペクトル部分の第四パワースペクトル密度は、B|G(f)H(f)|2（f∈[f1,fs/2]）であり、Bは、第三測定信号パワースペクトル密度の値である。また、各周波数点の相対レスポンスだけが重要であるので、第三測定信号が平坦なパワースペクトル密度を有する時に、Bを知る必要がなく、該第四パワースペクトル密度を開法計算後の結果を該第二部分ジョイントレスポンスとすることができ、又は、Bが既知の値であるため、第四パワースペクトル密度からBを除去した後に開法計算することで、第二部分ジョイントレスポンス（振幅周波数特性）|G(f)H(f)|（f∈[f1,fs/2]）を得ることもできる。
【００４７】
ステップ403では、該第三パワースペクトル密度及び第四パワースペクトル密度を統合することにより、全部測定範囲上でのジョイントレスポンス|G(f)H(f)|を得ることができる。
【００４８】
１つの実施方式では、該第一部分ジョイントレスポンス及び該第二部分ジョイントレスポンスの重なり合う周波数点の処におけるレスポンスが同じである時に、該第一部分ジョイントレスポンス及び該第二部分ジョイントレスポンスを直接合併することで、連続したジョイントレスポンスを得ることができる。
【００４９】
他の実施方式では、該第一部分ジョイントレスポンス及び該第二部分ジョイントレスポンスの重なり合う周波数点の処におけるレスポンスが異なる時に、該第一部分ジョイントレスポンス及び該第二部分ジョイントレスポンスの重なり合う周波数点の処におけるレスポンスを同じであるように調整し、調整後の第一部分ジョイントレスポンス及び第二部分ジョイントレスポンスを合併することで、連続したジョイントレスポンスを得ることもできる。
【００５０】
本実施例では、該第一測定信号、第二測定信号及び第三測定信号の周波数スペクトルは、任意の形状に設定されても良いが、測定する必要のある周波数スペクトル範囲上では、ゼロと設定することができず、また、該第一測定信号、第二測定信号及び第三測定信号が平坦なパワースペクトル密度を有しない時に、ステップ303及び306では、第一パワースペクトル密度及び第二パワースペクトル密度から該第二測定信号のパワースペクトル密度を除去することで、第一部分フィルターリング特性及び第二部分フィルターリング特性を得る必要があり、ステップ401では、該第三パワースペクトル密度から該第一測定信号のパワースペクトル密度Aを除去することで、第一部分ジョイントレスポンスを確定する必要があり、ステップ402では、該第四パワースペクトル密度から第三測定信号のパワースペクトル密度Bを除去することで、第二部分ジョイントレスポンスを確定する必要がある。
【００５１】
本実施例では、測定の正確性の向上のために、送信機及び受信機又は送受信機の各フィルターリング特性を測定する時に、１つの実施方式では、送信端レーザー及びローカルレーザーが同じ周波数を有するように設定し、他の実施方式では、送信端レーザー及びローカルレーザーが周波数の差Δfを有する時に、従来の技術（例えば、Lei  Li、  “Wide-range，Accurate  and  Simple  Digital  Frequency  Offset  Compensator  for  Optical  Coherent  Receivers”、OFC2008  OWT4）により該周波数の差Δfを推定し、そして、Δfの影響を除去することができ、また、レーザーの相位ノイズを除去することもできる。
【００５２】
本実施例では、該第二測定信号がASEノイズである時に、測定の正確性の向上のために、第一受信信号をMブロックに分割することができる。そのうち、各ブロック内は、時間的に連続したサンプルであり、ブロック長さは、第一測定信号の周期の長さの整数倍であり、ブロック間の信号に対して加算を行って平均することで、ASEノイズの干渉を抑制することができる。
【００５３】
本実施例では、該受信端のフィルターリング特性及び該ジョイントレスポンスを確定した後に、送信端のフィルターリング特性を確定することができる。
【００５４】
本実施例では、該ジョイントレスポンスを受信端のフィルターリング特性で割ることで、該送信端のフィルターリング特性を得ることができる。
【００５５】
以下、具体的な実例に基づいて図面を参照しながら、如何に受信端及び送信端のフィルターリング特性及びジョイントレスポンスを確定するかを説明する。
【００５６】
本実施例では、図5は、該第一測定信号のパワースペクトルを示す図である。図6は、該第二測定信号のパワースペクトルを示す図である。図7は、該第三測定信号のパワースペクトルを示す図である。図8は、該第一受信信号のパワースペクトルを示す図である。図9は、該第二受信信号のパワースペクトルを示す図である。
【００５７】
図5、6、8に示すように、該第一測定信号は、平坦な周波数スペクトルを有するナイキストパルス信号であり、そのパワースペクトルの周波数スペクトル範囲は、[0,f1]であり、該第二測定信号は、ASEノイズであり、そのパワースペクトルの周波数スペクトル範囲は、[0,fs/2]である。第一測定信号及び第二測定信号が各自のフィルターリングモジュールを通過した後に、第一受信信号を得ることができる。
【００５８】
第一回測定時に、該第一受信信号のパワースペクトル密度を計算し、また、第一測定信号の周波数範囲内（第一測定信号及び第二測定信号の重なり合う周波数スペクトル部分）のパワースペクトル密度
（外１）
2017108406.tif 000047
を抽出し、これにより、第一部分ジョイントレスポンスを取得し、そのうち、測定の正確性の向上のために、該ローカルレーザー及び送信レーザー間の周波数の差Δfを0と設定しても良く、又は、ローカルレーザー及び送信レーザー間の周波数の差Δfを推定して除去し、また、各レーザーの相位ノイズを除去しても良い。また、該第一受信信号を処理することで、ASEノイズの干渉を抑制することもでき、その具体的な処理方式は、上述のようであるので、ここでは、重複説明を省略する。また、処理後の第一受信信号のパワースペクトル密度を、該第一部分ジョイントレスポンスを確定するために計算し、また、第一測定信号が平坦なパワースペクトル密度を有しない時に、さらに、
（外２）
2017108406.tif 000048
から
（外３）
2017108406.tif 000049
を除去した後に開法計算することで、第一部分ジョイントレスポンス|G(f)H(f+Δf)|を得る必要がある。また、第一測定信号の周波数範囲外の[f1,fs/2]内のパワースペクトル密度を抽出し、それは、受信端を通過したASEノイズのみ含むので、N|H(f)|2（f∈[f1,fs/2]）と表されても良く、また、Nが定数であるため、受信端の第一部分フィルターリング特性又は形状|H(f)|を得ることができ、即ち、該第一回測定では、|G(f)H(f+Δf)|（f∈[f0,f1]）及び|H(f)|（f∈[f1,fs/2]）を取得した。
【００５９】
図6、7及び9に示すように、該第三測定信号は、平坦な周波数スペクトルを有するナイキストパルス信号であり、そのパワースペクトルの周波数スペクトル範囲は、[f1,fs/2]であり、該第三測定信号の周波数スペクトル形状は、第一測定信号の周波数スペクトルの形状と同じであっても良く異なっても良い。また、図6中の該第二測定信号のパワースペクトル密度の大小（値）は、変わっても良く変わらなくても良い。第三測定信号及び第二測定信号が各自のフィルターリングモジュールを通過した後に、第二受信信号を得ることができる。
【００６０】
第一回測定と同様に、第二回測定時に、該第二受信信号のパワースペクトル密度を計算し、該第三測定信号周波数範囲内（第三測定信号及び第二測定信号の重なり合う周波数スペクトル部分）のパワースペクトル密度
（外４）
2017108406.tif 000050
を抽出することで、第二部分ジョイントレスポンスを得ることができる。そのうち、測定の正確性の向上のために、該ローカルレーザー及び送信レーザー間の周波数の差Δfを0に設定しても良く、又は、ローカルレーザー及び送信レーザー間の周波数の差Δfを推定して除去し、また、各レーザーの相位ノイズを除去しても良い。また、該第二受信信号に対して処理を行い、ASEノイズの干渉を抑制しても良く、その具体的な処理方式は、上述のようであるので、ここでは、重複説明を省略する。また、処理後の第二受信信号のパワースペクトル密度を、該第二部分ジョイントレスポンスを確定するために計算し、また、第三測定信号周波数範囲外の[0,f1]内のパワースペクトル密度を抽出し、それは、受信端を通過したASEノイズのみ含むため、N|H(f)|2（f∈[0,f1]）と表されても良い。Nが既知であるため、受信端の第二部分フィルターリング特性|H(f)|を得ることができ、即ち、第二回測定では、|G(f)H(f+Δf)|（f∈[f1,fs/2]）及び|H(f)|（f∈[0,f1]）を取得した。
【００６１】
２回の測定結果を合併する時に、同一フィルターリング特性について２つの部分の境界f1の処におけるレスポンスが同じである場合、直接合併すれば良いが、そうでない場合、２つの部分の境界f1の処におけるレスポンスを同じであるように調整する必要があり、これにより、全部周波数測定範囲内での連続したレスポンス値を得ることができる。以下、例を挙げて、境界f1のレスポンス値の調整方法を説明する。
【００６２】
第一部分レスポンスC1(f)（f∈[0,f1]）及び第二部分レスポンスC2(f)（f∈[f1,fs/2]）について、そのうち、C1(f)及びC2(f)は、受信端の部分フィルターリング特性又は部分ジョイントレスポンスであっても良く、比例定数k=C1(f)／C2(f)を計算し、合併後の連続レスポンスは、C(f)=C1(f)+kC2(f)（f∈[0,fs/2]）である。
【００６３】
また、Δf及びH(f)が既知であるので、|G(f)H(f+Δf)|を|H(f+Δf)|で割ることで、送信端のフィルターリング特性|G(f)|を得ることができる。
【００６４】
本実施例では、オプションとして、ステップ301、302及びステップ304、305において、送信機、受信機又は送受信機の送信器及びフィルターリングモジュールを使用する時に、該方法は、さらに、送信機又は送受信機のプレイコライザを、該プレイコライザが作動しないように設定することを含んでも良い。
【００６５】
本実施例から分かるように、異なるフィルターリングモジュールを通過し、且つ周波数スペクトル範囲が異なる測定信号を用いて２回測定を行い、送信機及び受信機自体は受信端及び送信端のフィルターリング特性及びジョイントレスポンスを確定することができるため、追加の計器を用いて測定する必要がなく、これによりフィルターリング特性の計器測定による高コスト及び大規模使用不可の問題を避けることができる。
【実施例２】
【００６６】
本発明の実施例2は、フィルターリング特性の測定方法を提供する。本実施例と実施例1との異なる点は、本実施例において、該第一測定信号の周波数スペクトル範囲がフィルターリング特性の全部測定範囲をカバーし、該第二測定信号及び第四測定信号周波数が相補的であることにある。
【００６７】
図10は、本発明の実施例2におけるフィルターリング特性の測定方法のフローチャートである。図10に示すように、該方法は、次のようなステップを含む。
【００６８】
ステップ1001：第一測定信号及び第二測定信号を送信し；
本実施例では、該第一測定信号及び該第二測定信号は、周波数スペクトル範囲が異なり、且つ連続信号であり、そのうち、該連続信号の具体的な実施方式については、実施例1を参照することができるため、ここでは、詳しい説明を省略する。
【００６９】
ステップ1002：該第一測定信号は、送信端フィルターリングモジュール及び受信端フィルターリングモジュールを通過し、該第二測定信号は、該受信端フィルターリングモジュールを通過し；
本実施例では、ステップ1001及びステップ1002の具体的な実施方式は、実施例1のステップ301及び302と同じであるため、ここでは、詳しい説明を省略する。
【００７０】
ステップ1003：該第一受信信号の周波数スペクトルのうちから、該第一測定信号及び該第二測定信号の重なり合わない周波数スペクトル部分に基づいて、送信端のフィルターリング特性及び受信端のフィルターリング特性の第一部分ジョイントレスポンスG1(f)H1(f)を確定し；
本実施例では、該第一測定信号及び該第二測定信号の周波数スペクトル範囲が異なるため、重ね合わせた第一測定信号及び第二測定信号を分離しやすい。このように、該第一測定信号及び該第二測定信号の重なり合わない周波数スペクトルに基づいて、G1(f)H1(f)を確定することができ、該重なり合わない周波数スペクトル部分は、S1(f)G(f)H(f)の、該第一測定信号及び該第二測定信号の重なり合わない周波数スペクトル上でのレスポンスである。
【００７１】
ステップ1004：該第一測定信号及び第四測定信号を送信し；
本実施例では、該第四測定信号及び該第一測定信号は、周波数スペクトル範囲が異なり、該第四測定信号及び該第二測定信号は、周波数が相補的であり、且つ連続信号である。
【００７２】
ステップ1005：該第一測定信号は、送信端フィルターリングモジュール及び受信端フィルターリングモジュールを通過し、該第四測定信号は、該受信端フィルターリングモジュールを通過し；
本実施例では、該第四測定信号は、該第一測定信号が該送信端フィルターリングモジュールを通過した後に、該第一測定信号と重ね合わせて、一緒に送信される。同じ受信端フィルターリングモジュールを通過した後に得られた信号は、第二受信信号と称される。例えば、該第四測定信号及び第一測定信号がそれぞれS4(f)及びS1(f)で表され、該第二受信信号がR2(f)で表される場合、該受信信号R2(f)=S1(f)G(f)H(f)+S4(f)H(f)である。
【００７３】
ステップ1006：該第二受信信号の周波数スペクトルのうちから、該第一測定信号及び第四測定信号の重なり合わない周波数スペクトル部分に基づいて、送信端のフィルターリング特性及び受信端のフィルターリング特性の第二部分ジョイントレスポンスG2(f)H2(f)を確定し；
本実施例では、該第一測定信号及び第四測定信号の周波数スペクトル範囲が異なるので、重ね合わせた第一測定信号及び第四測定信号を分離しやすい。このように、該第一測定信号及び該第四測定信号の重なり合わない周波数スペクトルを用いてG2(f)H2(f)を確定することができる。該重なり合わない周波数スペクトル部分は、S1(f)G2(f)H2(f)の、該第一測定信号及び該第四測定信号の重なり合わない周波数スペクトル上でのレスポンスである。
【００７４】
ステップ1007：該第一部分ジョイントレスポンス及び該第二部分ジョイントレスポンスに基づいて、該ジョイントレスポンスを確定する。
【００７５】
本実施例から分かるように、異なるフィルターリングモジュールを通過し、且つ周波数スペクトル範囲が異なる測定信号を用いて２回測定を行い、送信機及び受信機自体は、ジョイントレスポンスG(f)H(f)を確定することができるため、追加の計器を用いて測定する必要がなく、これにより、フィルターリング特性の計器測定による高コスト及び大規模使用不可の問題を避けることができる。
【００７６】
本実施例では、ステップ1001及び1004において、送信機又は送受信機の送信器を用いて該第一測定信号、第二測定信号及び第四測定信号を送信することができ、ステップ1002及び1005において、該送信端フィルターリングモジュールは、測定待ち送信端のフィルターリング特性の送信機又は送受信機の送信端フィルターリングモジュールであり、該受信端フィルターリングモジュールは、測定待ち受信端のフィルターリング特性の受信機又は送受信機の受信端フィルターリングモジュールである。図1に示す送信機を例とすると、該受信端のフィルターリング特性を測定する時に、まず、送信機100のプレイコライザ102が作動しないようにさせ、そして、送信器101は、それぞれ、第一測定信号をデジタルアナログ変換モジュール103に送信し、及び、第二測定信号と第四測定信号を光コヒーレント復調器201に送信する。
【００７７】
本実施例では、ステップ1001及び1004において上述の第一測定信号、第四測定信号及び第二測定信号を送信する時に、送信機又は送受信機の既存の送信器を再利用するが、その代わりに、専用のもう１つの送信器を以て上述の第一測定信号、第四測定信号又は第二測定信号を送信しても良い。その後、該第一測定信号を、プレイコライザを通過させず、送信端及び受信端フィルターリングモジュールを通過させ、該第二測定信号及び第四測定信号を受信端フィルターリングモジュールを通過させる。
【００７８】
本実施例では、ステップ1003及びステップ1006において、次のような方式で、受信端の部分フィルターリング特性を得ることができ、そのうち、該第二測定信号の周波数スペクトル範囲は、[0,f1]であり、該第四測定信号の周波数スペクトル範囲は、[f1,fs/2]であり、該第一測定信号の周波数スペクトル範囲は、[0,fs/2]であるが、本実施例は、これに限定されず、例えば、該第二測定信号及び第四測定信号の周波数スペクトル範囲は、交換することもできる。
【００７９】
ステップ1003の第一回測定では、該第一受信信号のパワースペクトル密度を計算し、該第一受信信号のパワースペクトル密度の周波数スペクトルのうちから、該第一測定信号及び該第二測定信号の重なり合わない周波数スペクトル部分の第五パワースペクトル密度を抽出して、第一部分ジョイントレスポンスを得ることができる。
【００８０】
そのうち、該第二測定信号の周波数スペクトル範囲が全部測定範囲の一部分のみカバーし、該第一測定信号の周波数スペクトル範囲が全部測定範囲をカバーするので、該第一測定信号及び該第二測定信号重のなり合わない周波数スペクトル部分は、該第一測定信号の周波数スペクトルから該第二測定信号の周波数スペクトル部分を除去した後の部分に相当する。該第二測定信号が受信端のフィルターリングモジュールのみ通過したので、抽出された第五パワースペクトル密度は、N|G(f)H(f)|2（f∈[f1,fs/2]）であり、Nは、第一測定信号パワースペクトル密度の値である。各周波数点の相対レスポンスだけが重要であるので、第一測定信号が平坦なパワースペクトル密度を有する時に、Nを知る必要がなく、該第五パワースペクトル密度を開法計算後の結果を該第一部分ジョイントレスポンスとすることができ、又は、Nが既知の値であるため、第五パワースペクトル密度からNを除去して開法計算を行うことで、第一部分ジョイントレスポンス|G(f)H(f)|（f∈[f1,fs/2]）を得ることもできる。
【００８１】
ステップ1006の第二回測定では、該第二受信信号のパワースペクトル密度を計算し、該第二受信信号のパワースペクトル密度の周波数スペクトルのうちから、該第一測定信号及び第四測定信号の重なり合わない周波数スペクトル部分の第六パワースペクトル密度を抽出して、第二部分ジョイントレスポンスを得ることができる。
【００８２】
そのうち、該第四測定信号の周波数スペクトル範囲が全部測定範囲の他の部分のみカバーし、該第一測定信号の周波数スペクトル範囲が全部測定範囲をカバーするので、該第四測定信号及び該第一測定信号の重なり合わない周波数スペクトル部分は、該第一測定信号の周波数スペクトルから該第四測定信号の周波数スペクトル部分を除去した後の部分に相当する。該第四測定信号が受信端のフィルターリングモジュールのみ通過したので、抽出された第六パワースペクトル密度は、N|G(f)H(f)|2（f∈[0,f1]）であり、該第六パワースペクトル密度に基づいて得られた第二部分ジョイントレスポンスは、|G(f)H(f)|（f∈[0,f1]）である。なお、具体的な実施方式は、該第一部分ジョイントレスポンスの取得方法と同じであるため、ここでは、詳しい説明を省略する。
【００８３】
ステップ1007では、該第一部分ジョイントレスポンス及び該第二部分ジョイントレスポンスに基づいて、該ジョイントレスポンスを確定する。
【００８４】
例えば、該第五パワースペクトル密度及び第六パワースペクトル密度を統合することで、全部測定範囲上での|G(f)H(f)|を得ることができる。
【００８５】
１つの実施方式では、該第一部分ジョイントレスポンス及び該第二部分ジョイントレスポンスの重なり合う周波数点の処におけるレスポンスが同じである時に、該第一部分ジョイントレスポンス及び該第二部分ジョイントレスポンスを直接合併することで、連続したジョイントレスポンスを得ることができる。
【００８６】
他の実施方式では、該第一部分ジョイントレスポンス及び該第二部分ジョイントレスポンスの重なり合う周波数点の処におけるレスポンスが異なる時に、該第一部分ジョイントレスポンス及び該第二部分ジョイントレスポンスの重なり合う周波数点の処におけるレスポンスを同じであるように調整し、そして、調整後の第一部分ジョイントレスポンス及び第二部分ジョイントレスポンスを合併することで、連続したジョイントレスポンスを得ることもできる。
【００８７】
本実施例では、オプションとして、該方法は、さらに、受信端のフィルターリング特性を確定することを含んでも良い。
【００８８】
図11は、本実施例における該受信端のフィルターリング特性の確定方法のフローチャートである。図11に示すように、該方法は、次のようなステップを含む。
【００８９】
ステップ1101：該第一受信信号のパワースペクトル密度の周波数スペクトルのうちから、該第一測定信号及び該第二測定信号の重なり合う周波数スペクトル部分に基づいて、受信端の第一部分フィルターリング特性を確定し；
ステップ1102：該第二受信信号のパワースペクトル密度の周波数スペクトルのうちから、該第一測定信号及び第四測定信号の重なり合う周波数スペクトル部分に基づいて、受信端の第二部分フィルターリング特性を確定し；
ステップ1103：該第一部分フィルターリング特性及び該第二部分フィルターリング特性に基づいて、該受信端のフィルターリング特性を確定する。
【００９０】
ステップ1101の第一回測定では、該第二測定信号の周波数スペクトル範囲が全部測定範囲の一部分のみカバーし、該第一測定信号の周波数スペクトル範囲が全部測定範囲をカバーするので、該第一測定信号及び該第二測定信号の重なり合う周波数スペクトル部分は、該第二測定信号の周波数スペクトル部分に相当する。該第二測定信号が受信端の各フィルターリングモジュールのみ通過したので、第一受信信号のパワースペクトル密度の周波数スペクトルから抽出された第一測定信号及び第二測定信号の重なり合う周波数スペクトル部分の第七パワースペクトル密度為は、A|H(f)|2（f∈[0,f1]）であり、Aは、第二測定信号パワースペクトル密度の値である。また、各周波数点の相対レスポンスだけが重要であるので、第二測定信号が平坦なパワースペクトル密度を有する時に、Aを知る必要がなく、該第七パワースペクトル密度を開法計算後の結果を該第一部分フィルターリング特性とすることができ、又は、Aが既知の値であるため、第七パワースペクトル密度からAを除いて開法計算を行うことで、第一部分フィルターリング特性|H(f)|（f∈[0,f1]）を得ることもできる。
【００９１】
ステップ1102の第二回測定では、該第四測定信号の周波数スペクトル範囲が全部測定範囲の他の部分のみカバーし、該第一測定信号の周波数スペクトル範囲が全部測定範囲をカバーするので、該第一測定信号及び該第四測定信号の重なり合う周波数スペクトル部分は、該第四測定信号の周波数スペクトル部分に相当する。該第四測定信号が受信端フィルターリングモジュールのみ通過したので、第二受信信号のパワースペクトル密度の周波数スペクトルから抽出された第一測定信号及び第四測定信号の重なり合う周波数スペクトル部分の第八パワースペクトル密度は、B|H(f)|2（f∈[f1,fs/2）であり、Bは、第四測定信号パワースペクトル密度の値である。また、各周波数点の相対レスポンスだけが重要であるので、第四測定信号が平坦なパワースペクトル密度を有する時に、Bを知る必要がなく、該第八パワースペクトル密度を開法計算後の結果を該第二部分フィルターリング特性とすることができ、又は、Bが既知の値であるので、第八パワースペクトル密度からBを除いて開法計算を行うことで、第二部分フィルターリング特性|H(f)|（f∈[f1,fs/2）を得ることもできる。
【００９２】
ステップ1103では、該第七パワースペクトル密度及び該第八パワースペクトル密度を統合することで、全部測定範囲上でのフィルターリング特性を得ることができる。
【００９３】
１つの実施方式では、該第一部分フィルターリング特性及び該第二部分フィルターリング特性の重なり合う周波数点の処におけるレスポンスが同じである時に、該第一部分フィルターリング特性及び該第二部分フィルターリング特性を直接合併することで、連続した受信端のフィルターリング特性を得ることができる。
【００９４】
他の実施方式では、該第一部分フィルターリング特性及び該第二部分フィルターリング特性の重なり合う周波数点の処におけるレスポンスが異なる時に、該第一部分フィルターリング特性及び該第二部分フィルターリング特性の重なり合う周波数点の処におけるレスポンスを同じであるように調整し、そして、調整後の第一部分フィルターリング特性及び第二部分フィルターリング特性を合併することで、連続した受信端のフィルターリング特性を得ることもできる。
【００９５】
本実施例では、該第一測定信号、第二測定信号及び該第四測定信号の周波数スペクトルは、任意の形状に設定されても良いが、測定する必要のある周波数スペクトル範囲上では、ゼロと設定することができず、また、該第一測定信号、第二測定信号及び該第四測定信号が平坦なパワースペクトル密度を有しない時に、ステップ1003及び1006において、該第五パワースペクトル密度及び第六パワースペクトル密度から第一測定信号のパワースペクトル密度Nを除去することで、第一部分ジョイントレスポンス及び第二部分ジョイントレスポンスを取得し、ステップ1101において、該第七パワースペクトル密度から第二測定信号のパワースペクトル密度Aを除去することで、第一部分フィルターリング特性を確定する必要があり、ステップ1102において、該第八パワースペクトル密度から該第四測定信号のパワースペクトル密度Bを除去することで、第二部分フィルターリング特性を確定する必要がある。
【００９６】
本実施例では、測定の正確性の向上のために、例えば、送信機及び受信機又は送受信機各フィルターリング特性を測定する時に、送信端レーザー及びローカルレーザーが同じ周波数を有するように設定するが、本実施例は、これに限定されず、例えば、送信端レーザー及びローカルレーザーが周波数の差Δfを有する時に、従来技術を用いて該周波数の差Δfを推定し、Δfによる影響を除去することができ、また、レーザーの相位ノイズを除去することもできる。
【００９７】
本実施例では、受信端のフィルターリング特性及び上述のジョイントレスポンスを確定した後に、送信端のフィルターリング特性を確定することもできる。なお、確定方法は、実施例1と同様であるため、ここでは、詳しい説明を省略する。
【００９８】
また、本実施例における受信端のフィルターリング特性及びジョイントレスポンスの確定方法は、実施例1と同様であるため、具体的には、実施例1における実例を参照することができるため、ここでは、重複説明を省略する。
【００９９】
本実施例では、オプションとして、ステップ1001、1002及びステップ1004、1005において、送信機、受信機又は送受信機の送信器及びフィルターリングモジュールを使用する時に、該方法は、さらに、送信機又は送受信機のプレイコライザを、該プレイコライザが作動しないように設定することを含んでも良い。
【０１００】
本実施例から分かるように、異なるフィルターリングモジュールを通過し、且つ周波数スペクトル範囲が異なる測定信号を用いて２回測定を行い、送信機及び受信機自体は、受信端及び送信端のフィルターリング特性及びジョイントレスポンスを確定することができるので、追加の計器を用いて測定する必要がなく、これにより、フィルターリング特性の計器測定による高コスト及び大規模使用不可の問題を避けることができる。
【実施例３】
【０１０１】
本発明の実施例3は、フィルターリング特性の測定方法を提供する。本実施例と実施例1及び2との異なる点は、本実施例では、第一回測定において第二測定信号のみ送信し、第二回の測定において第一測定信号のみ送信することにある。
【０１０２】
図12は、本発明の実施例3におけるフィルターリング特性の測定方法のフローチャートである。図12に示すように、該方法は、次のようなステップを含む。
【０１０３】
ステップ1201：第二測定信号を送信し；
ステップ1202：該第二測定信号は、受信端のフィルターリングモジュールを通過し；
そのうち、該第二測定信号が送信端フィルターリングモジュールを通過せず、受信端フィルターリングモジュールのみ通過した後に、第三受信信号R3(f)を取得し、該R3(f)は、R3(f)=S2(f)H(f)で表され；
ステップ1203：該第三受信信号のパワースペクトル密度に基づいて、受信端のフィルターリング特性を確定する。
【０１０４】
本実施例では、第二測定信号が受信端のフィルターリングモジュールのみ通過したので、該第三受信信号R3(f)のパワースペクトル密度は、
（外５）
2017108406.tif 000051
と表することができ、
（外６）
2017108406.tif 000052
が平坦なものである時に、
（外７）
2017108406.tif 000053
を無視し、受信端のフィルターリング特性を確定することができ、
（外８）
2017108406.tif 000054
が平坦なものでない時に、
（外９）
2017108406.tif 000055
が既知であるため、即ち、第三受信信号R3(f)のパワースペクトル密度
（外１０）
2017108406.tif 000056
に基づいて、受信端のフィルターリング特性|H(f)|を確定することができる。
【０１０５】
本実施例から分かるように、受信端フィルターリングモジュールを通過する測定信号を用いて、送信機及び受信機自体は、受信端のフィルターリング特性を確定することができるので、追加の計器を用いて測定する必要がなく、これによりフィルターリング特性の計器測定による高コスト及び大規模使用不可の問題を避けることができる。
【０１０６】
本実施例では、オプションとして、該方法は、さらに、受信端のフィルターリング特性及び送信端のフィルターリング特性のジョイントレスポンスを確定することを含んでも良い。図12に示すように、該方法は、さらに、次のようなステップを含んでも良い。
【０１０７】
ステップ1204：第一測定信号を送信し；
ステップ1205：該第一測定信号は、送信端のフィルターリングモジュール及び受信端のフィルターリングモジュールを通過し；
そのうち、該第一測定信号が送信端フィルターリングモジュール及び受信端フィルターリングモジュールを通過した後に、第四受信信号R4(f)が取得され、R4(f)=S1(f)G(f)H(f)と表され；
ステップ1206：該第四受信信号のパワースペクトル密度に基づいて、送信端のフィルターリング特性及び受信端のフィルターリング特性のジョイントレスポンスを得る。
【０１０８】
本実施例では、該第一測定信号が送信端及び受信端の各フィルターリングモジュールを通過したので、該第四受信信号のパワースペクトル密度は、
（外１１）
2017108406.tif 000057
と表することができ、
（外１２）
2017108406.tif 000058
が平坦なものである時に、
（外１３）
2017108406.tif 000059
を無視し、ジョイントレスポンスを確定することができ、
（外１４）
2017108406.tif 000060
が平坦なものでない時に、
（外１５）
2017108406.tif 000061
が既知であるため、即ち、第四受信信号R4(f)のパワースペクトル密度
（外１６）
2017108406.tif 000062
に基づいて、該ジョイントレスポンス|G(f)H(f)|を確定することができる。
【０１０９】
本実施例におけるステップ1203及び1206では、第一測定信号及び第二測定信号のパワースペクトル密度が既知であるため、受信端のフィルターリング特性及びジョイントレスポンスを直接確定することができる。
【０１１０】
そのうち、得られたフィルターリング特性が全部測定範囲をカバーするようにさせるために、該第一測定信号及び該第二測定信号の周波数スペクトル範囲は、フィルターリング特性が測定される必要のある全部測定範囲をカバーする。
【０１１１】
本実施例では、先にステップ1204〜1206を実行してジョイントレスポンスを確定した後に、ステップ1201〜1203を実行して受信端のフィルターリング特性を確定しても良いが、本実施例は、これに限定されない。
【０１１２】
本実施例では、オプションとして、該方法はさらにステップ1207を含んでも良く、即ち、該ジョイントレスポンス及び受信端のフィルターリング特性に基づいて、該送信端のフィルターリング特性を確定する。なお、その具体的な実施方式は、実施例1を参照することができるため、ここでは、詳しい説明を省略する。
【０１１３】
本実施例では、ステップ1201、1202、1204、1205の具体的な実施方式は、実施例1を参照することができ、また、本実施例では、送信機、受信機又は送受信機の送信器及びフィルターリングモジュールを使用する時に、該方法は、さらに、送信機又は送受信機のプレイコライザを、該プレイコライザが作動しないように設定することを含んでも良い。
【０１１４】
本実施例から分かるように、異なるフィルターリングモジュールを通過し、且つ周波数スペクトル範囲が異なる測定信号を用いて２回測定を行い、送信機及び受信機自体は、受信端及び送信端のフィルターリング特性及びジョイントレスポンスを確定することができるので、追加の計器を用いて測定する必要がなく、これによりフィルターリング特性の計器測定による高コスト及び大規模使用不可の問題を避けることができる。
【実施例４】
【０１１５】
本発明の実施例4は、さらに、フィルターリング特性の測定装置を提供する。本実施例では、該第二測定信号の周波数スペクトル範囲がフィルターリング特性の全部測定範囲をカバーし、該第一測定信号及び第三測定信号周波数が相補的である。該装置が問題を解決する原理は、実施例1の方法と同様であるため、その具体的な実施は、実施例1の方法の実施を参照することができ、重複説明は、省略される。
【０１１６】
図13は、実施例4における該装置の一実施方式を示す図である。図13に示すように、該装置1300は、次のようなものを含む。
【０１１７】
第一確定ユニット1301：第一測定信号及び第二測定信号が各自のフィルターリングモジュールを通過した後に得られた第一受信信号の周波数スペクトルのうちから、該第一測定信号及び該第二測定信号の重なり合わない周波数スペクトル部分に基づいて、受信端の第一部分フィルターリング特性を確定し；
第二確定ユニット1302：第三測定信号及び第二測定信号が各自のフィルターリングモジュールを通過した後に得られた第二受信信号の周波数スペクトルのうちから、該第三測定信号及び該第二測定信号の重なり合わない周波数スペクトル部分に基づいて、受信端の第二部分フィルターリング特性を確定し；及び
第一処理ユニット1303：該第一部分フィルターリング特性及び該第二部分フィルターリング特性に基づいて、受信端のフィルターリング特性を確定する。
【０１１８】
本実施例では、該第一測定信号、第二測定信号及び第三測定信号の具体的な実施方式は、実施例1を参照することができ、ここでは、詳しい説明を省略する。
【０１１９】
本実施例では、該第一確定ユニット1301、第二確定ユニット1302、第一処理ユニット1303の具体的な実施方式は、実施例1におけるステップ303、306及び307を参照することができ、ここでは、詳しい説明を省略する。
【０１２０】
本実施例では、該第一確定ユニット1301は、第一測定ユニット（図示せず）、第一抽出ユニット（図示せず）及び第一取得ユニット（図示せず）を含んでも良い。該第一測定ユニットは、該第一受信信号のパワースペクトル密度を計算し；該第一抽出ユニットは、該第一受信信号のパワースペクトル密度の周波数スペクトルのうちから、該第一測定信号及び該第二測定信号の重なり合わない周波数スペクトル部分の第一パワースペクトル密度を抽出し；該第一取得ユニットは、該第一パワースペクトル密度に基づいて、該受信端の第一部分フィルターリング特性を取得する。
【０１２１】
該第二確定ユニット1302は、第二測定ユニット（図示せず）、第二抽出ユニット（図示せず）及び第二取得ユニット（図示せず）を含んでも良い。該第二測定ユニットは、該第二受信信号のパワースペクトル密度を計算し；該第二抽出ユニットは、該第二受信信号のパワースペクトル密度の周波数スペクトルのうちから、該第三測定信号及び該第二測定信号の重なり合わない周波数スペクトル部分の第二パワースペクトル密度を抽出し；該第二取得ユニットは、該第二パワースペクトル密度に基づいて、該受信端の第二部分フィルターリング特性を取得する。
【０１２２】
図14は、本実施例における第一処理ユニット1303の一実施方式を示す図である。図14に示すように、該第一処理ユニット1303は、次のようなものを含む。
【０１２３】
第一判断ユニット1401：該第一部分フィルターリング特性及び該第二部分フィルターリング特性の重なり合う周波数点の処におけるレスポンスが同じであるかを判断し；
第一合併ユニット1402：該第一判断ユニット1401の判断結果が「はい」の場合、該第一部分フィルターリング特性及び該第二部分フィルターリング特性を合併することで、連続した受信端のフィルターリング特性を取得し；
本実施例では、第一判断ユニット1401の判断結果が「いいえ」の場合、第一処理ユニット1303は、さらに、次のものを含む。
【０１２４】
第一調整ユニット1403：該第一部分フィルターリング特性及び該第二部分フィルターリング特性の重なり合う周波数点の処におけるレスポンスを同じであるように調整し、第一合併ユニット1402は、さらに、調整後の該第一部分フィルターリング特性及び該第二部分フィルターリング特性を合併することで、連続した受信端のフィルターリング特性を取得する。
【０１２５】
本実施例では、該第一確定ユニット1301は、さらに、第一除去ユニット（図示せず）を含み、それは、該第二測定信号が平坦なパワースペクトル密度を有しない時に、該第一抽出ユニットが抽出した該第一パワースペクトル密度から、該第二測定信号のパワースペクトル密度を除去し、該第一取得ユニットは、該第一除去ユニットの処理後の結果に基づいて、該第一部分フィルターリング特性を確定する。
【０１２６】
該第二確定ユニット1302は、さらに、第二除去ユニット（図示せず）を含み、それは、該第二測定信号が平坦なパワースペクトル密度を有しない時に、該第二抽出ユニットが抽出した該第二パワースペクトル密度から、該第二測定信号のパワースペクトル密度を除去し、該第二取得ユニットは、該第二除去ユニットの処理後の結果に基づいて、該第二部分フィルターリング特性を確定する。
【０１２７】
本実施例では、オプションとして、図13に示すように、該装置1300は、さらに、次のようなものを含んでも良い。
【０１２８】
第三確定ユニット1304：該第一受信信号のパワースペクトル密度の周波数スペクトルのうちから、該第一測定信号及び該第二測定信号の重なり合う周波数スペクトル部分に基づいて、第一部分ジョイントレスポンスを確定し；
第四確定ユニット1305：該第二受信信号のパワースペクトル密度の周波数スペクトルのうちから、該第三測定信号及び該第二測定信号の重なり合う周波数スペクトル部分に基づいて、第二部分ジョイントレスポンスを確定し；及び
第二処理ユニット1306：該第一部分ジョイントレスポンス及び該第二部分ジョイントレスポンスに基づいて、前記ジョイントレスポンスを確定する。
【０１２９】
該第三確定ユニット1304、第四確定ユニット1305、第二処理ユニット1306の具体的な実施方式は、実施例1におけるステップ401〜403を参照することができるため、ここでは、詳しい説明を省略する。
【０１３０】
本実施例では、該第三確定ユニット1304は、第三抽出ユニット（図示せず）及び第三取得ユニット（図示せず）を含み、該第三抽出ユニットは、該第一受信信号のパワースペクトル密度の周波数スペクトルから、該第一測定信号及び該第二測定信号の重なり合う周波数スペクトル部分の第三パワースペクトル密度を抽出し、該第三取得ユニットは、該第三パワースペクトル密度に基づいて、該第一部分ジョイントレスポンスを得る。
【０１３１】
本実施例では、該第四確定ユニット1305は、第四抽出ユニット（図示せず）及び第四取得ユニット（図示せず）を含み、該第四抽出ユニットは、該第二受信信号のパワースペクトル密度の周波数スペクトルから、該第三測定信号及び該第二測定信号の重なり合う周波数スペクトル部分の第四パワースペクトル密度を抽出し、該第四取得ユニットは、該第四パワースペクトル密度に基づいて、該第二部分ジョイントレスポンスを得る。
【０１３２】
図15は、本実施例における該第二処理ユニット1306を示す図である。図15に示すように、第二処理ユニット1306は、次のものを含む。
【０１３３】
第二判断ユニット1501：該第一部分ジョイントレスポンス及び該第二部分ジョイントレスポンスの重なり合う周波数点の処におけるレスポンスが同じであるかを判断し；及び
第二合併ユニット1502：該第二判断ユニット1501の判断結果が「はい」の場合、該第一部分ジョイントレスポンス及び該第二部分ジョイントレスポンスを合併することで、連続した該ジョイントレスポンスを取得する。
【０１３４】
本実施例では、第二判断ユニット1501の判断結果が「いいえ」の場合、第二処理ユニット1306は、さらに、次のものを含んでも良い。
【０１３５】
第二調整ユニット1503：該第一部分ジョイントレスポンス及び該第二部分ジョイントレスポンスの重なり合う周波数点の処におけるレスポンスを同じであるように調整し、第二合併ユニット1502は、さらに、調整後の該第一部分ジョイントレスポンス及び該第二部分ジョイントレスポンスを合併することで、連続した該ジョイントレスポンスを取得する。
【０１３６】
本実施例では、該第三確定ユニット1304は、さらに、第三除去ユニット（図示せず）を含み、それは、該第一測定信号及び該第三測定信号が平坦なパワースペクトル密度を有しない時に、該第三抽出ユニットが抽出した該第三パワースペクトル密度から、該第一測定信号のパワースペクトル密度を除去し、該第三取得ユニットは、該第三除去ユニットの処理後の結果に基づいて、該第一部分ジョイントレスポンスを確定する。
【０１３７】
本実施例では、該第四確定ユニット1305は、さらに、第四除去ユニット（図示せず）を含み、それは、該第一測定信号及び該第三測定信号が平坦なパワースペクトル密度を有しない時に、在該第四抽出ユニットが抽出した該第四パワースペクトル密度から、該第三測定信号のパワースペクトル密度を除去し、該第四取得ユニットは、該第四除去ユニットの処理後の結果に基づいて、該第二部分ジョイントレスポンスを確定する。
【０１３８】
本実施例では、オプションとして、装置1300は、さらに、第六処理ユニット（図示せず）を含んでも良く、それは、該ジョイントレスポンス及び受信端のフィルターリング特性に基づいて、送信端のフィルターリング特性を確定する。なお、その具体的な実施方式は、実施例1を参照することができるため、ここでは、詳しい説明を省略する。
【０１３９】
本実施例では、測定待ちフィルターリング特性の通信装置、例えば、送信機又は送受信機の送信器により、該第一測定信号及び第四測定信号を送信して、該通信装置の測定待ちの送信端及び受信端フィルターリングモジュールを通過させ、また、第二測定信号を送信して、該通信装置の測定待ちの受信端フィルターリングモジュールを通過させ、その後、装置1300は、得られた受信信号に基づいて、送信端及び受信端のフィルターリング特性及びジョイントレスポンスを確定することができる。
【０１４０】
本実施例では、図13中での各部分は、ハードウェア、ソフトウェア、ファームウェア又はそれらの組み合わせにより実現することができる。以下、図16をもとに、ハードウェアによる実現方式について説明する。なお、以下、該装置1600が受信端のフィルターリング特性、送信端フィルターリング特性及び該ジョイントレスポンスを確定することを例として説明を行う。
【０１４１】
図16は、該測定フィルターリング特性装置のハードウェアを示す図である。図16に示すように、装置1600は、次のようなものを含む。
【０１４２】
第一計算器1601：該第一受信信号及び該第二受信信号のパワースペクトル密度を計算し；該第一計算器1601は、前述の第一測定ユニット及び第二測定ユニットの機能を実現するためのものであり、その具体的な実施方式は、第一測定ユニット及び第二測定ユニットと同様であるため、ここでは、詳しい説明を省略する。
【０１４３】
第一抽出器1602：該第一受信信号のパワースペクトル密度の周波数スペクトルから、該第一測定信号及び該第二測定信号の重なり合わない周波数スペクトル部分の第一パワースペクトル密度を（第一部分フィルターリング特性得るために）抽出し；該第二受信信号のパワースペクトル密度の周波数スペクトルから、該第三測定信号及び該第二測定信号の重なり合わない周波数スペクトル部分の第二パワースペクトル密度を（第二部分フィルターリング特性を得るために）抽出する。
【０１４４】
そのうち、第一抽出器1602は、前述の第一抽出ユニット、第一取得ユニット、第二抽出ユニット及び第二取得ユニットの機能を実現するためのものであり、その具体的実施方式は、前述の第一抽出ユニット、第一取得ユニット、第二抽出ユニット及び第二取得ユニットと同様であるため、ここでは、詳しい説明を省略する。
【０１４５】
第二抽出器1603は、該第一受信信号のパワースペクトル密度の周波数スペクトルから、該第一測定信号及び該第二測定信号の重なり合う周波数スペクトル部分の第三パワースペクトル密度を（第一部分ジョイントレスポンスを得るために）抽出し；該第二受信信号のパワースペクトル密度の周波数スペクトルから、該第三測定信号及び該第二測定信号の重なり合う周波数スペクトル部分の第四パワースペクトル密度を（第二部分ジョイントレスポンスを得るために）抽出する。
【０１４６】
そのうち、第二抽出器1603は、前述の第三抽出ユニット、第三取得ユニット、第四抽出ユニット及び第四取得ユニットの機能を実現するためのものであり、その具体的な実施方式は、前述の第三抽出ユニット、第三取得ユニット、第四抽出ユニット及び第四取得ユニットと同様であるため、ここでは、詳しい説明を省略する。
【０１４７】
第一処理器1604は、第一抽出器1602及び第二抽出器1603の抽出結果に基づいて、受信端のフィルターリング特性及びジョイントレスポンスを確定し、また、該受信端のフィルターリング特性及びジョイントレスポンスに基づいて、送信端のフィルターリング特性を確定する。
【０１４８】
そのうち、第一処理器1604は、前述の第一処理ユニット1303、第二処理ユニット1306、第六処理ユニットの機能を実現するためのものであり、第一処理器1604が受信端のフィルターリング特性を確定する具体的な実施方式は、第一処理ユニット1303を参照することができ、第一処理器1604がジョイントレスポンスを確定する具体的な実施方式は、第二処理ユニット1306を参照することができ、第一処理器1604が送信端フィルターリング特性を確定する具体的な実施方式は、第六処理ユニットを参照することができるため、ここでは、その詳しい説明を省略する。
【０１４９】
本実施例では、該装置1600は、受信端のフィルターリング特性又は送信端フィルターリング特性又は該ジョイントレスポンスのみ確定するために用いられても良く、同時に上述の特性の２つ又は２つの以上を確定するために用いられても良いが、本実施例は、これに限定去れない。
【０１５０】
本実施例では、オプションとして、該装置は、さらに、第二処理器1605を含んでも良く、それは、送信レーザー及びローカルレーザーの周波数の差及び相位ノイズを除去し；また、ブロック分割処理器1606も含み、それは、第一受信信号及び第二受信信号をMブロックに分割し、そのうち、各ブロック内は、時間的に連続したサンプルであり、ブロック長さは、第一測定信号又は第三測定信号の周期の長さの整数倍であり；さらに、加重和処理器1607も含み、それは、ブロック間の信号を加算して平均するためのものである。該第二抽出器1603は、加重和処理器1607の処理後の、第一計算器1601の計算及び処理後の信号のパワースペクトル密度に対して処理を行う。また、第一抽出器1602が抽出したのは、重なり合わない周波数スペクトル部分のパワースペクトル密度であるため、第二処理器1605、ブロック分割処理器1606及び加重和処理器1607の処理を要しない。よって、第一抽出器1602は、第一計算器1601の計算後の、未処理の受信信号のパワースペクトル密度に対して直接処理を行うことができる。
【０１５１】
本実施例では、第二処理器1605、ブロック分割処理器1606及び加重和処理器1607により、送信レーザー及びローカルレーザーの周波数の差及び相位ノイズを除去し、第二測定信号の干渉を抑制することもできる。
【０１５２】
本実施例では、該第二抽出器1603及び第一抽出器1602は、さらに、第一測定信号、第二測定信号及び第三測定信号が平坦なパワースペクトル密度を有しない時に、それぞれ、第一パワースペクトル密度及び第二パワースペクトル密度から、該第二測定信号のパワースペクトル密度を除去することで、該第一部分フィルターリング特性及び第二部分フィルターリング特性を確定し、第三パワースペクトル密度から、該第一測定信号のパワースペクトル密度を除去することで、該第一部分ジョイントレスポンスを確定し、該第四パワースペクトル密度から、該第三測定信号のパワースペクトル密度を除去することで、該第二部分ジョイントレスポンスを確定するために用いられる。該処理器の具体的な実施方式は、第一除去ユニット及び第二除去ユニットを参照することができるため、ここでは、重複説明を省略する。
【０１５３】
本実施例では、第一計算器1601、第一抽出器1602、第二抽出器1603、第一処理器1604及び減算器（第二処理器）1605の具体的な実施方式は、実施例1におけるステップ401〜404、501〜502を参照することができるため、ここでは、詳しい説明を省略する。
【０１５４】
本実施例から分かるように、異なるフィルターリングモジュールを通過し、且つ周波数スペクトル範囲が異なる測定信号を用いて２回測定を行い、送信機及び受信機自体は、受信端及び送信端のフィルターリング特性及びジョイントレスポンスを確定することができ、追加の計器を用いて測定する必要がなく、これによりフィルターリング特性の計器測定による高コスト及び大規模使用不可の問題を避けることができる。
【実施例５】
【０１５５】
本発明の実施例5は、さらに、フィルターリング特性の測定装置を提供する。該装置が問題を解決する原理は、実施例2の方法と同様であるため、その具体的な実施は、実施例2の方法の実施を参照することができ、重複説明は省略される。
【０１５６】
本実施例と実施例4との異なる点は、本実施例では、該第一測定信号の周波数スペクトル範囲がフィルターリング特性の全部測定範囲をカバーし、該第二測定信号及び第四測定信号周波数が相補的であることにある。
【０１５７】
本実施例では、図13をもとに説明を行う。図13に示すように、第一確定ユニット1301は、第一受信信号の周波数スペクトルのうちから、第一測定信号及び第二測定信号の重なり合わない周波数スペクトル部分に基づいて、受信端のフィルターリング特性及び送信端のフィルターリング特性の第一部分ジョイントレスポンスを確定し；第二確定ユニット1302は、第四測定信号及び前記第一測定信号が各自のフィルターリングモジュールを通過した後に得られた第二受信信号の周波数スペクトルのうちから、該第四測定信号及び該第一測定信号の重なり合わない周波数スペクトル部分に基づいて、送信端のフィルターリング特性及び受信端のフィルターリング特性の第二部分ジョイントレスポンスを確定し；第一処理ユニット1303は、該第一部分ジョイントレスポンス及び該第二部分ジョイントレスポンスに基づいて、該ジョイントレスポンスを確定する。
【０１５８】
本実施例では、該第一測定信号、第二測定信号及び第四測定信号の具体的な実施方式は、実施例2を参照することができるため、ここでは、詳しい説明を省略する。
【０１５９】
本実施例では、該第一確定ユニット1301、第二確定ユニット1302及び第一処理ユニット1303の具体的な実施方式は、実施例2におけるステップ1003、1006、1007を参照することができるため、ここでは、詳しい説明を省略する。
【０１６０】
本実施例では、該第一確定ユニット1301は、第一測定ユニット（図示せず）、第五抽出ユニット（図示せず）及び第五取得ユニット（図示せず）を含んでも良く、該第一測定ユニットは、該第一受信信号のパワースペクトル密度を計算し；該第五抽出ユニットは、該第一受信信号のパワースペクトル密度の周波数スペクトルから、該第一測定信号及び該第二測定信号の重なり合わない周波数スペクトル部分の第五パワースペクトル密度を抽出し；該第五取得ユニットは、該第五パワースペクトル密度に基づいて、該第一部分ジョイントレスポンスを取得する。
【０１６１】
本実施例では、該第二確定ユニット1302は、第二測定ユニット（図示せず）、第六抽出ユニット（図示せず）及び第六取得ユニット（図示せず）を含んでも良く、該第二測定ユニットは、該第二受信信号のパワースペクトル密度を計算し；該第六抽出ユニットは、該第二受信信号のパワースペクトル密度の周波数スペクトルから、該第一測定信号及び該第四測定信号の重なり合わない周波数スペクトル部分の第六パワースペクトル密度を抽出し；該第六取得ユニットは、該第六パワースペクトル密度に基づいて、該第二部分ジョイントレスポンスを取得する。
【０１６２】
図17は、本実施例における該第一処理ユニット1303の一実施方式を示す図である。図17に示すように、該第一処理ユニットは、次のようなものを含む。
【０１６３】
第三判断ユニット1701：該第一部分ジョイントレスポンス及び該第二部分ジョイントレスポンスの重なり合う周波数点の所におけるレスポンスが同じであるかを判断し；及び
第三合併ユニット1702：該第三判断ユニット1701の判断結果が「はい」の場合、該第一部分ジョイントレスポンス及び該第二部分ジョイントレスポンスを合併することで、連続した該ジョイントレスポンスを取得する。
【０１６４】
実施例では、第三判断ユニット1701の判断結果が「いいえ」の場合、第一処理ユニット1303は、さらに、次のものを含んでも良い。
【０１６５】
第三調整ユニット1703：該第一部分ジョイントレスポンス及び該第二部分ジョイントレスポンスの重なり合う周波数点の所におけるレスポンスを同じであるように調整し、第三合併ユニット1702は、さらに、調整後の該第一部分ジョイントレスポンス及び該第二部分ジョイントレスポンスを合併することで、連続した該ジョイントレスポンスを取得する。
【０１６６】
本実施例では、第一確定ユニット1301は、さらに、第五除去ユニット（図示せず）を含み、それは、該第一測定信号が平坦なパワースペクトル密度を有しない時に、該第五抽出ユニットが抽出した該第五パワースペクトル密度から、該第一測定信号のパワースペクトル密度を除去し、該第五取得ユニットは、該第五除去ユニットの処理後の結果に基づいて、該第一部分ジョイントレスポンスを確定する。
【０１６７】
該第二確定ユニット1302は、さらに、第六除去ユニット（図示せず）を含み、それは、該第一測定信号が平坦なパワースペクトル密度を有しない時に、該第六抽出ユニットが抽出した該第六パワースペクトル密度から、該第一測定信号のパワースペクトル密度を除去し、該第六取得ユニットは、該第六除去ユニットの処理後の結果に基づいて、該第二部分ジョイントレスポンスを確定する。
【０１６８】
本実施例と実施例4との異なる点は、さらに、第三確定ユニット1304（第五確定ユニット対応）が、該第一受信信号のパワースペクトル密度の周波数スペクトルのうちから、該第一測定信号及び該第二測定信号の重なり合う周波数スペクトル部分に基づいて、該受信端の第一部分フィルターリング特性を確定し；第四確定ユニット1305（第六確定ユニット対応）が、該第二受信信号のパワースペクトル密度の周波数スペクトルのうちから、該第一測定信号及び該第四測定信号の重なり合う周波数スペクトル部分に基づいて、該受信端の第二部分フィルターリング特性を確定し；第二処理ユニット1306（第三処理ユニット対応）が、該第一部分フィルターリング特性及び該第二部分フィルターリング特性に基づいて、該受信端のフィルターリング特性を確定することにある。
【０１６９】
そのうち、第三確定ユニット1304、第四確定ユニット1305及び第二処理ユニット1306の具体的な実施方式は、実施例2におけるステップ1101〜1103を参照することができるため、ここでは重複説明を省略する。
【０１７０】
本実施例では、該第三確定ユニット1304は、さらに、第七抽出ユニット（図示せず）及び第七取得ユニット（図示せず）を含み、該第七抽出ユニットは、該第一受信信号のパワースペクトル密度の周波数スペクトルのうちから、該第一測定信号及び該第二測定信号の重なり合う周波数スペクトル部分の第七パワースペクトル密度を抽出し；該第七取得ユニットは、該第七パワースペクトル密度に基づいて、該第一部分フィルターリング特性を取得する。
【０１７１】
本実施例では、該第四確定ユニット1305は、第八抽出ユニット（図示せず）及び第八取得ユニット（図示せず）を含み、該第八抽出ユニットは、該第二受信信号のパワースペクトル密度の周波数スペクトルから、該第四測定信号及び該第一測定信号の重なり合う周波数スペクトル部分の第八パワースペクトル密度を抽出し；該第八取得ユニットは、該第八パワースペクトル密度に基づいて、該第二部分フィルターリング特性を取得する。
【０１７２】
図18は、本実施例における第二処理ユニット1306の一実施方式を示す図である。図18に示すように、該第二処理ユニット1306は、次のようなものを含む。
【０１７３】
第四判断ユニット1801：該第一部分フィルターリング特性及び該第二部分フィルターリング特性の重なり合う周波数点の所におけるレスポンスが同じであるかを判断し；及び
第四合併ユニット1802：該第四判断ユニット1801の判断結果が「はい」の場合、該第一部分フィルターリング特性及び該第二部分ジョイントフィルターリング特性を合併することで、連続した該受信端のフィルターリング特性を取得する。
【０１７４】
本実施例では、第四判断ユニット1801の判断結果が「いいえ」の場合、第二処理ユニット1306は、さらに、次のようなものを含む。
【０１７５】
第四調整ユニット1803：該第一部分フィルターリング特性及び該第二部分フィルターリング特性の重なり合う周波数点の所におけるレスポンスを同じであるように調整し、第四合併ユニット1802は、さらに、調整後の該第一部分フィルターリング特性及び該第二部分フィルターリング特性を合併することで、連続した該受信端のフィルターリング特性を取得する。
【０１７６】
本実施例では、該第三確定ユニット1304は、さらに、第七除去ユニット（図示せず）を含んでも良く、それは、該第二測定信号及び該第四測定信号が平坦なパワースペクトル密度を有しない時に、該第七抽出ユニットが抽出した該第七パワースペクトル密度から、該第二測定信号のパワースペクトル密度を除去し、該第七取得ユニットは、該第七除去ユニットの処理後の結果に基づいて、該第一部分フィルターリング特性を確定する。
【０１７７】
本実施例では、該第四確定ユニット1305は、さらに、第八除去ユニット（図示せず）を含んでも良く、それは、該第二測定信号及び該第四測定信号が平坦なパワースペクトル密度を有しない時に、該第八抽出ユニットが抽出した該第八パワースペクトル密度から、該第四測定信号のパワースペクトル密度を除去し、該第八取得ユニットは、該第八除去ユニットの処理後の結果に基づいて、該第二部分フィルターリング特性を確定する。
【０１７８】
本実施例と実施例4における装置1600との異なる点は、第一抽出器1602が、該第一受信信号のパワースペクトル密度の周波数スペクトルから、該第一測定信号及び該第二測定信号の重なり合わない周波数スペクトル部分の第五パワースペクトル密度を（第一部分ジョイントレスポンスを得るために）抽出し、該第二受信信号のパワースペクトル密度の周波数スペクトルから、該第一測定信号及び該第四測定信号の重なり合わない周波数スペクトル部分の第六パワースペクトル密度を（第二部分ジョイントレスポンスを得るために）抽出し、第二抽出器1603が、該第一受信信号のパワースペクトル密度の周波数スペクトルから、該第一測定信号及び該第二測定信号の重なり合う周波数スペクトル部分の第七パワースペクトル密度を（第一部分フィルターリング特性を得るために）抽出し、該第二受信信号のパワースペクトル密度の周波数スペクトルから、該第一測定信号及び該第四測定信号の重なり合う周波数スペクトル部分の第八パワースペクトル密度を（第二部分フィルターリング特性を得るために）抽出し、第一処理器1604が、第一抽出器1602及び第二抽出器1603の抽出結果に基づいて、該ジョイントレスポンス及び受信端のフィルターリング特性を確定し、そして、該受信端のフィルターリング特性及びジョイントレスポンスに基づいて、送信端のフィルターリング特性を確定することにある。
【０１７９】
そのうち、第一抽出器1602は、前述の第五抽出ユニット、第五取得ユニット、第六抽出ユニット及び第六取得ユニットの機能を実現するためのものであり、その具体的な実施方式は、前述の第五抽出ユニット、第五取得ユニット、第六抽出ユニット及び第六取得ユニットと同様であり、第二抽出器1603は、前述の第七抽出ユニット、第七取得ユニット、第八抽出ユニット及び第八取得ユニットの機能を実現するためのものであり、その具体的な実施方式は、前述の第七抽出ユニット、第七取得ユニット、第八抽出ユニット及び第八取得ユニットと同様であるため、ここでは、詳しい説明を省略する。
【０１８０】
本実施例では、該第一抽出器1602及び第二抽出器1603は、さらに、第一測定信号、第二測定信号及び第四測定信号が平坦なパワースペクトル密度を有しない時に、第五パワースペクトル密度及び第六パワースペクトル密度から、該第一測定信号のパワースペクトル密度を除去することで、第一部分ジョイントレスポンス及び第二部分ジョイントレスポンスを確定し、第七パワースペクトル密度から、該第二測定信号のパワースペクトル密度を除去することで、該第一部分フィルターリング特性を確定し、該第八パワースペクトル密度から、該第四測定信号のパワースペクトル密度を除去することで、該第二部分フィルターリング特性を確定するために使用される。
【０１８１】
本実施例から分かるように、異なるフィルターリングモジュールを通過し、且つ周波数スペクトル範囲が異なる測定信号を用いて２回測定を行い、送信機及び受信機自体は、受信端及び送信端のフィルターリング特性及びジョイントレスポンスを確定することができ、追加の計器を用いて測定する必要がなく、これによりフィルターリング特性の計器測定による高コスト及び大規模使用不可の問題を避けることができる。
【実施例６】
【０１８２】
本発明の実施例6は、さらに、フィルターリング特性の測定装置を提供する。該装置が問題を解決する原理は、実施例3の方法と同様であるため、その具体的な実施は、実施例3の方法の実施を参照することができ、重複説明は、省略される。
【０１８３】
図19は、本実施例におけるフィルターリング特性の測定装置の一実施方式を示す図である。図19に示すように、該装置は、次のようなものを含む。
【０１８４】
第四処理ユニット1901：第二測定信号が受信端フィルターリングモジュールを通過した後に得られた第三受信信号のパワースペクトル密度に基づいて、前記受信端のフィルターリング特性を確定し、そのうち、該第二測定信号の周波数スペクトルは、フィルターリング特性の全部測定範囲をカバーする。
【０１８５】
本実施例では、オプションとして、図19に示すように、該フィルターリング特性の測定装置は、さらに、次のようなもの含んでも良い。
【０１８６】
第五処理ユニット1902：第一測定信号が送信端フィルターリングモジュール及び受信端フィルターリングモジュールを通過した後に得られた第四受信信号のパワースペクトル密度に基づいて、前記受信端のフィルターリング特性及び前記送信端のフィルターリング特性のジョイントレスポンスを確定し、そのうち、前記第一測定信号の周波数スペクトルは、フィルターリング特性の全部測定範囲をカバーする。
【０１８７】
本実施例では、該第二測定信号及び第一測定信号の具体的な実施方式は、実施例3を参照することができ、第四処理ユニット1901及び第五処理ユニット1902の具体的な実施方式は、実施例3におけるステップ1203及び1206を参照することができるため、ここでは、詳しい説明を省略する。
【０１８８】
本実施例では、該装置は、さらに、第六処理ユニット（図示せず）を含んでも良く、それは、該ジョイントレスポンス及び該受信端のフィルターリング特性に基づいて、該送信端のフィルターリング特性を確定し、その具体的な実施方式は、実施例3におけるステップ1207を参照することができるので、ここでは、詳しい説明を省略する。
【０１８９】
本実施例から分かるように、異なるフィルターリングモジュールを通過し、且つ周波数スペクトル範囲が異なる測定信号を用いて２回測定を行い、送信機及び受信機自体は、定受信端及び送信端のフィルターリング特性及びジョイントレスポンスを確定することができるので、追加の計器を用いて測定する必要がなく、これによりフィルターリング特性の計器測定による高コスト及び大規模使用不可の問題を避けることができる。
【０１９０】
なお、上述の実施例4〜6におけるフィルターリング特性の測定装置は、単独で使用すすることができ、組み合わせて使用することもできる。例えば、該フィルターリング特性の測定装置は、第二測定信号及び第四測定信号周波数が相補的であり、第一測定信号及び第三測定信号周波数が相補的であり、及び、第一測定信号及び第二測定信号の周波数スペクトル範囲がフィルターリング特性の全部測定範囲をカバーする場合に、受信端及び送信端のフィルターリング特性及びジョイントレスポンスを確定することもできるが、本実施例は、これに限定されない。
【０１９１】
また、オプションとして、送信機又は送受信機の送信器及びフィルターリングモジュールを使用する時に、実施例4〜6におけるフィルターリング特性の測定装置は、さらに、設定ユニット（図示せず）を含んでも良く、それは、送信機又は送受信機のプレイコライザを、該プレイコライザが作動しないように設定することができる。しかし、上述の実施例に限定されず、該設定ユニットは、送信機、受信機、又は送受信機に設けられても良い。
【実施例７】
【０１９２】
本実施例は、さらに、通信システムを提供し、該通信システムは、フィルターリング特性の測定装置及び通信装置を含み、該通信装置は、互いに接続される送信機及び受信機であっても良く、又は、送信端及び受信端が接続される送受信機であっても良い。該送受信機は、例えば、送信端及び受信端が光ループの方式で接続されるものであっても良いが、本実施例は、これに限定されない。
【０１９３】
図20は、本実施例における通信システムを示す図である。図20に示すように、該通信システム2000は、互いに接続される送信機2001及び受信機2002、及びフィルターリング特性の測定装置2003を含む。
【０１９４】
そのうち、フィルターリング特性の測定装置2003の具体的な実施方式は、実施例4〜6におけるフィルターリング特性の測定装置1300又は1900を参照することができ、受信端のフィルターリング特性、送信端フィルターリング特性、又はジョイントレスポンスを確定するために用いられる。なお、その構成は、上述の実施例に記載のようであるので、ここでは、詳しい説明を省略する。
【０１９５】
送信機2001及び受信機2002の具体図は、図1及び図2を参照することができるため、ここでは、重複説明を省略する。図1及び2における送信機及び受信機との異なる点は、本実施例では、送信機2001における送信器が、上述の第一測定信号、第二測定信号、第三測定信号及び第四測定信号を送信するために用いられることにある。該第一測定信号、第二測定信号、第三測定信号、及び第四測定信号の具体的な実施方式は、実施例1〜3を参照することができるため、ここでは、詳しい説明を省略する。或いは、送信機2001又は受信機2002に１つの新しい送信器を、第二測定信号及び第四測定信号を送信するために設置しても良い。そのうち、送信機及び受信機の構成は、例示に過ぎず、例えば、該送信機及び受信機は、さらに、他のモジュールを含んでも良いが、ここでは、詳しい説明を省略する。
【０１９６】
１つの実施方式では、まず、該通信システムにおけるフィルターリング特性の測定装置中での設定ユニット（送信機又は受信機に設置されても良い）により、送信機2001のプレイコライザが作動しないようにさせる。第一回測定時に、送信機2001の送信器は、第一測定信号を送信し、それを、送信端及び受信端の各フィルターリングモジュールを通過させ、また、第二測定信号を送信し、それを、上述の受信端フィルターリングモジュールを通過させ、その後、受信機2002は、受信端で得られた第一受信信号をフィルターリング特性の測定装置に送信する。第二回測定時に、送信機2001の送信器は、第三測定信号を送信して、送信端及び受信端の各フィルターリングモジュールを通過させ、また、第二測定信号を送信して、上述の受信端フィルターリングモジュールを通過させ、その後、受信機2002は、受信端で得られた第二受信信号をフィルターリング特性の測定装置に送信し、該測定装置は、最終の受信端又は送信端のフィルターリング特性又はジョイントレスポンスを確定する。具体的な方法は、実施例1に記載のようであるため、ここでは、詳しい説明を省略する。
【０１９７】
他の実施方式では、まず、該通信システムにおけるフィルターリング特性の測定装置中での設定ユニット（送信機又は受信機に設置されても良い）により、送信機2001のプレイコライザが作動しないようにさせる。第一回測定時に、送信機2001の送信器は、第一測定信号を送信して、送信端及び受信端の各フィルターリングモジュールを通過させ、また、第二測定信号を送信して、上述の受信端フィルターリングモジュールを通過させ、その後、受信機2002は、受信端で得られた第一受信信号をフィルターリング特性の測定装置を送信する。第二回測定時に、送信機2001の送信器は、第一測定信号を送信して、送信端及び受信端の各フィルターリングモジュールを通過させ、また、第四測定信号を送信して、上述の受信端フィルターリングモジュールを通過させ、その後、受信機2002は、受信端で得られた第二受信信号をフィルターリング特性の測定装置に送信し、該測定装置は、最終の受信端又は送信端のフィルターリング特性又はジョイントレスポンスを確定する。具体的な方法は、実施例2に記載のようであるため、ここでは、詳しい説明を省略する。
【０１９８】
他の実施方式では、まず、該通信システムにおけるフィルターリング特性の測定装置中での設定ユニット（送信機又は受信機に設置されても良い）により、送信機2001のプレイコライザが作動しないようにさせる。第一回測定時に、送信機2001の送信器は、第二測定信号を送信して、受信端の各フィルターリングモジュールを通過させ、その後、受信機2002は、受信端で得られた第三受信信号をフィルターリング特性の測定装置に送信し、第二回測定時に、第一測定信号を送信して、送信端フィルターリングモジュール及び上述の受信端フィルターリングモジュールを通過させ、その後、受信機2002は、受信端で得られた第四受信信号をフィルターリング特性の測定装置に送信し、該測定装置は、最終の受信端又は送信端のフィルターリング特性又はジョイントレスポンスを確定する。具体的な方法は、実施例3に記載のようであるため、ここでは、詳しい説明を省略する。
【０１９９】
図21は、実施例７における通信システムを示す図である。図21に示すように、該通信システム2100は、送受信機2101及びフィルターリング特性の測定装置2102を含み、そのうち、フィルターリング特性の測定装置為2102は、受信端のフィルターリング特性、送信端フィルターリング特性、又はジョイントレスポンスを測定するために用いられ、その構成は、上述の実施例4〜6中のフィルターリング特性の測定装置1300又は1900と同様であるため、ここでは、詳しい説明を省略する。
【０２００】
送受信機2101は、第一測定信号、第二測定信号、第三測定信号、第四測定信号を送信するために用いられ、該第一測定信号、第二測定信号、第三測定信号、第四測定信号の具体的な実施方式は、実施例1〜3を参照することができるため、ここでは、詳しい説明を省略する。図22は、該送受信機2101を示す図である。図22に示すように、送受信機の送信端及び受信端は、光ループの方式で接続される。該送受信機2101は、送信器2201、プレイコライザ2202、デジタルアナログ変換モジュール2203、レーザー2205、光変調器2204、光コヒーレント復調器2206、ローカルレーザー2207、アナログデジタル変換モジュール2208、受信器2209を含み、その具体的な実施方式は、図1及び2中の送信機及び受信機の各モジュールと同様であるため、ここでは、詳しい説明を省略する。図1及び2中の送信機及び受信機との異なる点は、本実施例では、送受信機2101中での送信器2201が、第一測定信号、第二測定信号、第三測定信号、第四測定信号を送信するために用いられ、又は、送受信機2101に１つの新しい送信器2210を設置しても良いことにある。例えば、送信端及び受信端が該送信器2210により接続され、そして、第二測定信号及び第四測定信号を送信しても良い。そのうち、該送受信機の構成は、例示に過ぎず、例えば、該送受信機は、さらに、他のモジュールを含んでも良いが、ここでは、詳しい説明を省略する。
【０２０１】
１つの実施方式では、まず、該通信システム中のフィルターリング特性の測定装置中での設定ユニットにより、送受信機2101のプレイコライザが作動しないようにさせる。第一回測定時に、送受信機2101の送信器2201は、第一測定信号を送信して、送信端及び受信端の各フィルターリングモジュールを通過させ、送信器2210は、第二測定信号を送信して、上述の受信端フィルターリングモジュールを通過させ、その後、送受信機2101は、受信端で得られた第一受信信号をフィルターリング特性の測定装置に送信する。第二回測定時に、送受信機2101の送信器2201は、第三測定信号を送信して、送信端及び受信端の各フィルターリングモジュールを通過させ、送信器2210は、第二測定信号を送信して、上述の受信端フィルターリングモジュールを通過させ、その後、送受信機2101は、受信端で得られた第二受信信号をフィルターリング特性の測定装置に送信し、該測定装置は、最終の受信端又は送信端のフィルターリング特性又はジョイントレスポンスを確定する。具体的な方法は、実施例1に記載のようであるため、ここでは、詳しい説明を省略する。
【０２０２】
他の実施方式では、まず、該通信システムにおけるフィルターリング特性の測定装置中での設定ユニットにより、送受信機2101のプレイコライザが作動しないようにさせる。第一回測定時に、送受信機2101の送信器2201は、第一測定信号を送信して、送信端及び受信端の各フィルターリングモジュールを通過させ、送信器2210は、第二測定信号を送信して、上述の受信端フィルターリングモジュールを通過させ、その後、送受信機2101は、受信端で得られた第一受信信号をフィルターリング特性の測定装置に送信する。第二回測定時に、送受信機2101の送信器2201は、該第一測定信号を送信して、送信端及び受信端の各フィルターリングモジュールを通過させ、送信器2210は、第四測定信号を送信して、上述の受信端フィルターリングモジュールを通過させ、その後、送受信機2101は、受信端で得られた第二受信信号をフィルターリング特性の測定装置に送信し、該測定装置は、最終の受信端又は送信端のフィルターリング特性又はジョイントレスポンスを確定する。具体的な方法は、実施例2に記載のようであるため、ここでは、詳しい説明を省略する。
【０２０３】
他の実施方式では、まず、通信システムにおけるフィルターリング特性の測定装置中での設定ユニットにより、送受信機2101のプレイコライザが作動しないようにさせる。第一回測定時に、送受信機2101の送信器2210は、第二測定信号を送信して、受信端の各フィルターリングモジュールを通過させ、その後、送受信機2101は、受信端で得られた第三受信信号をフィルターリング特性の測定装置に送信する。第二回測定時に、送受信機2101の送信器2201は、第一測定信号を送信して、送信端フィルターリングモジュール及び上述の受信端フィルターリングモジュールを通過させ、その後、送受信機2101は、受信端で得られた第四受信信号をフィルターリング特性の測定装置に送信し、該測定装置は、最終の受信端又は送信端のフィルターリング特性又はジョイントレスポンスを確定する。具体的な方法は、実施例3に記載のようであるため、ここでは、詳しい説明を省略する。
【０２０４】
本実施例から分かるように、異なるフィルターリングモジュールを通過し、且つ周波数スペクトル範囲が異なる測定信号を用いて２回測定を行い、送信機及び受信機自体は、受信端及び送信端のフィルターリング特性及びジョイントレスポンスを確定することができるので、追加の計器を用いて測定する必要がなく、これによりフィルターリング特性の計器測定による高コスト及び大規模使用不可の問題を避けることができる。
【実施例８】
【０２０５】
本発明の実施例8は、通信装置を提供し、実施例7における通信装置との異なる点は、実施例4〜6に記載のフィルターリング特性の測定装置の機能を該通信装置に統合することにある。該通信装置は、送信機、受信機又は送受信機であっても良い。例えば、該通信装置が送信機である時に、フィルターリング特性を測定する時に、他の受信機に接続される。該通信装置が受信機である時に、フィルターリング特性を測定する時に、他の送信機に接続される。該通信装置が送受信機である時に、フィルターリング特性を測定する時に、該送受信機の送信端及び受信端は接続され、例えば、光ループの方式で接続されても良いが、本実施例は、これに限定されない。
【０２０６】
図23は、本実施例における通信装置を示す図である。図23に示すように、通信装置2300は、中央処理装置（CPU）2301及び記憶器2302を含んでも良く、記憶器2302は、中央処理装置2301に結合される。なお、該図は、例示に過ぎず、他の類型の構造を用いて該構造に対して補充又は代替を行い、電気通信機能又は他の機能を実現することもできる。そのうち、中央処理装置2301は、送信器が第一測定信号、第二測定信号、第三測定信号又は第四測定信号を送信することを制御するように構成される。
【０２０７】
１つの実施方式では、実施例4〜6の任意の１つに記載のフィルターリング特性の測定装置の機能を中央処理装置2301に統合することができる。
【０２０８】
本実施方式では、該中央処理装置2301は次のように構成されても良く、即ち、第一測定信号及び第二測定信号が各自のフィルターリングモジュールを通過した後に得られた第一受信信号の周波数スペクトルのうちから、該第一測定信号及び該第二測定信号の重なり合わない周波数スペクトル部分に基づいて、受信端の第一部分フィルターリング特性を確定し、又は、送信端のフィルターリング特性及び受信端のフィルターリング特性の第一部分ジョイントレスポンスを確定し、該第三測定信号及び第二測定信号が各自のフィルターリングモジュールを通過した後に得られた第二受信信号の周波数スペクトルのうちから、該第三測定信号及び該第二測定信号の重なり合わない周波数スペクトル部分に基づいて、受信端の第二部分フィルターリング特性を確定し、又は、第四測定信号及び該第一測定信号が各自のフィルターリングモジュールを通過した後に得られた第二受信信号の周波数スペクトルのうちから、該第四測定信号及び該第一測定信号の重なり合わない周波数スペクトル部分に基づいて、送信端のフィルターリング特性及び受信端のフィルターリング特性の第二部分ジョイントレスポンスを確定し、該第一部分フィルターリング特性及び該第二部分フィルターリング特性に基づいて、該受信端のフィルターリング特性を確定し、又は、該第一部分ジョイントレスポンス及び該第二部分ジョイントレスポンスに基づいて、該受信端のフィルターリング特性及び該送信端のフィルターリング特性のジョイントレスポンスを確定し、そのうち、該第一測定信号、第二測定信号、第三測定信号及び第四測定信号の具体的な実施方式は、実施例1を参照することができるため、ここでは、詳しい説明を省略する。
【０２０９】
そのうち、該中央処理装置2301は、次のように構成されても良く、即ち、該第一受信信号のパワースペクトル密度を計算し；該第一受信信号のパワースペクトル密度の周波数スペクトルから、該第一測定信号及び該第二測定信号の重なり合わない周波数スペクトル部分の第一パワースペクトル密度を、該受信端の第一部分フィルターリング特性を得るために抽出し；該第二受信信号のパワースペクトル密度を計算し；該第二受信信号のパワースペクトル密度の周波数スペクトルから、該第三測定信号及び該第二測定信号の重なり合わない周波数スペクトル部分の第二パワースペクトル密度を、該受信端の第二部分フィルターリング特性を得るために抽出する。
【０２１０】
そのうち、該中央処理装置2301は、次のように構成されても良く、即ち、該第一部分フィルターリング特性及び該第二部分フィルターリング特性の重なり合う周波数点の所におけるレスポンスが同じであるかを判断し；判断結果が「はい」の時に、該第一部分フィルターリング特性及び該第二部分フィルターリング特性を合併し、連続した該フィルターリング特性を取得し；判断結果が「いいえ」の時に、該第一部分フィルターリング特性及び該第二部分フィルターリング特性の重なり合う周波数点の所におけるレスポンス調整を同じであるように調整し、そして、調整後の該第一部分フィルターリング特性及び該第二部分フィルターリング特性を合併し、連続した該フィルターリング特性を取得する。
【０２１１】
そのうち、該中央処理装置2301は、次のように構成されても良く、即ち、該第一受信信号のパワースペクトル密度の周波数スペクトルのうちから、該第一測定信号及び該第二測定信号の重なり合う周波数スペクトル部分に基づいて、該第一部分ジョイントレスポンスを確定し；該第二受信信号のパワースペクトル密度の周波数スペクトルのうちから、該第三測定信号及び該第二測定信号の重なり合う周波数スペクトル部分に基づいて、該第二部分ジョイントレスポンスを確定し；該第一部分ジョイントレスポンス及び該第二部分ジョイントレスポンスに基づいて、該ジョイントレスポンスを確定する。
【０２１２】
そのうち、該中央処理装置2301は、次のように構成されてもよく、該第一受信信号のパワースペクトル密度の周波数スペクトルから、該第一測定信号及び該第二測定信号の重なり合う周波数スペクトル部分の第三パワースペクトル密度を抽出し、これにより、該第一部分ジョイントレスポンスを取得し；該第二受信信号のパワースペクトル密度の周波数スペクトルから、該第三測定信号及び該第二測定信号の重なり合う周波数スペクトル部分の第四パワースペクトル密度を抽出し、これにより、該第二部分ジョイントレスポンスを取得する。
【０２１３】
そのうち、該中央処理装置2301は、次のように構成されても良く、即ち、該第一部分ジョイントレスポンス及び該第二部分ジョイントレスポンスの重なり合う周波数点の所におけるレスポンスが同じであるかを判断し；判断結果が「はい」の時に、該第一部分ジョイントレスポンス及び該第二部分ジョイントレスポンスを合併し、連続した該ジョイントレスポンスを取得し；判断結果が「いいえ」の時に、該第一部分ジョイントレスポンス及び該第二部分ジョイントレスポンスの重なり合う周波数点の所におけるレスポンスを同じであるように調整し、そして、調整後の該第一部分ジョイントレスポンス及び該第二部分ジョイントレスポンスを合併し、連続した該ジョイントレスポンスを取得する。
【０２１４】
そのうち、該中央処理装置2301は、次のように構成されても良く、即ち、該第一受信信号のパワースペクトル密度を計算し；該第一受信信号のパワースペクトル密度の周波数スペクトルから、該第一測定信号及び該第二測定信号の重なり合わない周波数スペクトル部分の第五パワースペクトル密度を、該第一部分ジョイントレスポンスを得るよう、抽出し；該第一受信信号のパワースペクトル密度を計算し；該第二受信信号のパワースペクトル密度の周波数スペクトルから、該第一測定信号及び該第二四測定信号の重なり合わない周波数スペクトル部分の第六パワースペクトル密度を、該第二部分ジョイントレスポンスを得るよう、抽出する。
【０２１５】
そのうち、該中央処理装置2301は、次のように構成されても良く、即ち、該第一部分ジョイントレスポンス及び該第二部分ジョイントレスポンスの重なり合う周波数点の所におけるレスポンスが同じであるかを判断し；判断結果が「はい」の時に、該第一部分ジョイントレスポンス及び該第二部分ジョイントレスポンスを合併し、連続した該ジョイントレスポンスを取得し；判断結果が「いいえ」の時に、該第一部分ジョイントレスポンス及び該第二部分ジョイントレスポンスの重なり合う周波数点の所におけるレスポンス調整を同じであるように調整し、そして、調整後の該第一部分ジョイントレスポンス及び該第二部分ジョイントレスポンスを合併し、連続した該ジョイントレスポンスを取得する。
【０２１６】
そのうち、該中央処理装置2301は、次のように構成されても良く、即ち、該第一受信信号のパワースペクトル密度の周波数スペクトルから、該第一測定信号及び該第二測定信号の重なり合う周波数スペクトル部分に基づいて、該受信端の第一部分フィルターリング特性を確定し；該第二受信信号のパワースペクトル密度の周波数スペクトルから、該第一測定信号及び該第四測定信号の重なり合う周波数スペクトル部分に基づいて、該受信端の第二部分フィルターリング特性を確定し；該第一部分フィルターリング特性及び該第二部分フィルターリング特性に基づいて、該受信端のフィルターリング特性を確定する。
【０２１７】
そのうち、該中央処理装置2301は、次のように構成されても良く、即ち、該第一受信信号のパワースペクトル密度の周波数スペクトルから、該第一測定信号及び該第二測定信号の重なり合う周波数スペクトル部分の第七パワースペクトル密度を、該第一部分フィルターリング特性を得るために抽出し；該第二受信信号のパワースペクトル密度の周波数スペクトルから、該第四測定信号及び該第一測定信号の重なり合う周波数スペクトル部分の第八パワースペクトル密度を、該第二部分フィルターリング特性を得るために抽出する。
【０２１８】
そのうち、該中央処理装置2301は、次のように構成されても良く、該第一部分フィルターリング特性及び該第二部分フィルターリング特性の重なり合う周波数点の所におけるレスポンスが同じであるかを判断し；判断結果が「はい」の時に、該第一部分フィルターリング特性及び該第二部分ジョイントフィルターリング特性を合併し、連続した該受信端のフィルターリング特性を取得し；該判断結果が「いいえ」の時に、該第一部分フィルターリング特性及び該第二部分フィルターリング特性の重なり合う周波数点の所におけるレスポンスを同じであるように調整し、そして、調整後の該第一部分フィルターリング特性及び該第二部分フィルターリング特性を合併し、連続した該受信端のフィルターリング特性を取得する。
【０２１９】
本実施例では、該中央処理装置2301はさらに次のように構成されても良く、即ち、第二測定信号が受信端フィルターリングモジュールを通過した後に得られた第三受信信号のパワースペクトル密度に基づいて、該受信端のフィルターリング特性を確定し、そのうち、該第二測定信号の周波数スペクトルは、フィルターリング特性の全部測定範囲をカバーする。
【０２２０】
そのうち、該中央処理装置2301は次のように構成されても良く、即ち、第一測定信号が送信端フィルターリングモジュール及び受信端フィルターリングモジュールを通過した後に得られた第四受信信号のパワースペクトル密度に基づいて、該受信端のフィルターリング特性及び該送信端のフィルターリング特性のジョイントレスポンスを確定し、そのうち、該第一測定信号の周波数スペクトルは、フィルターリング特性の全部測定範囲をカバーする。
【０２２１】
そのうち、該中央処理装置2301は次のように構成されても良く、即ち、該ジョイントレスポンス及び該受信端のフィルターリング特性に基づいて、該送信端のフィルターリング特性を確定する。
【０２２２】
他の実施方式では、実施例4〜6に記載のフィルターリング特性の測定装置は、中央処理装置2301と別々で配置されても良く、例えば、該装置を中央処理装置2301と接続されるチップ（図23の2303参照）として構成しても良く、この場合、中央処理装置2301の制御により該装置2303の機能を実現することができる。
【０２２３】
図23に示すように、通信装置2300はさらに、通信モジュール2304、入力ユニット2305、表示器2307及び電源2308を含んでも良い。なお、通信装置2300は、必ずしも図23中に示すすべての部品を含む必要がない。また、通信装置2300は、さらに、図2300に示されていない部品を含んでも良いが、これについては、従来技術を参照することができる。
【０２２４】
本実施例では、通信装置2300が送信機である時に、装置2300はさらにレーザー2306を含み、且つ通信モジュール2304は信号送信モジュールであり、その構成は従来の送信機と同じであっても良く、例えば、図1に示すように、送信器101、プレイコライザ102、デジタルアナログ変換モジュール103、レーザー104及び光変調器105を含んでも良いが、通信モジュール2304の構成は、上述の実施例に限定されない。
【０２２５】
本実施例では、通信装置2300が受信機である時に、装置2300はさらにローカルレーザー（図示せず）を含むが、レーザー2306を含まず、且つ通信モジュール2304は信号受信モジュールであり、その構成は従来の受信機と同じであっても良く、例えば、図2に示すように、光コヒーレント復調器201、アナログデジタル変換モジュール203及び受信器204を含んでも良いが、通信モジュール2304の構成は、上述の実施例に限定されない。
【０２２６】
本実施例では、通信装置2300が送受信機である時に、装置2300はさらにレーザー2306及びローカルレーザー（図示せず）を含み、且つ通信モジュール2304は信号送信及び受信モジュールであり、その構成は従来の送受信機と同じであっても良く、例えば、送信モジュールは送信機と同様であり、受信モジュールは受信機と同様であっても良いが、通信モジュール2304の構成は、上述の実施例に限定されない。
【０２２７】
本実施例では、フィルターリング特性の測定装置が設定ユニットを含まない時に、通信装置2300はさらに設定ユニット（図示せず）を含んでも良く、それは、送信機又は送受信機のプレイコライザを、該プレイコライザが作動しないように設定するために用いられるが、該設定ユニットは、入力ユニット2305により実現されても良い。
【０２２８】
図23に示すように、中央処理装置2301は、制御器又は操作コントローラと称される場合があり、マイクロプロセッサ又は他の処理器装置及び/又は論理装置を含んでも良く、該中央処理装置2301は、入力を受信し、通信装置2300の各部品の操作を制御するために用いられる。
【０２２９】
そのうち、記憶器2302は、例えば、バッファ、フレッシュメモリ、HDD、移動可能な媒体、揮発性記憶器、不揮発性記憶器又は他の適切な装置のうちの一つは複数であっても良く、予め義又は構成された情報を記憶することができ、さらに、情報処理のためのプログラムを記憶することもできる。また、中央処理装置2301は、該記憶器2302に記憶された該プログラムを、情報記憶又は処理などのために実行することもできる。他の部品の機能は従来と同様であるため、ここでは詳しい説明を省略する。また、通信装置2300の各部品は、専用ハードウェア、ファームウェア、ソフトウェア又はその組み合わせにより実現することもできるが、これらはすべて本発明の範囲に属する。
【０２３０】
本実施例では、例えば、通信装置2300は、送信機であり、フィルターリング特性を測定する時に、先にフィルターリング特性の測定装置2303中での設定ユニット又は通信装置2300上での設定ユニット（例えば、入力ユニット2305）により、通信モジュール2304中でのプレイコライザのワーキングを停止させる。
【０２３１】
１つの実施方式では、CPUの制御下で通信モジュール2304中での送信器に第一測定信号及び第二測定信号を送信させ、該第一測定信号は通信モジュール2304の送信端フィルターリングモジュールを通過し、該第二測定信号は該送信端フィルターリングモジュールを通過した第一測定信号と重ね合わせて、送信機と接続される受信機の受信端フィルターリングモジュールを通過し、その後、CPUの制御下で送信機と接続される受信機から得られた第一受信信号をフィルターリング特性の測定装置2303に送信させ；その後、CPUの制御下で通信モジュール2304中での送信器に第三測定信号及び第二測定信号を送信させ、該第三測定信号が通信モジュール2304の送信端フィルターリングモジュールを通過し、該第二測定信号は該送信端フィルターリングモジュールを通過した第三測定信号と重ね合わせて、送信機と接続される受信機の受信端フィルターリングモジュールを通過し、その後、CPUの制御下で送信機と接続される受信機から得られた第二受信信号をフィルターリング特性の測定装置2303に送信させる。
【０２３２】
他の実施方式では、CPUの制御下で通信モジュール2304中での送信器に第一測定信号及び第二測定信号を送信させ、該第一測定信号は通信モジュール2304の送信端フィルターリングモジュールを通過し、該第二測定信号は該送信端フィルターリングモジュールを通過した第一測定信号重ね合わせて、送信機と接続される受信機の受信端フィルターリングモジュールを通過し、その後、CPUの制御下で送信機と接続される受信機から得られた第一受信信号をフィルターリング特性の測定装置2303に送信させ；その後、CPUの制御下で通信モジュール2304中での送信器に第一測定信号及び第四測定信号を送信させ、該第一測定信号は通信モジュール2304の送信端フィルターリングモジュールを通過し、該第四測定信号は該送信端フィルターリングモジュールを通過した第一測定信号と重ね合わせて、送信機と接続される受信機の受信端フィルターリングモジュールを通過し、その後、CPUの制御下で送信機と接続される受信機から得られた第二受信信号をフィルターリング特性の測定装置2303に送信させる。
【０２３３】
他の実施方式では、CPUの制御下で通信モジュール2304中での送信器に第一測定信号のみ送信させ、該第一測定信号は通信モジュール2304の送信端フィルターリングモジュール及び送信機と接続される受信機の受信端フィルターリングモジュールを通過し、その後、CPUの制御下で送信機と接続される受信機から得られた第四受信信号をフィルターリング特性の測定装置2303を送信させ；その後、CPUの制御下で通信モジュール2304中での送信器に第二測定信号のみ送信させて、送信機と接続される受信機の受信端フィルターリングモジュールを通過させ、その後、CPUの制御下で送信機と接続される受信機から得られた第三受信信号をフィルターリング特性の測定装置2303に送信させる。
【０２３４】
最後に、装置2303は、最終の受信端又は送信端のフィルターリング特性又はジョイントレスポンスを確定し、その具体的な方法は、実施例1〜3と同様であるため、ここでは、詳しい説明を省略する。また、通信装置2300に１つの新しい送信器（図示せず）を、該第一測定信号、第二測定信号、第三測定信号、第四測定信号のうちの少なくとも１つの信号を送信するために設置しても良い。
【０２３５】
本実施例では、例えば、通信装置2300は、送受信機であり、フィルターリング特性を測定する時に、先に該フィルターリング特性の測定装置2303中での設定ユニット又は通信装置2300上での設定ユニット（例えば、入力ユニット2305）により、通信モジュール2304中でのプレイコライザのワーキングを停止させる。
【０２３６】
１つの実施方式では、CPUの制御下で通信モジュール2304中での送信器に第一測定信号及び第二測定信号を送信させ、該第一測定信号は通信モジュール2304の送信端フィルターリングモジュールを通過し、該第二測定信号は該送信端フィルターリングモジュールを通過した第一測定信号と重ね合わせ、通信モジュール2304の受信端フィルターリングモジュールを通過し、その後、CPUの制御下で得られた第一受信信号をフィルターリング特性の測定装置2303を送信させ；その後、CPUの制御下で通信モジュール2304中での送信器に第三測定信号及び第二測定信号を送信させ、該第三測定信号は通信モジュール2304の送信端フィルターリングモジュールを通過し、該第二測定信号は該送信端フィルターリングモジュールを通過した第三測定信号と重ね合わせて、通信モジュール2304の受信端フィルターリングモジュールを通過し、その後、CPUの制御下で得られた第二受信信号をフィルターリング特性の測定装置2303を送信させる。
【０２３７】
他の実施方式では、CPUの制御下で通信モジュール2304中での送信器に第一測定信号及び第二測定信号を送信させ、該第一測定信号は通信モジュール2304の送信端フィルターリングモジュールを通過し、該第二測定信号は該送信端フィルターリングモジュールを通過した第一測定信号と重ね合わせて、通信モジュール2304の受信端フィルターリングモジュールを通過し、その後、CPUの制御下で得られた第一受信信号をフィルターリング特性の測定装置2303を送信させ；その後、CPUの制御下で通信モジュール2304中での送信器に第一測定信号及び第四測定信号を送信させ、該第一測定信号は通信モジュール2304の送信端フィルターリングモジュールを通過し、該第四測定信号は該送信端フィルターリングモジュールを通過した第一測定信号と重ね合わせて、通信モジュール2304の受信端フィルターリングモジュールを通過し、その後、CPUの制御下で得られた第二受信信号をフィルターリング特性の測定装置2303に送信させる。
【０２３８】
他の実施方式では、CPUの制御下で通信モジュール2304中での送信器に第一測定信号のみ送信させ、該第一測定信号は通信モジュール2304の送信端フィルターリングモジュール及び通信モジュール2304の受信端フィルターリングモジュールを通過し、その後、CPUの制御下で、得られた第四受信信号をフィルターリング特性の測定装置2303を送信させ；その後、CPUの制御下で、通信モジュール2304中での送信器に、第二測定信号のみ送信させて、通信モジュール2304の受信端フィルターリングモジュールを通過させ、その後、CPUの制御下で、得られた第三受信信号をフィルターリング特性の測定装置2303に送信させる。
【０２３９】
最後に、装置2303は、最終の受信端又は送信端のフィルターリング特性又はジョイントレスポンスを確定し、その具体的な方法は、実施例1〜3に記載のようであり、ここでは詳しい説明を省略する。また、通信装置2300に１つの新しい送信器（図示せず）を、該第一測定信号、第二測定信号、第三測定信号、第四測定信号のうちの少なくとも１つの信号を送信するために設置しても良い。
【０２４０】
本実施例では、例えば、通信装置2300は、受信機であり、フィルターリング特性を測定する時に、先に該フィルターリング特性の測定装置2303中での設定ユニット又は通信装置2300上での設定ユニット（例えば、入力ユニット2305）により、該受信機と接続される送信機のプレイコライザのワーキングを停止させる。
【０２４１】
１つの実施方式では、CPUの制御下で該受信機と接続される送信機の送信器に第一測定信号及び第二測定信号を送信させ、該第一測定信号は該受信機と接続される送信機の送信端フィルターリングモジュールを通過し、該第二測定信号は該送信端フィルターリングモジュールを通過した第一測定信号と重ね合わせて、通信モジュール2304の受信端フィルターリングモジュールを通過し、その後、CPUの制御下で得られた第一受信信号をフィルターリング特性の測定装置2303に送信させ；その後、CPUの制御下で該受信機と接続される送信機の送信器に第三測定信号及び第二測定信号を送信させ、該第三測定信号は該受信機と接続される送信機の送信端フィルターリングモジュールを通過し、該第二測定信号は該送信端フィルターリングモジュールを通過した第三測定信号重ね合わせて、通信モジュール2304の受信端フィルターリングモジュールを通過し、その後、CPUの制御下で得られた第二受信信号をフィルターリング特性の測定装置2303に送信させる。
【０２４２】
他の実施方式では、CPUの制御下で該受信機と接続される送信機の送信器に第一測定信号及び第二測定信号を送信させ、該第一測定信号は該受信機と接続される送信機の送信端フィルターリングモジュールを通過し、該第二測定信号は該送信端フィルターリングモジュールを通過した第一測定信号と重ね合わせて、通信モジュール2304の受信端フィルターリングモジュールを通過し、その後、CPUの制御下で得られた第一受信信号をフィルターリング特性の測定装置2303に送信させ；その後、CPUの制御下で該受信機と接続される送信機の送信器に第一測定信号及び第四測定信号を送信させ、該第一測定信号は該受信機と接続される送信機の送信端フィルターリングモジュールを通過し、該第四測定信号は該送信端フィルターリングモジュールを通過した第一測定信号と重ね合わせて、通信モジュール2304の受信端フィルターリングモジュールを通過し、その後、CPUの制御下で得られた第二受信信号をフィルターリング特性の測定装置2303に送信させる。
【０２４３】
他の実施方式では、CPUの制御下で該受信機と接続される送信機の送信器に第一測定信号のみ送信させ、該第一測定信号は該受信機と接続される送信機の送信端フィルターリングモジュール及び通信モジュール2304の受信端フィルターリングモジュールを通過し、その後、CPUの制御下で、得られた第四受信信号をフィルターリング特性の測定装置2303に送信させ；その後、CPUの制御下で該受信機と接続される送信機の送信器に第二測定信号のみ送信させて、通信モジュール2304の受信端フィルターリングモジュールを通過させ、その後、CPUの制御下で、得られた第三受信信号をフィルターリング特性の測定装置2303に送信させる。
【０２４４】
最後に、装置2303は、最終の受信端又は送信端のフィルターリング特性又はジョイントレスポンスを確定し、その具体的な方法は、実施例1〜3と同様であるため、ここでは、詳しい説明を省略する。また、通信装置2300に１つの新しい送信器（図示せず）を、該第一測定信号、第二測定信号、第三測定信号、第四測定信号のうちの少なくとも１つの信号を送信するために設置しても良い。
【０２４５】
そのうち、上述のフィルターリング特性の測定装置2303の機能は、CPU  2301により実現することもでき、CPU  2301は、受信信号を得た後に、実施例1〜3中での方法を直接使用して最終の受信端又は送信端のフィルターリング特性又はジョイントレスポンスを確定することができるが、ここでは、詳しい説明を省略する。
【０２４６】
本実施例から分かるように、異なるフィルターリングモジュールを通過し、且つ周波数スペクトル範囲が異なる測定信号を用いて２回測定を行い、送信機及び受信機自体は、受信端及び送信端のフィルターリング特性及びジョイントレスポンスを確定することができるので、追加の計器を用いて測定する必要がなく、これによりフィルターリング特性の計器測定による高コスト及び大規模使用不可の問題を避けることができる。
【実施例９】
【０２４７】
実施例9はさらに、フィルターリング特性の測定装置を提供し、実施例4〜6に係る装置との異なる点は、本実施例では、従来の送信機又は送受信機の送信器を使用せず、従来の送信機、受信機又は送受信機の各フィルターリングモジュールのみ使用することにある。
【０２４８】
図24は、実施例9における該装置の一実施方式を示す図である。図24に示すように、該装置2400は、第一確定ユニット2401、第二確定ユニット2402、第一処理ユニット2403を含み、その具体的な実施方式は、実施例4〜5中での第一確定ユニット1301、第二確定ユニット1302、第一処理ユニット1303を参照することができるため、ここでは、詳しい説明を省略する。
【０２４９】
本実施例では、該装置2400はさらに、第一送信ユニット2404を含んでも良く、それは、第一測定信号、第二測定信号、第三測定信号及び第四測定信号を送信する。
【０２５０】
１つの実施方式では、先に第一測定信号及び第二測定信号を送信し、該第一測定信号は送信機又は送受信機の送信端フィルターリングモジュールを通過し、該第二測定信号は該送信端フィルターリングモジュールを通過した第一測定信号と重ね合わせて、送受信機又は受信機の受信端フィルターリングモジュールを通過し、これにより、第一受信信号を取得し；その後、第三測定信号及び第二測定信号を送信し、該第三測定信号は、送信機又は送受信機の送信端フィルターリングモジュールを通過し、該第二測定信号は、該送信端フィルターリングモジュールを通過した第三測定信号と重ね合わせて、送受信機又は受信機の受信端フィルターリングモジュールを通過し、これにより、第二受信信号を取得する。
【０２５１】
１つの実施方式では、先に第一測定信号及び第二測定信号を送信し、該第一測定信号は送信機又は送受信機の送信端フィルターリングモジュールを通過し、該第二測定信号は該送信端フィルターリングモジュールを通過した第一測定信号と重ね合わせて、送受信機又は受信機の受信端フィルターリングモジュールを通過し、これにより、第一受信信号を手取得し；その後、第一測定信号及び第四測定信号を送信し、該第一測定信号は、送信機又は送受信機の送信端フィルターリングモジュールを通過し、該第四測定信号は該送信端フィルターリングモジュールを通過した第一測定信号と重ね合わせて、送受信機又は受信機の受信端フィルターリングモジュールを通過し、これにより、第二受信信号を取得する。
【０２５２】
また、該第一確定ユニット2401及び第二確定ユニット2402は、該第一受信信号及び第二受信信号を得ることができ、第一処理ユニット2403は、最終の受信端のフィルターリング特性及びジョイントレスポンスを確定することができ、その具体的な方法は、実施例1〜2と同様であるから、ここでは、詳しい説明を省略する。
【０２５３】
本実施例では、第一送信ユニット2404が送信した第一測定信号又は第三測定信号を、従来の送信機又は送受信機のプレイコライザを通過させる必要がないので、該装置は、実施例4〜5中での設定ユニットを含む必要がない。
【０２５４】
本実施例では、さらに、第三確定ユニット、第四確定ユニット、第二処理ユニット（オプション；図示せず）及び第六処理ユニット（図示せず）を含んでも良く、その具体的な実施方式は、実施例4〜5を参照することができるため、ここでは、詳しい説明を省略する。
【０２５５】
図25は、実施例9における該装置の一実施方式を示す図である。図25に示すように、該装置2500は、第四処理ユニット2501及び第五処理ユニット2502を含み、その具体的な実施方式は、実施例6における第四処理ユニット1901及び第五処理ユニット1902を参照することができるため、ここでは、詳しい説明を省略する。
【０２５６】
本実施例では、該装置2500はさらに第一送信ユニット2503を含んでも良く、それは第一測定信号及び第二測定信号を送信し；そのうち、第一回測定時に、該第一測定信号のみ送信して、送信機又は送受信機の送信端フィルターリングモジュール及び送受信機又は受信機の受信端フィルターリングモジュールを通過させ、これにより、第四受信信号を取得し；その後、第二回測定時に、第二測定信号のみ送信して、送受信機又は受信機の受信端フィルターリングモジュールを通過させ、これにより、第三受信信号を取得する。そのうち、第一回測定時に先に第二測定信号を送信し、第二回測定時にさらに第一測定信号を送信しても良いが、本実施例はこれに限定されない。
【０２５７】
また、該第四処理ユニット2501及び第五処理ユニット2502は該第三受信信号及び第四受信信号を得ることができ、そして、最終の受信端のフィルターリング特性及びジョイントレスポンスを確定することができ、その具体的な方法は、実施例3と同様であるため、ここでは、詳しい説明を省略する。
【０２５８】
本実施例から分かるように、異なるフィルターリングモジュールを通過し、且つ周波数スペクトル範囲が異なる測定信号を用いて２回測定を行い、送信機及び受信機自体は、受信端及び送信端のフィルターリング特性及びジョイントレスポンスを確定することができるため、追加の計器を用いて測定する必要がなく、これによりフィルターリング特性の計器測定による高コスト及び大規模使用不可の問題を避けることができる。
【実施例１０】
【０２５９】
実施例10はさらに、フィルターリング特性の測定装置を提供し、実施例9の装置と異なる点は、本実施例では、従来の送信機又は送受信機の送信端フィルターリングモジュール及び受信機又は送受信機の受信端フィルターリングモジュールを使用しないことにある。
【０２６０】
図26は、実施例10における該装置の一実施方式を示す図である。図26に示すように、該装置2600は、第一確定ユニット2601、第二確定ユニット2602、第一処理ユニット2603、第一送信ユニット2604を含み、これらについては、実施例9における第一確定ユニット2401、第二確定ユニット2402、第一処理ユニット2403、第一送信ユニット2404を参照することができるため、ここでは、詳しい説明を省略する。
【０２６１】
本実施例では、該装置2600はさらに送信端フィルターリングモジュール2605を含んでも良く、それは、測定待ちの送信端フィルターリング特性の送信機又は送受信機のフィルターリングモジュールと等価し、さらに受信端フィルターリングモジュール2606を含んでも良く、それは、測定待ちの受信端のフィルターリング特性の受信機又は送受信機のフィルターリングモジュールと等価する。
【０２６２】
１つの実施方式では、第一送信ユニット2604は、該第一測定信号を送信端フィルターリングモジュール2605に送信し、また、該第二測定信号を送信して、該第二測定信号は、該送信端フィルターリングモジュール2605を通過した第一測定信号と重ね合わせて、受信端フィルターリングモジュール2606を通過し、これにより、第一受信信号を取得し；その後、第三測定信号を送信端フィルターリングモジュール2605に送信し、また、該第二測定信号を送信し、該第二測定信号は、該送信端フィルターリングモジュールを通過した第三測定信号と重ね合わせて、受信端フィルターリングモジュール2606を通過し、これにより、第二受信信号を取得する。
【０２６３】
１つの実施方式では、第一送信ユニット2604は、該第一測定信号を送信端フィルターリングモジュール2605に送信し、また、該第二測定信号を送信し、該第二測定信号は、該送信端フィルターリングモジュール2605を通過した第一測定信号と重ね合わせて、受信端フィルターリングモジュール2606を通過し、これにより、第一受信信号を取得し；その後、第一測定信号を送信端フィルターリングモジュール2605に送信し、また、該第四測定信号を送信し、該第四測定信号は、該送信端フィルターリングモジュールを通過した第一測定信号と重ね合わせて、受信端フィルターリングモジュール2606を通過し、これにより、第二受信信号を取得する。
【０２６４】
また、該第一確定ユニット2601及び第二確定ユニット2602は、該第一受信信号及び第二受信信号を得ることができ、第一処理ユニット2603は、最終の受信端のフィルターリング特性及びジョイントレスポンスを確定することができ、その具体的な方法は、実施例1〜2と同様であるため、ここでは、詳しい説明を省略する。
【０２６５】
本実施例では、第一送信ユニット2604が送信した第一測定信号又は第三測定信号を、従来の送信機又は送受信機のプレイコライザを通過させる必要がないので、該装置は、実施例4〜5中での設定ユニットを含む必要がない。
【０２６６】
本実施例では、さらに、第三確定ユニット、第四確定ユニット、第二処理ユニット（オプション；図示せず）及び第六処理ユニット（図示せず）を含んでも良く、その具体的な実施方式は、実施例4〜5を参照することができるため、ここでは、詳しい説明を省略する。
【０２６７】
図27は、実施例10における該装置の一実施方式を示す図である。図27に示すように、該装置2700は、第四処理ユニット2701、第五処理ユニット2702、第一送信ユニット2703を含み、その具体的な実施方式は、実施例9における第四処理ユニット2501、第五処理ユニット2502、第一送信ユニット2503を参照することができるため、ここでは、詳しい説明を省略する。
【０２６８】
本実施例では、該装置2700はさらに送信端フィルターリングモジュール2704を含んでも良く、それは、測定待ちの送信端フィルターリング特性の送信機又は送受信機のフィルターリングモジュールと等価し、さらに受信端フィルターリングモジュール2705を含んでも良く、それは、測定待ちの受信端のフィルターリング特性の受信機又は送受信機のフィルターリングモジュールと等価する。
【０２６９】
本実施例では、第一送信ユニット2703は、第一回測定時に、該第一測定信号のみ送信して、送信端フィルターリングモジュール2704及び受信端フィルターリングモジュール2705を通過させ、これにより、第四受信信号を取得し；その後、第二回測定時に、第二測定信号のみ送信して、受信端フィルターリングモジュール2705を通過させ、これにより、第三受信信号を取得する。そのうち、第一回測定時に先に第二測定信号を送信し、第二回測定時にさらに第一測定信号を送信しても良く、本実施例はこれに限定されない。
【０２７０】
また、該第四処理ユニット2701及び第五処理ユニット2702は、該第三受信信号及び第四受信信号を得ることができ、また、最終の受信端のフィルターリング特性及びジョイントレスポンスを確定することもでき、その具体的な方法は、実施例3と同様であるため、ここでは、詳しい説明を省略する。
【０２７１】
本実施例では、送信端のフィルターリング特性確定後に、該装置2600又は2700は、該フィルターリング特性を通信装置、例えば、送受信機又は送信機のプレイコライザに送信することができ、これにより、該プレイコライザは、送信端のフィルターリング特性に基づいて、プレイコライザ係数を、プレイコライゼーション処理のために得ることもできる。
【０２７２】
本実施例から分かるように、異なるフィルターリングモジュールを通過し、且つ周波数スペクトル範囲が異なる測定信号を用いて２回測定を行い、送信機及び受信機自体は、受信端及び送信端のフィルターリング特性及びジョイントレスポンスを確定することができるため、追加の計器を用いて測定する必要がなく、これによりフィルターリング特性の計器測定による高コスト及び大規模使用不可の問題を避けることができる。
【実施例１１】
【０２７３】
実施例11はさらに、プレイコライザを提供し、図28は、本実施例中でのプレイコライザを示す図である。該プレイコライザ2800は、次のようなものを含む。
【０２７４】
特性測定ユニット2801：フィルターリング特性の測定装置を含み、送信端のフィルターリング特性を確定するために用いられ；
プレイコライゼーションユニット2802：該送信端のフィルターリング特性に基づいて、該プレイコライザの係数を確定し、また、該プレイコライザの係数を用いて、送信信号に対してプレイコライゼーション処理を行う。
【０２７５】
そのうち、特性測定ユニット2801の具体的な実施方式は、実施例4〜6又は9又は10のうちの任意の一つのフィルターリング特性の測定装置を参照することができ、また、該プレイコライゼーションユニット2802は、ゼロフォーシング、最小平均二乗誤差などの方法を採用してプレイコライザの係数を確定しても良く、また、CMA（constant  modulus  algorithm）を採用し該係数を用いて受信信号に対してプレイコライゼーション処理を行っても良いが、本実施例はこれに限定されない。
【実施例１２】
【０２７６】
実施例12はさらに通信装置を提供し、該通信装置は送受信機又は送信機であっても良い。該通信装置は、実施例11におけるのプレイコライザを含み、その具体的な実施方式は、実施例11を参照することができるため、ここでは、詳しい説明を省略する。
【０２７７】
本実施例から分かるように、異なるフィルターリングモジュールを通過し、且つ周波数スペクトル範囲が異なる測定信号を用いて２回測定を行い、送信機及び受信機自体は、受信端及び送信端のフィルターリング特性及びジョイントレスポンスを確定することができるため、追加の計器を用いて測定する必要がなく、これにより、フィルターリング特性の計器測定による高コスト及び大規模使用不可の問題を避けることができる。また、上述の測定によるフィルターリング特性を用いてプレイコライザ係数を取得し、これにより、該プレイコライザ係数を用いて、フィルターリングモジュールによるフィルターリング損傷を補償することができる。
【０２７８】
本発明の実施例はさらにコンピュータ可読プログラムを提供し、そのうち、フィルターリング特性の測定装置中で該プログラムを実行する時に、該プログラムは、コンピュータに、該測定装置中で上述の実施例1〜3に記載のフィルターリング特性の測定方法を実行させる。
【０２７９】
本発明の実施例やさらにコンピュータ可読プログラムを記憶した記憶媒体を提供し、そのうち、該コンピュータ可読プログラムは、コンピュータに、フィルターリング特性の測定装置中で上述の1〜3に記載のフィルターリング特性の測定方法を実行させる。
【０２８０】
また、本発明の実施例による装置及び方法は、ソフトウェアにより実現されても良く、ハードウェアにより実現されてもよく、ハードウェア及びソフトウェアの組み合わせにより実現されても良い。又は、本発明はこのようなコンピュータ可読プログラムにも関し、即ち、前記プログラムは、ロジック部品により実行される時に、前記ロジック部品に、上述の装置又は構成要素を実現させることができ、又は、前記ロジック部品に、上述の方法又はそのステップを実現させることができる。さらに、本発明は上述のプログラムを記憶するための記憶媒体、例えば、ハードディスク、磁気ディスク、光ディスク、DVD、フラッシュメモリなどにも関する。
【０２８１】
また、上述の実施形態に関し、さらに、次のように付記も開示する。
【０２８２】
（付記1）
フィルターリング特性の測定装置であって、
第一測定信号及び第二測定信号が各自のフィルターリングモジュールを通過した後に得られた第一受信信号の周波数スペクトルのうちから、前記第一測定信号及び前記第二測定信号の重なり合わない周波数スペクトル部分に基づいて、受信端の第一部分フィルターリング特性を確定し、又は、送信端のフィルターリング特性及び受信端のフィルターリング特性の第一部分ジョイントレスポンスを確定するための第一確定ユニット；
第三測定信号及び前記第二測定信号が各自のフィルターリングモジュールを通過した後に得られた第二受信信号の周波数スペクトルのうちから、前記第三測定信号及び前記第二測定信号の重なり合わない周波数スペクトル部分に基づいて、受信端の第二部分フィルターリング特性を確定し、又は、第四測定信号及び前記第一測定信号が各自のフィルターリングモジュールを通過した後に得られた第二受信信号の周波数スペクトルのうちから、前記第四測定信号及び前記第一測定信号の重なり合わない周波数スペクトル部分に基づいて、送信端のフィルターリング特性及び受信端のフィルターリング特性の第二部分ジョイントレスポンスを確定するための第二確定ユニット；及び
前記第一部分フィルターリング特性及び前記第二部分フィルターリング特性に基づいて、前記受信端のフィルターリング特性を確定し、又は、前記第一部分ジョイントレスポンス及び前記第二部分ジョイントレスポンスに基づいて、前記受信端のフィルターリング特性及び前記送信端のフィルターリング特性のジョイントレスポンスを確定するための第一処理ユニットを含み、
そのうち、前記第一測定信号及び前記第三測定信号が通過するフィルターリングモジュールは、送信端フィルターリングモジュール及び受信端フィルターリングモジュールを含み、前記第二測定信号及び前記第四測定信号が通過するフィルターリングモジュールは、前記受信端フィルターリングモジュールを含み、前記第一測定信号及び前記第二測定信号の周波数スペクトル範囲は異なり、前記第三測定信号と前記第一測定信号周波数とは相補的であり、又は、前記第四測定信号と前記第二測定信号周波数とは相補的であり、
前記周波数の相補は、２つの測定信号の周波数スペクトル範囲が前記フィルターリング特性の全部測定範囲をカバーし、且つ２つの測定信号が重なり合う周波数点を有することを表し、前記第一測定信号、第二測定信号、第三測定信号及び第四測定信号は連続信号である、装置。
【０２８３】
（付記2）
付記1に記載の装置であって、
前記第一確定ユニットは、
前記第一受信信号のパワースペクトル密度を計算するための第一測定ユニット；
前記第一受信信号のパワースペクトル密度の周波数スペクトルから、前記第一測定信号及び前記第二測定信号の重なり合わない周波数スペクトル部分の第一パワースペクトル密度を抽出するための第一抽出ユニット；及び
前記第一パワースペクトル密度に基づいて、前記受信端の第一部分フィルターリング特性を得るための第一取得ユニットを含み、
前記第二確定ユニットは、
前記第二受信信号のパワースペクトル密度を計算するための第二測定ユニット；
前記第二受信信号のパワースペクトル密度の周波数スペクトルから、前記第三測定信号及び前記第二測定信号の重なり合わない周波数スペクトル部分の第二パワースペクトル密度を抽出するための第二抽出ユニット；及び
前記第二パワースペクトル密度に基づいて、前記受信端の第二部分フィルターリング特性を得るための第二取得ユニットを含む、装置。
【０２８４】
（付記3）
付記1に記載の装置であって、
前記第一処理ユニットは、
前記第一部分フィルターリング特性及び前記第二部分フィルターリング特性の重なり合う周波数点の所におけるレスポンスが同じであるかを判断するための第一判断ユニット；及び
前記第一判断ユニットの判断結果がはいの時に、前記第一部分フィルターリング特性及び前記第二部分フィルターリング特性を合併して、連続した前記フィルターリング特性を得るための第一合併ユニットを含み、
前記第一判断ユニットの判断結果がいいえの時に、前記第一処理ユニットは、さらに、
前記第一部分フィルターリング特性及び前記第二部分フィルターリング特性の重なり合う周波数点の所におけるレスポンスを同じであるように調整するための第一調整ユニットを含み、
前記第一合併ユニットは、さらに、調整後の前記第一部分フィルターリング特性及び前記第二部分フィルターリング特性を合併して、連続した前記フィルターリング特性を得る、装置。
【０２８５】
（付記4）
付記2に記載の装置であって、
前記第一確定ユニットは、さらに、
前記第二測定信号が平坦なパワースペクトル密度を有しない時に、前記第一抽出ユニットが抽出した前記第一パワースペクトル密度から、前記第二測定信号のパワースペクトル密度を除去する第一除去ユニットを含み、
前記第一取得ユニットは、前記第一除去ユニットの処理後の結果に基づいて、前記第一部分フィルターリング特性を確定し、
前記第二確定ユニットは、さらに、
前記第二測定信号が平坦なパワースペクトル密度を有しない時に、前記第二抽出ユニットが抽出した前記第二パワースペクトル密度から、前記第二測定信号のパワースペクトル密度を除去するための第二除去ユニットを含み、
前記第二取得ユニットは、前記第二除去ユニットの処理後の結果に基づいて、前記第二部分フィルターリング特性を確定する、装置。
【０２８６】
（付記5）
付記2に記載の装置であって、さらに、
前記第一受信信号のパワースペクトル密度の周波数スペクトルのうちから、前記第一測定信号及び前記第二測定信号の重なり合う周波数スペクトル部分に基づいて、前記第一部分ジョイントレスポンスを確定するための第三確定ユニット；
前記第二受信信号のパワースペクトル密度の周波数スペクトルのうちから、前記第三測定信号及び前記第二測定信号の重なり合う周波数スペクトル部分に基づいて、前記第二部分ジョイントレスポンスを確定するための第四確定ユニット；及び
前記第一部分ジョイントレスポンス及び前記第二部分ジョイントレスポンスに基づいて、前記ジョイントレスポンスを確定するための第二処理ユニットを含む、装置。
【０２８７】
（付記6）
付記5に記載の装置であって、
前記第三確定ユニットは、
前記第一受信信号のパワースペクトル密度の周波数スペクトルから、前記第一測定信号及び前記第二測定信号の重なり合う周波数スペクトル部分の第三パワースペクトル密度を抽出するための第三抽出ユニット；及び
前記第三パワースペクトル密度に基づいて、前記第一部分ジョイントレスポンスを得るための第三取得ユニットを含み、
前記第四確定ユニットは、
前記第二受信信号のパワースペクトル密度の周波数スペクトルから、前記第三測定信号及び前記第二測定信号の重なり合う周波数スペクトル部分の第四パワースペクトル密度を抽出するための第四抽出ユニット；及び
前記第四パワースペクトル密度に基づいて、前記第二部分ジョイントレスポンスを得るための第四取得ユニットを含む、装置。
【０２８８】
（付記7）
付記5に記載の装置であって、
前記第二処理ユニットは、
前記第一部分ジョイントレスポンス及び前記第二部分ジョイントレスポンスの重なり合う周波数点の所におけるレスポンスが同じであるかを判断するための第二判断ユニット；及び
前記第二判断ユニットの判断結果がはいの時に、前記第一部分ジョイントレスポンス及び前記第二部分ジョイントレスポンスを合併して、連続した前記ジョイントレスポンスを得るための第二合併ユニットを含み、
前記第二判断ユニットの判断結果がいいえの時に、前記第二処理ユニットは、さらに、
前記第一部分ジョイントレスポンス及び前記第二部分ジョイントレスポンスの重なり合う周波数点の所におけるレスポンスを同じであるように調整するための第二調整ユニットを含み、
前記第二合併ユニットは、さらに、調整後の前記第一部分ジョイントレスポンス及び前記第二部分ジョイントレスポンスを合併して、連続した前記ジョイントレスポンスを得る、装置。
【０２８９】
（付記8）
付記6に記載の装置であって、
前記第三確定ユニットは、さらに、
前記第一測定信号及び前記第三測定信号が平坦なパワースペクトル密度を有しない時に、前記第三抽出ユニットが抽出した前記第三パワースペクトル密度から、前記第一測定信号のパワースペクトル密度を除去するための第三除去ユニットを含み、
前記第三取得ユニットは、前記第三除去ユニットの処理後の結果に基づいて、前記第一部分ジョイントレスポンスを確定し、
前記第四確定ユニットは、さらに、
前記第一測定信号及び前記第三測定信号が平坦なパワースペクトル密度を有しない時に、前記第四抽出ユニットが抽出した前記第四パワースペクトル密度から、前記第三測定信号のパワースペクトル密度を除去するための第四除去ユニットを含み、
前記第四取得ユニットは、前記第四除去ユニット処理後の結果に基づいて、前記第二部分ジョイントレスポンスを確定する、装置。
【０２９０】
（付記9）
付記1に記載の装置であって、
前記第一確定ユニットは、
前記第一受信信号のパワースペクトル密度を計算するための第一測定ユニット；
前記第一受信信号のパワースペクトル密度の周波数スペクトルから、前記第一測定信号及び前記第二測定信号の重なり合わない周波数スペクトル部分の第五パワースペクトル密度を抽出するための第五抽出ユニット；及び
前記第五パワースペクトル密度に基づいて、前記第一部分ジョイントレスポンスを得るための第五取得ユニットを含み、
前記第二確定ユニットは、
前記第二受信信号のパワースペクトル密度を計算するための第二測定ユニット；
前記第二受信信号のパワースペクトル密度の周波数スペクトルから、前記第一測定信号及び前記第四測定信号の重なり合わない周波数スペクトル部分の第六パワースペクトル密度を抽出するための第六抽出ユニット；及び
前記第六パワースペクトル密度に基づいて、前記第二部分ジョイントレスポンスを得るための第六取得ユニットを含む、装置。
【０２９１】
（付記10）
付記1に記載の装置であって、
前記第一処理ユニットは、
前記第一部分ジョイントレスポンス及び前記第二部分ジョイントレスポンスの重なり合う周波数点の所におけるレスポンスが同じであるかを判断するための第三判断ユニット；及び
前記第三判断ユニットの判断結果がはいの時に、前記第一部分ジョイントレスポンス及び前記第二部分ジョイントレスポンスを合併して、連続した前記ジョイントレスポンスを得るための第三合併ユニットを含み、
前記第三判断ユニットの判断結果がいいえの時に、前記第一処理ユニットは、さらに、
前記第一部分ジョイントレスポンス及び前記第二部分ジョイントレスポンスの重なり合う周波数点の所におけるレスポンス調整を同じであるように調整するための第三調整ユニットを含み、
前記第三合併ユニットは、さらに、調整後の前記第一部分ジョイントレスポンス及び前記第二部分ジョイントレスポンスを合併して、連続した前記ジョイントレスポンスを得る、装置。
【０２９２】
（付記11）
付記9に記載の装置であって、
前記第一確定ユニットは、さらに、
前記第一測定信号が平坦なパワースペクトル密度を有しない時に、前記第五抽出ユニットが抽出した前記第五パワースペクトル密度から、前記第一測定信号のパワースペクトル密度を除去するための第五除去ユニットを含み、
前記第五取得ユニットは、前記第五除去ユニットの処理後の結果に基づいて、前記第一部分ジョイントレスポンスを確定し、
前記第二確定ユニットは、さらに、
前記第一測定信号が平坦なパワースペクトル密度を有しない時に、前記第六抽出ユニットが抽出した前記第六パワースペクトル密度から、前記第一測定信号のパワースペクトル密度を除去するための第六除去ユニットを含み、
前記第六取得ユニットは、前記第六除去ユニットの処理後の結果に基づいて、前記第二部分ジョイントレスポンスを確定する、装置。
【０２９３】
（付記12）
付記9に記載の装置であって、さらに、
前記第一受信信号のパワースペクトル密度の周波数スペクトルのうちから、前記第一測定信号及び前記第二測定信号の重なり合う周波数スペクトル部分に基づいて、前記受信端の第一部分フィルターリング特性を確定するための第五確定ユニット；
前記第二受信信号のパワースペクトル密度の周波数スペクトルのうちから、前記第一測定信号及び前記第四測定信号の重なり合う周波数スペクトル部分に基づいて、前記受信端の第二部分フィルターリング特性を確定するための第六確定ユニット；及び
前記第一部分フィルターリング特性及び前記第二部分フィルターリング特性に基づいて、前記受信端のフィルターリング特性を確定するための第三処理ユニットを含む、装置。
【０２９４】
（付記13）
付記12に記載の装置であって、
前記第五確定ユニットは、
前記第一受信信号のパワースペクトル密度の周波数スペクトルから、前記第一測定信号及び前記第二測定信号の重なり合う周波数スペクトル部分の第七パワースペクトル密度を抽出するための第七抽出ユニット；及び
前記第七パワースペクトル密度に基づいて、前記第一部分フィルターリング特性を得るための第七取得ユニットを含み、
前記第六確定ユニットは、
前記第二受信信号のパワースペクトル密度の周波数スペクトルから、前記第四測定信号及び前記第一測定信号の重なり合う周波数スペクトル部分の第八パワースペクトル密度を抽出するための第八抽出ユニット；及び
前記第八パワースペクトル密度に基づいて、前記第二部分フィルターリング特性を得るための第八取得ユニットを含む、装置。
【０２９５】
（付記14）
付記12に記載の装置であって、
前記第三処理ユニットは、
前記第一部分フィルターリング特性及び前記第二部分フィルターリング特性の重なり合う周波数点の所におけるレスポンスが同じであるかを判断するための第四判断ユニット；及び
前記第四判断ユニットの判断結果がはいの時に、前記第一部分フィルターリング特性及び前記第二部分ジョイントフィルターリング特性を合併して、連続した前記受信端のフィルターリング特性を得るための第四合併ユニットを含み、
前記第四判断ユニットの判断結果がいいえの時に、前記第三処理ユニットは、さらに、
前記第一部分フィルターリング特性及び前記第二部分フィルターリング特性の重なり合う周波数点の所におけるレスポンスを同じであるように調整するための第四調整ユニットを含み、
前記第四合併ユニットは、さらに、調整後の前記第一部分フィルターリング特性及び前記第二部分フィルターリング特性を合併して、連続した前記受信端のフィルターリング特性を得る、装置。
【０２９６】
（付記15）
付記13に記載の装置であって、
前記第五確定ユニットは、さらに、
前記第二測定信号及び前記第四測定信号が平坦なパワースペクトル密度を有しない時に、前記第七抽出ユニットが抽出した前記第七パワースペクトル密度から、前記第二測定信号のパワースペクトル密度を除去するための第七除去ユニットを含み、
前記第七取得ユニットは、前記第七除去ユニットの処理後の結果に基づいて、前記第一部分フィルターリング特性を確定し、
前記第六確定ユニットは、さらに、
前記第二測定信号及び前記第四測定信号が平坦なパワースペクトル密度を有しない時に、前記第八抽出ユニットが抽出した前記第八パワースペクトル密度から、前記第四測定信号のパワースペクトル密度を除去するための第八除去ユニットを含み、
前記第八取得ユニットは、前記第八除去ユニットの処理後の結果に基づいて、前記第二部分フィルターリング特性を確定する、装置。
【０２９７】
（付記16）
フィルターリング特性の測定装置であって、
第二測定信号が受信端フィルターリングモジュールを通過した後に得られた第三受信信号のパワースペクトル密度に基づいて、前記受信端のフィルターリング特性を確定するための第四処理ユニットを含み、
そのうち、前記第二測定信号の周波数スペクトルは、フィルターリング特性の全部測定範囲をカバーする、装置。
【０２９８】
（付記17）
付記16に記載の装置であって、さらに、
第一測定信号が送信端フィルターリングモジュール及び受信端フィルターリングモジュールを通過した後に得られた第四受信信号のパワースペクトル密度に基づいて、前記受信端のフィルターリング特性及び前記送信端のフィルターリング特性のジョイントレスポンスを確定するための第五処理ユニットを含み、
そのうち、前記第一測定信号の周波数スペクトルは、フィルターリング特性の全部測定範囲をカバーする、装置。
【０２９９】
（付記18）
付記5に記載の装置であって、さらに、
前記ジョイントレスポンス及び前記受信端のフィルターリング特性に基づいて、前記送信端のフィルターリング特性を確定するための第六処理ユニットを含む、装置。
【０３００】
（付記19）
プレイコライザであって、
送信端のフィルターリング特性を確定するための特性測定ユニットであって、付記18に記載のフィルターリング特性の測定装置を含む、特性測定ユニット；及び
前記送信端のフィルターリング特性に基づいて、前記プレイコライザ係数を確定し、前記プレイコライザ係数を用いて、送信信号に対してプレイコライゼーション処理を行うためのプレイコライゼーションユニットを含む、プレイコライザ。
【０３０１】
（付記20）
通信装置であって、
前記通信装置は、付記1に記載のフィルターリング特性の測定装置を含む、通信装置。
【０３０２】
以上、本発明の好ましい実施形態を説明したが、本発明はこの実施形態に限定されず、本発明の趣旨を離脱しない限り、本発明に対するあらゆる変更は本発明の技術の範囲に属する。
【手続補正２】
【補正対象書類名】特許請求の範囲
【補正対象項目名】全文
【補正方法】変更
【補正の内容】
【特許請求の範囲】
【請求項１】
フィルターリング特性を測定する装置であって、
第一測定信号及び第二測定信号が各自のフィルターリングモジュールを通過した後に得られた第一受信信号の周波数スペクトルのうちから、前記第一測定信号及び前記第二測定信号の重なり合わない周波数スペクトル部分に基づいて、受信端の第一部分フィルターリング特性を確定し、又は、送信端のフィルターリング特性及び受信端のフィルターリング特性の第一部分ジョイントレスポンスを確定するための第一確定ユニット；
第三測定信号及び前記第二測定信号が各自のフィルターリングモジュールを通過した後に得られた第二受信信号の周波数スペクトルのうちから、前記第三測定信号及び前記第二測定信号の重なり合わない周波数スペクトル部分に基づいて、受信端の第二部分フィルターリング特性を確定し、又は、第四測定信号及び前記第一測定信号が各自のフィルターリングモジュールを通過した後に得られた第二受信信号の周波数スペクトルのうちから、前記第四測定信号及び前記第一測定信号の重なり合わない周波数スペクトル部分に基づいて、送信端のフィルターリング特性及び受信端のフィルターリング特性の第二部分ジョイントレスポンスを確定するための第二確定ユニット；及び
前記第一部分フィルターリング特性及び前記第二部分フィルターリング特性に基づいて、前記受信端のフィルターリング特性を確定し、又は、前記第一部分ジョイントレスポンス及び前記第二部分ジョイントレスポンスに基づいて、前記受信端のフィルターリング特性及び前記送信端のフィルターリング特性のジョイントレスポンスを確定するための第一処理ユニットを含み、
前記第一測定信号及び前記第三測定信号が通過するフィルターリングモジュールは、送信端フィルターリングモジュール及び受信端フィルターリングモジュールを含み、前記第二測定信号及び前記第四測定信号が通過するフィルターリングモジュールは、前記受信端フィルターリングモジュールを含み、前記第一測定信号及び前記第二測定信号の周波数スペクトル範囲は異なり、前記第三測定信号と前記第一測定信号周波数とは相補的であり、又は、前記第四測定信号と前記第二測定信号周波数とは相補的であり、
前記周波数の相補は、対応する２つの測定信号の周波数スペクトル範囲が、前記フィルターリング特性の全部測定範囲をカバーし、且つ対応する２つの測定信号が、重なり合う周波数点を有することを意味し、
前記第一測定信号、前記第二測定信号、前記第三測定信号及び前記第四測定信号は、連続信号である、装置。
【請求項２】
請求項1に記載の装置であって、
前記第一確定ユニットは、
前記第一受信信号のパワースペクトル密度を計算するための第一測定ユニット；
前記第一受信信号のパワースペクトル密度の周波数スペクトルから、前記第一測定信号及び前記第二測定信号の重なり合わない周波数スペクトル部分の第一パワースペクトル密度を抽出するための第一抽出ユニット；及び
前記第一パワースペクトル密度に基づいて、前記受信端の第一部分フィルターリング特性を得るための第一取得ユニットを含み、
前記第二確定ユニットは、
前記第二受信信号のパワースペクトル密度を計算するための第二測定ユニット；
前記第二受信信号のパワースペクトル密度の周波数スペクトルから、前記第三測定信号及び前記第二測定信号の重なり合わない周波数スペクトル部分の第二パワースペクトル密度を抽出するための第二抽出ユニット；及び
前記第二パワースペクトル密度に基づいて、前記受信端の第二部分フィルターリング特性を得るための第二取得ユニットを含む、装置。
【請求項３】
請求項1に記載の装置であって、
前記第一処理ユニットは、
前記第一部分フィルターリング特性及び前記第二部分フィルターリング特性の重なり合う周波数点の所におけるレスポンスが同じであるかを判断するための第一判断ユニット；及び
前記第一判断ユニットの判断結果が「はい」の時に、前記第一部分フィルターリング特性及び前記第二部分フィルターリング特性を合併して、連続した前記フィルターリング特性を得るための第一合併ユニットを含み、
前記第一判断ユニットの判断結果が「いいえ」の時に、前記第一処理ユニットは、さらに、
前記第一部分フィルターリング特性及び前記第二部分フィルターリング特性の重なり合う周波数点の所におけるレスポンスを同じであるように調整するための第一調整ユニットを含み、
前記第一合併ユニットは、さらに、調整後の前記第一部分フィルターリング特性及び前記第二部分フィルターリング特性を合併して、連続した前記フィルターリング特性を得る、装置。
【請求項４】
請求項2に記載の装置であって、
前記第一確定ユニットは、さらに、
前記第二測定信号が平坦なパワースペクトル密度を有しない時に、前記第一抽出ユニットが抽出した前記第一パワースペクトル密度から、前記第二測定信号のパワースペクトル密度を除去するための第一除去ユニットを含み、
前記第一取得ユニットは、前記第一除去ユニットの処理後の結果に基づいて、前記第一部分フィルターリング特性を確定し、
前記第二確定ユニットは、さらに、
前記第二測定信号が平坦なパワースペクトル密度を有しない時に、前記第二抽出ユニットが抽出した前記第二パワースペクトル密度から、前記第二測定信号のパワースペクトル密度を除去するための第二除去ユニットを含み、
前記第二取得ユニットは、前記第二除去ユニットの処理後の結果に基づいて、前記第二部分フィルターリング特性を確定する、装置。
【請求項５】
請求項2に記載の装置であって、さらに、
前記第一受信信号のパワースペクトル密度の周波数スペクトルのうちから、前記第一測定信号及び前記第二測定信号の重なり合う周波数スペクトル部分に基づいて、前記第一部分ジョイントレスポンスを確定するための第三確定ユニット；
前記第二受信信号のパワースペクトル密度の周波数スペクトルのうちから、前記第三測定信号及び前記第二測定信号の重なり合う周波数スペクトル部分に基づいて、前記第二部分ジョイントレスポンスを確定するための第四確定ユニット；及び
前記第一部分ジョイントレスポンス及び前記第二部分ジョイントレスポンスに基づいて、前記ジョイントレスポンスを確定するための第二処理ユニットを含む、装置。
【請求項６】
請求項5に記載の装置であって、
前記第三確定ユニットは、
前記第一受信信号のパワースペクトル密度の周波数スペクトルから、前記第一測定信号及び前記第二測定信号の重なり合う周波数スペクトル部分の第三パワースペクトル密度を抽出するための第三抽出ユニット；及び
前記第三パワースペクトル密度に基づいて、前記第一部分ジョイントレスポンスを得るための第三取得ユニットを含み、
前記第四確定ユニットは、
前記第二受信信号のパワースペクトル密度の周波数スペクトルから、前記第三測定信号及び前記第二測定信号の重なり合う周波数スペクトル部分の第四パワースペクトル密度を抽出するための第四抽出ユニット；及び
前記第四パワースペクトル密度に基づいて、前記第二部分ジョイントレスポンスを得るための第四取得ユニットを含む、装置。
【請求項７】
請求項5に記載の装置であって、
前記第二処理ユニットは、
前記第一部分ジョイントレスポンス及び前記第二部分ジョイントレスポンスの重なり合う周波数点の所におけるレスポンスが同じであるかを判断するための第二判断ユニット；及び
前記第二判断ユニットの判断結果が「はい」の時に、前記第一部分ジョイントレスポンス及び前記第二部分ジョイントレスポンスを合併して、連続した前記ジョイントレスポンスを得るための第二合併ユニットを含み、
前記第二判断ユニットの判断結果が「いいえ」の時に、前記第二処理ユニットは、さらに、
前記第一部分ジョイントレスポンス及び前記第二部分ジョイントレスポンスの重なり合う周波数点の所におけるレスポンスを同じであるように調整するための第二調整ユニットを含み、
前記第二合併ユニットは、さらに、調整後の前記第一部分ジョイントレスポンス及び前記第二部分ジョイントレスポンスを合併して、連続した前記ジョイントレスポンスを得る、装置。
【請求項８】
請求項6に記載の装置であって、
前記第三確定ユニットは、さらに、
前記第一測定信号及び前記第三測定信号が平坦なパワースペクトル密度を有しない時に、前記第三抽出ユニットが抽出した前記第三パワースペクトル密度から、前記第一測定信号のパワースペクトル密度を除去するための第三除去ユニットを含み、
前記第三取得ユニットは、前記第三除去ユニットの処理後の結果に基づいて、前記第一部分ジョイントレスポンスを確定し、
前記第四確定ユニットは、さらに、
前記第一測定信号及び前記第三測定信号が平坦なパワースペクトル密度を有しない時に、前記第四抽出ユニットが抽出した前記第四パワースペクトル密度から、前記第三測定信号のパワースペクトル密度を除去するための第四除去ユニットを含み、
前記第四取得ユニットは、前記第四除去ユニット処理後の結果に基づいて、前記第二部分ジョイントレスポンスを確定する、装置。
【請求項９】
請求項1に記載の装置であって、
前記第一確定ユニットは、
前記第一受信信号のパワースペクトル密度を計算するための第一測定ユニット；
前記第一受信信号のパワースペクトル密度の周波数スペクトルから、前記第一測定信号及び前記第二測定信号の重なり合わない周波数スペクトル部分の第五パワースペクトル密度を抽出するための第五抽出ユニット；及び
前記第五パワースペクトル密度に基づいて、前記第一部分ジョイントレスポンスを得るための第五取得ユニットを含み、
前記第二確定ユニットは、
前記第二受信信号のパワースペクトル密度を計算するための第二測定ユニット；
前記第二受信信号のパワースペクトル密度の周波数スペクトルから、前記第一測定信号及び前記第四測定信号の重なり合わない周波数スペクトル部分の第六パワースペクトル密度を抽出するための第六抽出ユニット；及び
前記第六パワースペクトル密度に基づいて、前記第二部分ジョイントレスポンスを得るための第六取得ユニットを含む、装置。
【請求項１０】
請求項1に記載の装置であって、
前記第一処理ユニットは、
前記第一部分ジョイントレスポンス及び前記第二部分ジョイントレスポンスの重なり合う周波数点の所におけるレスポンスが同じであるかを判断するための第三判断ユニット；及び
前記第三判断ユニットの判断結果が「はい」の時に、前記第一部分ジョイントレスポンス及び前記第二部分ジョイントレスポンスを合併して、連続した前記ジョイントレスポンスを得るための第三合併ユニットを含み、
前記第三判断ユニットの判断結果が「いいえ」の時に、前記第一処理ユニットは、さらに、
前記第一部分ジョイントレスポンス及び前記第二部分ジョイントレスポンスの重なり合う周波数点の所におけるレスポンス調整を同じであるように調整するための第三調整ユニットを含み、
前記第三合併ユニットは、さらに、調整後の前記第一部分ジョイントレスポンス及び前記第二部分ジョイントレスポンスを合併して、連続した前記ジョイントレスポンスを得る、装置。
【請求項１１】
請求項9に記載の装置であって、
前記第一確定ユニットは、さらに、
前記第一測定信号が平坦なパワースペクトル密度を有しない時に、前記第五抽出ユニットが抽出した前記第五パワースペクトル密度から、前記第一測定信号のパワースペクトル密度を除去するための第五除去ユニットを含み、
前記第五取得ユニットは、前記第五除去ユニットの処理後の結果に基づいて、前記第一部分ジョイントレスポンスを確定し、
前記第二確定ユニットは、さらに、
前記第一測定信号が平坦なパワースペクトル密度を有しない時に、前記第六抽出ユニットが抽出した前記第六パワースペクトル密度から、前記第一測定信号のパワースペクトル密度を除去するための第六除去ユニットを含み、
前記第六取得ユニットは、前記第六除去ユニットの処理後の結果に基づいて、前記第二部分ジョイントレスポンスを確定する、装置。
【請求項１２】
請求項9に記載の装置であって、さらに、
前記第一受信信号のパワースペクトル密度の周波数スペクトルのうちから、前記第一測定信号及び前記第二測定信号の重なり合う周波数スペクトル部分に基づいて、前記受信端の第一部分フィルターリング特性を確定するための第五確定ユニット；
前記第二受信信号のパワースペクトル密度の周波数スペクトルのうちから、前記第一測定信号及び前記第四測定信号の重なり合う周波数スペクトル部分に基づいて、前記受信端の第二部分フィルターリング特性を確定するための第六確定ユニット；及び
前記第一部分フィルターリング特性及び前記第二部分フィルターリング特性に基づいて、前記受信端のフィルターリング特性を確定するための第三処理ユニットを含む、装置。
【請求項１３】
請求項12に記載の装置であって、
前記第五確定ユニットは、
前記第一受信信号のパワースペクトル密度の周波数スペクトルから、前記第一測定信号及び前記第二測定信号の重なり合う周波数スペクトル部分の第七パワースペクトル密度を抽出するための第七抽出ユニット；及び
前記第七パワースペクトル密度に基づいて、前記第一部分フィルターリング特性を得るための第七取得ユニットを含み、
前記第六確定ユニットは、
前記第二受信信号のパワースペクトル密度の周波数スペクトルから、前記第四測定信号及び前記第一測定信号の重なり合う周波数スペクトル部分の第八パワースペクトル密度を抽出するための第八抽出ユニット；及び
前記第八パワースペクトル密度に基づいて、前記第二部分フィルターリング特性を得るための第八取得ユニットを含む、装置。
【請求項１４】
請求項12に記載の装置であって、
前記第三処理ユニットは、
前記第一部分フィルターリング特性及び前記第二部分フィルターリング特性の重なり合う周波数点の所におけるレスポンスが同じであるかを判断するための第四判断ユニット；及び
前記第四判断ユニットの判断結果が「はい」の時に、前記第一部分フィルターリング特性及び前記第二部分ジョイントフィルターリング特性を合併して、連続した前記受信端のフィルターリング特性を得るための第四合併ユニットを含み、
前記第四判断ユニットの判断結果が「いいえ」の時に、前記第三処理ユニットは、さらに、
前記第一部分フィルターリング特性及び前記第二部分フィルターリング特性の重なり合う周波数点の所におけるレスポンスを同じであるように調整するための第四調整ユニットを含み、
前記第四合併ユニットは、さらに、調整後の前記第一部分フィルターリング特性及び前記第二部分フィルターリング特性を合併して、連続した前記受信端のフィルターリング特性を得る、装置。
【請求項１５】
請求項13に記載の装置であって、
前記第五確定ユニットは、さらに、
前記第二測定信号及び前記第四測定信号が平坦なパワースペクトル密度を有しない時に、前記第七抽出ユニットが抽出した前記第七パワースペクトル密度から、前記第二測定信号のパワースペクトル密度を除去するための第七除去ユニットを含み、
前記第七取得ユニットは、前記第七除去ユニットの処理後の結果に基づいて、前記第一部分フィルターリング特性を確定し、
前記第六確定ユニットは、さらに、
前記第二測定信号及び前記第四測定信号が平坦なパワースペクトル密度を有しない時に、前記第八抽出ユニットが抽出した前記第八パワースペクトル密度から、前記第四測定信号のパワースペクトル密度を除去するための第八除去ユニットを含み、
前記第八取得ユニットは、前記第八除去ユニットの処理後の結果に基づいて、前記第二部分フィルターリング特性を確定する、装置。
【請求項１６】
フィルターリング特性を測定する装置であって、
第二測定信号が受信端フィルターリングモジュールを通過した後に得られた第三受信信号のパワースペクトル密度に基づいて、前記受信端のフィルターリング特性を確定するための第四処理ユニットを含み、
前記第二測定信号の周波数スペクトルは、フィルターリング特性の全部測定範囲をカバーする、装置。
【請求項１７】
請求項16に記載の装置であって、さらに、
第一測定信号が送信端フィルターリングモジュール及び受信端フィルターリングモジュールを通過した後に得られた第四受信信号のパワースペクトル密度に基づいて、前記受信端のフィルターリング特性及び前記送信端のフィルターリング特性のジョイントレスポンスを確定するための第五処理ユニットを含み、
前記第一測定信号の周波数スペクトルは、フィルターリング特性の全部測定範囲をカバーする、装置。
【請求項１８】
請求項5に記載の装置であって、さらに、
前記ジョイントレスポンス及び前記受信端のフィルターリング特性に基づいて、前記送信端のフィルターリング特性を確定するための第六処理ユニットを含む、装置。
【請求項１９】
プレイコライザであって、
送信端のフィルターリング特性を確定するための特性測定ユニットであって、請求項18に記載のフィルターリング特性の測定装置を含む、特性測定ユニット；及び
前記送信端のフィルターリング特性に基づいて、前記プレイコライザの係数を確定し、前記プレイコライザの係数を用いて、送信信号に対してプレイコライゼーション処理を行うためのプレイコライゼーションユニットを含む、プレイコライザ。
【請求項２０】
通信装置であって、
前記通信装置は、請求項1に記載のフィルターリング特性の測定装置を含む、通信装置。
【手続補正４】
【補正対象書類名】図面
【補正対象項目名】全図
【補正方法】変更
【補正の内容】
【図１】
2017108406.tif 000063
【図２】
2017108406.tif 000064
【図３】
2017108406.tif 000065
【図４】
2017108406.tif 000066
【図５】
2017108406.tif 000067
【図６】
2017108406.tif 000068
【図７】
2017108406.tif 000069
【図８】
2017108406.tif 000070
【図９】
2017108406.tif 000071
【図１０】
2017108406.tif 000072
【図１１】
2017108406.tif 000073
【図１２】
2017108406.tif 000074
【図１３】
2017108406.tif 000075
【図１４】
2017108406.tif 000076
【図１５】
2017108406.tif 000077
【図１６】
2017108406.tif 000078
【図１７】
2017108406.tif 000079
【図１８】
2017108406.tif 000080
【図１９】
2017108406.tif 000081
【図２０】
2017108406.tif 000082
【図２１】
2017108406.tif 000083
【図２２】
2017108406.tif 000084
【図２３】
2017108406.tif 000085
【図２４】
2017108406.tif 000086
【図２５】
2017108406.tif 000087
【図２６】
2017108406.tif 000088
【図２７】
2017108406.tif 000089
【図２８】
2017108406.tif 000090